(57)【要約】  ワイヤレス通信のための方法、システム、およびデバイスが説明される。いくつかのシステム(たとえば、ニューラジオ(NR)ワイヤレス通信システム)では、基地局は多数のユーザ機器(UE)にサービスし得る。基地局は、明示的なリソースマッピングおよび暗黙的なリソースマッピングを実施することによって、限られた数のビットを使用してアップリンク制御チャネルリソースをUEに割り振り得る。明示的なマッピングは、ビットの受信されたセットに基づいていくつかの示されるリソースを決定することを伴うことがあり、暗黙的なマッピングは、送信の特性からリソース指示(たとえば、ダウンリンク制御情報(DCI)送信のための開始制御チャネル要素(CCE))を決定することを伴い得る。UEは、2つのタイプの指示の組合せに基づいて、送信のための割り振られるアップリンク制御チャネルリソースを決定し得る。加えて、UEは、競合するリソース割振り(たとえば、肯定応答(ACK)、チャネル品質インジケータ(CQI)、またはスケジューリング要求(SR)リソース割振り)に対処するための1つまたは複数の技法を実施し得る。
2021503761.tif 000002
【特許請求の範囲】
【請求項１】
ワイヤレス通信のための方法であって、
1つまたは複数の制御チャネル要素(CCE)においてリソースインジケータビットのセットを受信するステップと、
リソースインジケータビットの前記セットに対する可能なビットの組合せが、利用可能なアップリンク制御チャネルリソースより少ないと決定するステップと、
前記決定に少なくとも一部基づいて、前記1つまたは複数のCCEの第1のCCEを特定するステップと、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択するステップと、
前記選択されたアップリンク制御チャネルリソースを使用して前記UCIを送信するステップとを備える、方法。
【請求項２】
前記アップリンク制御チャネルリソースを選択するステップが、
リソースインジケータビットの前記セットに少なくとも一部基づいて、アップリンク制御チャネルリソースセットを決定するステップと、
前記第1のCCEに少なくとも一部基づいて相対的なアップリンク制御チャネルリソースインデックスを決定するステップとを備え、前記選択されたアップリンク制御チャネルリソースが、前記アップリンク制御チャネルリソースセット内での前記相対的なアップリンク制御チャネルリソースインデックスに対応する、請求項1に記載の方法。
【請求項３】
前記アップリンク制御チャネルリソースを選択するステップが、
前記第1のCCEに少なくとも一部基づいて、アップリンク制御チャネルリソースセットを決定するステップと、
リソースインジケータビットの前記セットに少なくとも一部基づいて相対的なアップリンク制御チャネルリソースインデックスを決定するステップとを備え、前記選択されたアップリンク制御チャネルリソースが、前記アップリンク制御チャネルリソースセット内での前記相対的なアップリンク制御チャネルリソースインデックスに対応する、請求項1に記載の方法。
【請求項４】
前記アップリンク制御チャネルリソースを選択するステップが、
リソースインジケータビットの前記セットに少なくとも一部基づいて、オフセット値を決定するステップと、
前記第1のCCEと前記決定されたオフセット値の組合せに少なくとも一部基づいて、前記アップリンク制御チャネルリソースを選択するステップとを備える、請求項1に記載の方法。
【請求項５】
前記アップリンク制御チャネルリソースを選択するステップがさらに、アグリゲーションレベルに少なくとも一部基づく、請求項1に記載の方法。
【請求項６】
アップリンク制御チャネルリソースセット内のアップリンク制御チャネルリソースインデックスをリソースの閾値と比較するステップと、
前記アップリンク制御チャネルリソースセット内での前記アップリンク制御チャネルリソースインデックスがリソースの前記閾値より小さい場合、アグリゲーションレベルに少なくとも一部基づいて前記アップリンク制御チャネルリソースを選択すると決定するステップとをさらに備える、請求項1に記載の方法。
【請求項７】
前記UCIが、肯定応答(ACK)ペイロードサイズに従ってACKビットを備える、請求項1に記載の方法。
【請求項８】
前記ACKペイロードサイズが、無線リソース制御(RRC)で構成されるACKペイロードサイズを備える、請求項7に記載の方法。
【請求項９】
前記RRCで構成されるACKペイロードサイズに従って、前記ACKビットより少ないある数のダウンリンク共有チャネルを受信するステップと、
前記ダウンリンク共有チャネルの復号された結果に対応するビット値のACKビットをACKペイロードへと挿入するステップと、
前記RRCで構成されるACKペイロードサイズを取得するために、受信されていないダウンリンク共有チャネルに対応するデフォルトビット値のACKビットを前記ACKペイロードへと挿入するステップとをさらに備える、請求項8に記載の方法。
【請求項１０】
ダウンリンク制御情報(DCI)において割当てインデックスビットを受信するステップと、
前記割当てインデックスビットに少なくとも一部基づいて、前記RRCで構成されるACKペイロードサイズを使用するかどうかを決定するステップとをさらに備える、請求項8に記載の方法。
【請求項１１】
ダウンリンク制御情報(DCI)において割当てインデックスビットのセットを受信するステップと、
割当てインデックスビットの前記セットに少なくとも一部基づいて前記ACKペイロードサイズを決定するステップとをさらに備える、請求項7に記載の方法。
【請求項１２】
前記DCIが、前記DCIのフォーマットに少なくとも一部基づくある数の割当てインデックスビットを備える、請求項11に記載の方法。
【請求項１３】
フルDCIフォーマットが、第1の数の割当てインデックスビットに対応し、フォールバックDCIフォーマットが、前記第1の数の割当てインデックスビットより少ない第2の数の割当てインデックスビットに対応する、請求項11に記載の方法。
【請求項１４】
第1の送信時間間隔(TTI)における第1のダウンリンク制御チャネル送信、第2のTTIにおける第2のダウンリンク制御チャネル送信、または両方を受信するステップと、
前記第1のダウンリンク制御チャネル送信、前記第2のダウンリンク制御チャネル送信、または両方を受信したことに少なくとも一部基づいて、前記ACKペイロードサイズ、ACKビットリソース、または両方を決定するステップとをさらに備える、請求項7に記載の方法。
【請求項１５】
前記UCIが、無線リソース制御(RRC)構成に従って、短いアップリンク制御チャネル送信または長いアップリンク制御チャネル送信のいずれかにおいて送信される、請求項1に記載の方法。
【請求項１６】
リソースインジケータビットの前記セットに少なくとも一部基づいて、短いアップリンク制御チャネル送信または長いアップリンク制御チャネル送信のいずれかにおいて前記UCIを送信することを決定するステップをさらに備える、請求項1に記載の方法。
【請求項１７】
CCEの第2のセットにおいてリソースインジケータビットの第2のセットを受信するステップと、
リソースインジケータビットの前記第2のセットに対する更新された可能なビットの組合せが、更新された利用可能なアップリンク制御チャネルリソース以上であると決定するステップと、
リソースインジケータビットの前記第2のセットに少なくとも一部基づいて、第2のUCI送信のための第2のアップリンク制御チャネルリソースを選択するステップとをさらに備え、前記第2のアップリンク制御チャネルリソースを選択するステップが、リソースインジケータビットの前記第2のセットに対する前記更新された可能なビットの組合せが前記更新された利用可能なアップリンク制御チャネルリソース以上であると決定したことに従って、CCEの前記第2のセットの第1のCCEに少なくとも一部基づかない、請求項1に記載の方法。
【請求項１８】
CCEの第2のセットにおいて追加のダウンリンク制御情報を受信するステップと、
前記追加のダウンリンク制御情報がビットの閾値より少ないリソースインジケータビットを備えると決定するステップと、
CCEの前記第2のセットのうちのあるCCEに少なくとも一部基づいて、第2のUCI送信のための第2のアップリンク制御チャネルリソースを選択するステップであって、前記第2のアップリンク制御チャネルリソースを選択するステップが、前記追加のダウンリンク制御情報がビットの前記閾値より少ないリソースインジケータビットを備えると決定したことに少なくとも一部基づく、ステップと、
前記選択された第2のアップリンク制御チャネルリソースを使用して前記第2のUCIを送信するステップとをさらに備える、請求項1に記載の方法。
【請求項１９】
前記追加のダウンリンク制御情報が0個のリソースインジケータビットを備え、
前記第2のUCIが、無線リソース制御(RRC)構成に従って、短いアップリンク制御チャネル送信または長いアップリンク制御チャネル送信のいずれかにおいて送信される、請求項18に記載の方法。
【請求項２０】
前記追加のダウンリンク制御情報が少なくとも1つのリソースインジケータビットを備え、
前記少なくとも1つのリソースインジケータビットに少なくとも一部基づいて、短いアップリンク制御チャネル送信または長いアップリンク制御チャネル送信のいずれかにおいて前記第2のUCIが送信される、請求項18に記載の方法。
【請求項２１】
リソースインジケータビットの前記セットが、ダウンリンクグラントまたはアップリンクグラントにおいて受信され、
前記1つまたは複数のCCEの前記第1のCCEが、前記ダウンリンクグラントまたは前記アップリンクグラントのための初期のCCEを備える、請求項1に記載の方法。
【請求項２２】
前記アップリンク制御チャネルリソースが、物理アップリンク制御チャネル(PUCCH)リソースを備える、請求項1に記載の方法。
【請求項２３】
リソースインジケータビットの前記セットが、肯定応答リソースインジケータ(ARI)ビットのセットを備える、請求項1に記載の方法。
【請求項２４】
ワイヤレス通信のための方法であって、
割振りのためのアップリンク制御チャネルリソースを特定するステップと、
前記特定されたアップリンク制御チャネルリソースに少なくとも一部基づいてリソースインジケータビットのセットを決定するステップと、
送信のための1つまたは複数の制御チャネル要素(CCE)を選択するステップであって、前記1つまたは複数のCCEの第1のCCEおよびリソースインジケータビットの前記セットが前記アップリンク制御チャネルリソースを示す、ステップと、
前記1つまたは複数のCCEにおいてリソースインジケータビットの前記セットを送信するステップとを備える、方法。
【請求項２５】
リソースインジケータビットの前記セットが、アップリンク制御チャネルリソースセットを示し、前記第1のCCEが、前記アップリンク制御チャネルリソースセット内での相対的なアップリンク制御チャネルリソースインデックスを示す、請求項24に記載の方法。
【請求項２６】
前記第1のCCEが、アップリンク制御チャネルリソースセットを示し、リソースインジケータビットの前記セットが、前記アップリンク制御チャネルリソースセット内での相対的なアップリンク制御チャネルリソースインデックスを示す、請求項24に記載の方法。
【請求項２７】
リソースインジケータビットの前記セットがオフセット値を示し、前記第1のCCEと前記オフセット値の組合せが前記アップリンク制御チャネルリソースを示す、請求項24に記載の方法。
【請求項２８】
アグリゲーションレベルを選択するステップであって、前記アグリゲーションレベル、前記1つまたは複数のCCEの前記第1のCCE、およびリソースインジケータビットの前記セットが前記アップリンク制御チャネルリソースを示す、ステップと、
前記選択されたアグリゲーションレベルに少なくとも一部基づいて、前記1つまたは複数のCCEにおいてリソースインジケータビットの前記セットを送信するステップとをさらに備える、請求項24に記載の方法。
【請求項２９】
前記アップリンク制御チャネルリソースを介してアップリンク制御情報(UCI)を受信するステップをさらに備え、前記UCIが肯定応答(ACK)ペイロードを備える、請求項24に記載の方法。
【請求項３０】
1つまたは複数のアップリンク制御チャネルリソース上でブラインド検出プロセスを実行するステップをさらに備え、前記UCIが前記ブラインド検出プロセスに少なくとも一部基づいて受信される、請求項29に記載の方法。
【請求項３１】
ダウンリンク制御情報(DCI)において割当てインデックスビットのセットを送信するステップをさらに備え、割当てインデックスビットの前記セットが肯定応答(ACK)ペイロードサイズを示す、請求項24に記載の方法。
【請求項３２】
前記DCIのフォーマットが、割当てインデックスビットの前記セットに含めるべき割当てインデックスビットの数を示す、請求項31に記載の方法。
【請求項３３】
フルDCIフォーマットが、割当てインデックスビットの前記セットに含めるべき割当てインデックスビットの第1の数を示し、フォールバックDCIフォーマットが、割当てインデックスビットの前記セットに含めるべき割当てインデックスビットの第2の数を示し、割当てインデックスビットの前記第2の数が、割当てインデックスビットの前記第1の数より少ない、請求項31に記載の方法。
【請求項３４】
前記割振りのための短いアップリンク制御チャネル送信または長いアップリンク制御チャネル送信のいずれかを選択するステップと、
前記選択された短いアップリンク制御チャネル送信または長いアップリンク制御チャネル送信に少なくとも一部さらに基づいて、リソースインジケータビットの前記セットを決定するステップとをさらに備える、請求項24に記載の方法。
【請求項３５】
割振りのための第2のアップリンク制御チャネルリソースを特定するステップをさらに備える、請求項24に記載の方法。
【請求項３６】
前記特定された第2のアップリンク制御チャネルリソースに少なくとも一部基づいてリソースインジケータビットの第2のセットを決定するステップをさらに備え、リソースインジケータビットの前記第2のセットが前記第2のアップリンク制御チャネルリソースを示す、請求項35に記載の方法。
【請求項３７】
送信のためにCCEの第2のセットを選択するステップをさらに備え、CCEの前記第2のセットのうちのあるCCEが前記第2のアップリンク制御チャネルリソースを示す、請求項35に記載の方法。
【請求項３８】
少なくとも1つのリソースインジケータビットを決定するステップをさらに備え、前記少なくとも1つのリソースインジケータビットが、前記第2のアップリンク制御チャネルリソースのための短いアップリンク制御チャネル送信または長いアップリンク制御チャネル送信のいずれかを示す、請求項35に記載の方法。
【請求項３９】
リソースインジケータビットの前記セットが、ダウンリンクグラントまたはアップリンクグラントにおいて送信され、
前記1つまたは複数のCCEの前記第1のCCEが、前記ダウンリンクグラントまたは前記アップリンクグラントのための初期のCCEを備える、請求項24に記載の方法。
【請求項４０】
前記アップリンク制御チャネルリソースが、物理アップリンク制御チャネル(PUCCH)リソースを備える、請求項24に記載の方法。
【請求項４１】
リソースインジケータビットの前記セットが、肯定応答リソースインジケータ(ARI)ビットのセットを備える、請求項24に記載の方法。
【請求項４２】
ワイヤレス通信のための方法であって、
シンボルの第1のセットのための第1のリソース割当てを受信するステップと、
シンボルの第2のセットのための第2のリソース割当てを受信するステップであって、シンボルの前記第1のセットおよびシンボルの前記第2のセットがシンボルの重複するセットを備える、ステップと、
前記第1のリソース割当てのための第1のリソース、前記第2のリソース割当てのための第2のリソース、または両方を修正するステップと、
前記第1のリソース割当てに少なくとも一部基づいて第1の情報を送信するステップとを備える、方法。
【請求項４３】
前記第2のリソース割当てと関連付けられる第2の情報との前記第1の情報の結合符号化を実行するステップと、
前記結合符号化された第1の情報および第2の情報を送信するステップとをさらに備える、請求項42に記載の方法。
【請求項４４】
前記結合符号化された第1の情報および第2の情報が、前記第1のリソース割当てのための前記第1のリソースにおいて送信される、請求項43に記載の方法。
【請求項４５】
前記第1のリソース割当てのための前記第1のリソース、または前記第2のリソース割当てのための前記第2のリソースのいずれかに、シンボルの前記重複するセットの各シンボルを割り当てるステップと、
前記割当てに少なくとも一部基づいて、前記第2のリソース割当てと関連付けられる第2の情報を送信するステップとをさらに備える、請求項42に記載の方法。
【請求項４６】
シンボルの前記重複するセットに少なくとも一部基づいて、前記第2のリソース割当てと関連付けられる第2の情報の送信を避けるステップをさらに備える、請求項42に記載の方法。
【請求項４７】
シンボルの第3のセットのための第3のリソース割当てを受信するステップであって、シンボルの前記第3のセットがシンボルの前記重複するセットの少なくとも一部分を備える、ステップと、
前記第2のリソース割当てと関連付けられる第2の情報との前記第1の情報の結合符号化を実行するステップと、
前記結合符号化された第1の情報および第2の情報を前記第1のリソース割当てのための前記第1のリソースにおいて送信するステップと、
前記第3のリソース割当てに少なくとも一部基づいて、前記第3のリソース割当てと関連付けられる第3の情報を送信するステップとをさらに備える、請求項42に記載の方法。
【請求項４８】
前記第1のリソース割当ておよび前記第2のリソース割当てが、異なる長さのリソース割当てに対応する、請求項42に記載の方法。
【請求項４９】
前記第1のリソース割当て、前記第2のリソース割当て、または両方が、肯定応答(ACK)リソース割当て、スケジューリング要求(SR)リソース割当て、チャネル品質インジケータ(CQI)リソース割当て、チャネル状態情報(CSI)リソース割当て、またはこれらの組合せを備える、請求項42に記載の方法。
【請求項５０】
ワイヤレス通信のための装置であって、
プロセッサと、
前記プロセッサと電子的に通信しているメモリと、
前記メモリに記憶された命令とを備え、前記命令が、前記装置に、
1つまたは複数の制御チャネル要素(CCE)においてリソースインジケータビットのセットを受信させ、
リソースインジケータビットの前記セットに対する可能なビットの組合せが、利用可能なアップリンク制御チャネルリソースより少ないと決定させ、
前記決定に少なくとも一部基づいて、前記1つまたは複数のCCEの第1のCCEを特定させ、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択させ、
前記選択されたアップリンク制御チャネルリソースを使用して前記UCIを送信させる
ように前記プロセッサによって実行可能である、装置。
【請求項５１】
ワイヤレス通信のための装置であって、
プロセッサと、
前記プロセッサと電子的に通信しているメモリと、
前記メモリに記憶された命令とを備え、前記命令が、前記装置に、
割振りのためのアップリンク制御チャネルリソースを特定させ、
前記特定されたアップリンク制御チャネルリソースに少なくとも一部基づいてリソースインジケータビットのセットを決定させ、
送信のための1つまたは複数の制御チャネル要素(CCE)を選択させ、前記1つまたは複数のCCEの第1のCCEおよびリソースインジケータビットの前記セットが前記アップリンク制御チャネルリソースを示し、
前記1つまたは複数のCCEにおいてリソースインジケータビットの前記セットを送信させる
ように前記プロセッサによって実行可能である、装置。
【請求項５２】
ワイヤレス通信のための装置であって、
プロセッサと、
前記プロセッサと電子的に通信しているメモリと、
前記メモリに記憶された命令とを備え、前記命令が、前記装置に、
シンボルの第1のセットのための第1のリソース割当てを受信させ、
シンボルの第2のセットのための第2のリソース割当てを受信させ、シンボルの前記第1のセットおよびシンボルの前記第2のセットがシンボルの重複するセットを備え、
前記第1のリソース割当てのための第1のリソース、前記第2のリソース割当てのための第2のリソース、または両方を修正させ、
前記第1のリソース割当てに少なくとも一部基づいて第1の情報を送信させる
ように前記プロセッサによって実行可能である、装置。
【請求項５３】
ワイヤレス通信のための装置であって、
1つまたは複数の制御チャネル要素(CCE)においてリソースインジケータビットのセットを受信するための手段と、
リソースインジケータビットの前記セットのための可能なビットの組合せが、利用可能なアップリンク制御チャネルリソースより少ないと決定するための手段と、
前記決定に少なくとも一部基づいて、前記1つまたは複数のCCEの第1のCCEを特定するための手段と、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択するための手段と、
前記選択されたアップリンク制御チャネルリソースを使用して前記UCIを送信するための手段とを備える、装置。
【請求項５４】
前記アップリンク制御チャネルリソースを選択するための前記手段がさらに、
リソースインジケータビットの前記セットに少なくとも一部基づいて、アップリンク制御チャネルリソースセットを決定するための手段と、
前記第1のCCEに少なくとも一部基づいて相対的なアップリンク制御チャネルリソースインデックスを決定するための手段とを備え、前記選択されたアップリンク制御チャネルリソースが、前記アップリンク制御チャネルリソースセット内での前記相対的なアップリンク制御チャネルリソースインデックスに対応する、請求項53に記載の装置。
【請求項５５】
前記アップリンク制御チャネルリソースを選択するための前記手段がさらに、
前記第1のCCEに少なくとも一部基づいて、アップリンク制御チャネルリソースセットを決定するための手段と、
リソースインジケータビットの前記セットに少なくとも一部基づいて相対的なアップリンク制御チャネルリソースインデックスを決定するための手段とを備え、前記選択されたアップリンク制御チャネルリソースが、前記アップリンク制御チャネルリソースセット内での前記相対的なアップリンク制御チャネルリソースインデックスに対応する、請求項53に記載の装置。
【請求項５６】
前記アップリンク制御チャネルリソースを選択するための前記手段がさらに、
リソースインジケータビットの前記セットに少なくとも一部基づいて、オフセット値を決定するための手段と、
前記第1のCCEと前記決定されたオフセット値の組合せに少なくとも一部基づいて、前記アップリンク制御チャネルリソースを選択するための手段とを備える、請求項53に記載の装置。
【請求項５７】
前記アップリンク制御チャネルリソースを選択することがさらに、アグリゲーションレベルに少なくとも一部基づく、請求項53に記載の装置。
【請求項５８】
アップリンク制御チャネルリソースセット内でのアップリンク制御チャネルリソースインデックスをリソースの閾値と比較するための手段と、
前記アップリンク制御チャネルリソースセット内での前記アップリンク制御チャネルリソースインデックスがリソースの前記閾値より小さい場合、アグリゲーションレベルに少なくとも一部基づいて前記アップリンク制御チャネルリソースを選択すると決定するための手段とをさらに備える、請求項53に記載の装置。
【請求項５９】
前記UCIが、肯定応答(ACK)ペイロードサイズに従ってACKビットを備える、請求項53に記載の装置。
【請求項６０】
前記ACKペイロードサイズが、無線リソース制御(RRC)で構成されるACKペイロードサイズを備える、請求項59に記載の装置。
【請求項６１】
前記RRCで構成されるACKペイロードサイズに従って、前記ACKビットより少ないある数のダウンリンク共有チャネルを受信するための手段と、
前記ダウンリンク共有チャネルの復号された結果に対応するビット値のACKビットをACKペイロードへと挿入するための手段と、
前記RRCで構成されるACKペイロードサイズを取得するために、受信されていないダウンリンク共有チャネルに対応するデフォルトビット値のACKビットを前記ACKペイロードへと挿入するための手段とをさらに備える、請求項60に記載の装置。
【請求項６２】
ダウンリンク制御情報(DCI)において割当てインデックスビットを受信するための手段と、
前記割当てインデックスビットに少なくとも一部基づいて、前記RRCで構成されるACKペイロードサイズを使用するかどうかを決定するための手段とをさらに備える、請求項60に記載の装置。
【請求項６３】
ダウンリンク制御情報(DCI)において割当てインデックスビットのセットを受信するための手段と、
割当てインデックスビットの前記セットに少なくとも一部基づいて前記ACKペイロードサイズを決定するための手段とをさらに備える、請求項59に記載の装置。
【請求項６４】
前記DCIが、前記DCIのフォーマットに少なくとも一部基づいてある数の割当てインデックスビットを備える、請求項63に記載の装置。
【請求項６５】
フルDCIフォーマットが、第1の数の割当てインデックスビットに対応し、フォールバックDCIフォーマットが、前記第1の数の割当てインデックスビットより少ない第2の数の割当てインデックスビットに対応する、請求項62に記載の装置。
【請求項６６】
第1の送信時間間隔(TTI)における第1のダウンリンク制御チャネル送信、第2のTTIにおける第2のダウンリンク制御チャネル送信、または両方を受信するための手段と、
前記第1のダウンリンク制御チャネル送信、前記第2のダウンリンク制御チャネル送信、または両方を受信したことに少なくとも一部基づいて、前記ACKペイロードサイズ、ACKビットリソース、または両方を決定するための手段とをさらに備える、請求項59に記載の装置。
【請求項６７】
前記UCIが、無線リソース制御(RRC)構成に従って、短いアップリンク制御チャネル送信または長いアップリンク制御チャネル送信のいずれかにおいて送信される、請求項53に記載の装置。
【請求項６８】
リソースインジケータビットの前記セットに少なくとも一部基づいて、短いアップリンク制御チャネル送信または長いアップリンク制御チャネル送信のいずれかにおいて前記UCIを送信することを決定するための手段をさらに備える、請求項53に記載の装置。
【請求項６９】
CCEの第2のセットにおいてリソースインジケータビットの第2のセットを受信するための手段と、
リソースインジケータビットの前記第2のセットのための更新された可能なビットの組合せが、更新された利用可能なアップリンク制御チャネルリソース以上であると決定するための手段と、
リソースインジケータビットの前記第2のセットに少なくとも一部基づいて、第2のUCI送信のための第2のアップリンク制御チャネルリソースを選択するための手段とをさらに備え、前記第2のアップリンク制御チャネルリソースを選択することが、リソースインジケータビットの前記第2のセットに対する前記更新された可能なビットの組合せが前記更新された利用可能なアップリンク制御チャネルリソース以上であると決定したことに従って、CCEの前記第2のセットの第1のCCEに少なくとも一部基づかない、請求項53に記載の装置。
【請求項７０】
CCEの第2のセットにおいて追加のダウンリンク制御情報を受信するための手段と、
前記追加のダウンリンク制御情報がビットの閾値より少ないリソースインジケータビットを備えると決定するための手段と、
CCEの前記第2のセットのうちのあるCCEに少なくとも一部基づいて、第2のUCI送信のための第2のアップリンク制御チャネルリソースを選択するための手段であって、前記第2のアップリンク制御チャネルリソースを選択することが、前記追加のダウンリンク制御情報がビットの前記閾値より少ないリソースインジケータビットを備えると決定したことに少なくとも一部基づく、手段と、
前記選択された第2のアップリンク制御チャネルリソースを使用して前記第2のUCIを送信するための手段とをさらに備える、請求項53に記載の装置。
【請求項７１】
前記追加のダウンリンク制御情報が0個のリソースインジケータビットを備え、
前記第2のUCIが、無線リソース制御(RRC)構成に従って、短いアップリンク制御チャネル送信または長いアップリンク制御チャネル送信のいずれかにおいて送信される、請求項70に記載の装置。
【請求項７２】
前記追加のダウンリンク制御情報が少なくとも1つのリソースインジケータビットを備え、
前記少なくとも1つのリソースインジケータビットに少なくとも一部基づいて、短いアップリンク制御チャネル送信または長いアップリンク制御チャネル送信のいずれかにおいて前記第2のUCIが送信される、請求項70に記載の装置。
【請求項７３】
リソースインジケータビットの前記セットが、ダウンリンクグラントまたはアップリンクグラントにおいて受信され、
前記1つまたは複数のCCEの前記第1のCCEが、前記ダウンリンクグラントまたは前記アップリンクグラントのための初期のCCEを備える、請求項53に記載の装置。
【請求項７４】
前記アップリンク制御チャネルリソースが、物理アップリンク制御チャネル(PUCCH)リソースを備える、請求項53に記載の装置。
【請求項７５】
リソースインジケータビットの前記セットが、肯定応答リソースインジケータ(ARI)ビットのセットを備える、請求項53に記載の装置。
【請求項７６】
ワイヤレス通信のための装置であって、
割振りのためのアップリンク制御チャネルリソースを特定するための手段と、
前記特定されたアップリンク制御チャネルリソースに少なくとも一部基づいてリソースインジケータビットのセットを決定するための手段と、
送信のための1つまたは複数の制御チャネル要素(CCE)を選択するための手段であって、前記1つまたは複数のCCEの第1のCCEおよびリソースインジケータビットの前記セットが前記アップリンク制御チャネルリソースを示す、手段と、
前記1つまたは複数のCCEにおいてリソースインジケータビットの前記セットを送信するための手段とを備える、装置。
【請求項７７】
リソースインジケータビットの前記セットが、アップリンク制御チャネルリソースセットを示し、前記第1のCCEが、前記アップリンク制御チャネルリソースセット内での相対的なアップリンク制御チャネルリソースインデックスを示す、請求項76に記載の装置。
【請求項７８】
前記第1のCCEが、アップリンク制御チャネルリソースセットを示し、リソースインジケータビットの前記セットが、前記アップリンク制御チャネルリソースセット内での相対的なアップリンク制御チャネルリソースインデックスを示す、請求項76に記載の装置。
【請求項７９】
リソースインジケータビットの前記セットがオフセット値を示し、前記第1のCCEと前記オフセット値の組合せが前記アップリンク制御チャネルリソースを示す、請求項76に記載の装置。
【請求項８０】
アグリゲーションレベルを選択するための手段であって、前記アグリゲーションレベル、前記1つまたは複数のCCEの前記第1のCCE、およびリソースインジケータビットの前記セットが前記アップリンク制御チャネルリソースを示す、手段と、
前記選択されたアグリゲーションレベルに少なくとも一部基づいて、前記1つまたは複数のCCEにおいてリソースインジケータビットの前記セットを送信するための手段とをさらに備える、請求項76に記載の装置。
【請求項８１】
前記アップリンク制御チャネルリソースを介してアップリンク制御情報(UCI)を受信するための手段をさらに備え、前記UCIが肯定応答(ACK)ペイロードを備える、請求項76に記載の装置。
【請求項８２】
1つまたは複数のアップリンク制御チャネルリソース上でブラインド検出プロセスを実行するための手段をさらに備え、前記UCIが前記ブラインド検出プロセスに少なくとも一部基づいて受信される、請求項81に記載の装置。
【請求項８３】
ダウンリンク制御情報(DCI)において割当てインデックスビットのセットを送信するための手段をさらに備え、割当てインデックスビットの前記セットが肯定応答(ACK)ペイロードサイズを示す、請求項76に記載の装置。
【請求項８４】
前記DCIのフォーマットが、割当てインデックスビットの前記セットに含めるべき割当てインデックスビットの数を示す、請求項83に記載の装置。
【請求項８５】
フルDCIフォーマットが、割当てインデックスビットの前記セットに含めるべき割当てインデックスビットの第1の数を示し、フォールバックDCIフォーマットが、割当てインデックスビットの前記セットに含めるべき割当てインデックスビットの第2の数を示し、割当てインデックスビットの前記第2の数が、割当てインデックスビットの前記第1の数より少ない、請求項82に記載の装置。
【請求項８６】
前記割振りのための短いアップリンク制御チャネル送信または長いアップリンク制御チャネル送信のいずれかを選択するための手段と、
前記選択された短いアップリンク制御チャネル送信または長いアップリンク制御チャネル送信に少なくとも一部さらに基づいて、リソースインジケータビットの前記セットを決定するための手段とをさらに備える、請求項76に記載の装置。
【請求項８７】
割振りのための第2のアップリンク制御チャネルリソースを特定するための手段をさらに備える、請求項76に記載の装置。
【請求項８８】
前記特定された第2のアップリンク制御チャネルリソースに少なくとも一部基づいてリソースインジケータビットの第2のセットを決定するための手段をさらに備え、リソースインジケータビットの前記第2のセットが前記第2のアップリンク制御チャネルリソースを示す、請求項87に記載の装置。
【請求項８９】
送信のためにCCEの第2のセットを選択するための手段をさらに備え、CCEの前記第2のセットのうちのあるCCEが前記第2のアップリンク制御チャネルリソースを示す、請求項87に記載の装置。
【請求項９０】
少なくとも1つのリソースインジケータビットを決定するための手段をさらに備え、前記少なくとも1つのリソースインジケータビットが、前記第2のアップリンク制御チャネルリソースのための短いアップリンク制御チャネル送信または長いアップリンク制御チャネル送信のいずれかを示す、請求項87に記載の装置。
【請求項９１】
リソースインジケータビットの前記セットが、ダウンリンクグラントまたはアップリンクグラントにおいて送信され、
前記1つまたは複数のCCEの前記第1のCCEが、前記ダウンリンクグラントまたは前記アップリンクグラントのための初期のCCEを備える、請求項76に記載の装置。
【請求項９２】
前記アップリンク制御チャネルリソースが、物理アップリンク制御チャネル(PUCCH)リソースを備える、請求項76に記載の装置。
【請求項９３】
リソースインジケータビットの前記セットが、肯定応答リソースインジケータ(ARI)ビットのセットを備える、請求項76に記載の装置。
【請求項９４】
ワイヤレス通信のための装置であって、
シンボルの第1のセットのための第1のリソース割当てを受信するための手段と、
シンボルの第2のセットのための第2のリソース割当てを受信するための手段であって、シンボルの前記第1のセットおよびシンボルの前記第2のセットがシンボルの重複するセットを備える、手段と、
前記第1のリソース割当てのための第1のリソース、前記第2のリソース割当てのための第2のリソース、または両方を修正するための手段と、
前記第1のリソース割当てに少なくとも一部基づいて第1の情報を送信するための手段とを備える、装置。
【請求項９５】
前記第2のリソース割当てと関連付けられる第2の情報との前記第1の情報の結合符号化を実行するための手段と、
前記結合符号化された第1の情報および第2の情報を送信するための手段とをさらに備える、請求項94に記載の装置。
【請求項９６】
前記結合符号化された第1の情報および第2の情報が、前記第1のリソース割当てのための前記第1のリソースにおいて送信される、請求項95に記載の装置。
【請求項９７】
前記第1のリソース割当てのための前記第1のリソース、または前記第2のリソース割当てのための前記第2のリソースのいずれかに、シンボルの前記重複するセットの各シンボルを割り当てるための手段と、
前記割当てに少なくとも一部基づいて、前記第2のリソース割当てと関連付けられる第2の情報を送信するための手段とをさらに備える、請求項94に記載の装置。
【請求項９８】
シンボルの前記重複するセットに少なくとも一部基づいて、前記第2のリソース割当てと関連付けられる第2の情報の送信を避けるための手段をさらに備える、請求項94に記載の装置。
【請求項９９】
シンボルの第3のセットのための第3のリソース割当てを受信するための手段であって、シンボルの前記第3のセットがシンボルの前記重複するセットの少なくとも一部分を備える、手段と、
前記第2のリソース割当てと関連付けられる第2の情報との前記第1の情報の結合符号化を実行するための手段と、
前記結合符号化された第1の情報および第2の情報を前記第1のリソース割当てのための前記第1のリソースにおいて送信するための手段と、
前記第3のリソース割当てに少なくとも一部基づいて、前記第3のリソース割当てと関連付けられる第3の情報を送信するための手段とをさらに備える、請求項94に記載の装置。
【請求項１００】
前記第1のリソース割当ておよび前記第2のリソース割当てが、異なる長さのリソース割当てに対応する、請求項94に記載の装置。
【請求項１０１】
前記第1のリソース割当て、前記第2のリソース割当て、または両方が、肯定応答(ACK)リソース割当て、スケジューリング要求(SR)リソース割当て、チャネル品質インジケータ(CQI)リソース割当て、チャネル状態情報(CSI)リソース割当て、またはこれらの組合せを備える、請求項94に記載の装置。
【請求項１０２】
ワイヤレス通信のためのコードを記憶している非一時的コンピュータ可読記憶媒体であって、前記コードが、
1つまたは複数の制御チャネル要素(CCE)においてリソースインジケータビットのセットを受信し、
リソースインジケータビットの前記セットに対する可能なビットの組合せが、利用可能なアップリンク制御チャネルリソースより少ないと決定し、
前記決定に少なくとも一部基づいて、前記1つまたは複数のCCEの第1のCCEを特定し、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択し、
前記選択されたアップリンク制御チャネルリソースを使用して前記UCIを送信する
ようにプロセッサによって実行可能な命令を備える、非一時的コンピュータ可読記憶媒体。
【請求項１０３】
ワイヤレス通信のためのコードを記憶している非一時的コンピュータ可読記憶媒体であって、前記コードが、
割振りのためのアップリンク制御チャネルリソースを特定し、
前記特定されたアップリンク制御チャネルリソースに少なくとも一部基づいてリソースインジケータビットのセットを決定し、
送信のための1つまたは複数の制御チャネル要素(CCE)を選択し、前記1つまたは複数のCCEの第1のCCEおよびリソースインジケータビットの前記セットが前記アップリンク制御チャネルリソースを示し、
前記1つまたは複数のCCEにおいてリソースインジケータビットの前記セットを送信する
ようにプロセッサによって実行可能な命令を備える、非一時的コンピュータ可読記憶媒体。
【請求項１０４】
ワイヤレス通信のためのコードを記憶している非一時的コンピュータ可読記憶媒体であって、前記コードが、
シンボルの第1のセットのための第1のリソース割当てを受信し、
シンボルの第2のセットのための第2のリソース割当てを受信し、シンボルの前記第1のセットおよびシンボルの前記第2のセットがシンボルの重複するセットを備え、
前記第1のリソース割当てのための第1のリソース、前記第2のリソース割当てのための第2のリソース、または両方を修正し、
前記第1のリソース割当てに少なくとも一部基づいて第1の情報を送信する
ようにプロセッサによって実行可能な命令を備える、非一時的コンピュータ可読記憶媒体。
【発明の詳細な説明】
【技術分野】
【０００１】
相互参照
本特許出願は、2018年11月13日に出願された「Uplink Control Channel Resource Allocation for New Radio (NR)」という表題のWang他による米国特許出願第16/188,912号、および2017年11月16日に出願された「Uplink Control Channel Resource Allocation for New Radio (NR)」という表題のWang他による米国仮特許出願第62/587,464号の優先権を主張し、これらの各々が、本出願の譲受人に譲渡され、本明細書において参照によって明確に組み込まれる。
【０００２】
以下は、全般にワイヤレス通信に関し、より詳細には、ニューラジオ(NR)のためのアップリンク制御チャネルリソース割振りに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することにより、複数のユーザとの通信をサポートすることが可能であり得る。そのような多元接続システムの例には、Long-Term Evolution(LTE)システムまたはLTE-Advanced(LTE-A)システムなどの第4世代(4G)システム、およびNRシステムと呼ばれることがある第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換拡散直交周波数分割多重化(DFT-S-OFDM)などの技術を利用し得る。ワイヤレス多元接続通信システムは、場合によってはユーザ機器(UE)として知られている複数の通信デバイスのための通信を各々が同時にサポートする、いくつかの基地局またはネットワークアクセスノードを含み得る。
【０００４】
いくつかのワイヤレス通信システム(たとえば、NRシステム)では、基地局は多数(たとえば、数百個)のUEにサービスし得る。システム内で動作するこの多数のUEは、割り当てられるリソースのコリジョンをもたらし得る。加えて、基地局は、リソース割当てを示すために固定された数のビットを利用することがあり、UEに示すことができるリソースの数が制限される。
【発明の概要】
【課題を解決するための手段】
【０００５】
説明される技法は、ニューラジオ(NR)システムのためのアップリンク制御チャネルリソース割振りをサポートする、改善された方法、システム、デバイス、または装置に関する。一般に、説明される技法は、割り振られるリソースのコリジョンを減らし、または避けるために、明示的なリソースマッピング、暗黙的なリソースマッピング、または両方を使用してアップリンク制御チャネルリソースを割り振ることを可能にする。加えて、説明される技法は、生じるリソースのコリジョンに対処して、送信のための肯定応答(ACK)ペイロードサイズを決定することを可能にし得る。いくつかのシステム(たとえば、NRワイヤレス通信システム)では、基地局は多数のユーザ機器(UE)にサービスし得る。基地局は、明示的なリソースマッピングおよび暗黙的なリソースマッピングを実施することによって、限られた数のビットを使用してアップリンク制御チャネルリソースをUEに割り振り得る。明示的なマッピングは、ビットの受信されたセットに基づいていくつかの示されるリソースを決定することを伴うことがあり、暗黙的なマッピングは、送信の特性からリソース指示(たとえば、ダウンリンク制御情報(DCI)送信のための開始制御チャネル要素(CCE))を決定することを伴い得る。UEは、2つのタイプの指示の組合せに基づいて、送信のための割り振られるアップリンク制御チャネルリソースを決定し得る。いくつかの場合、UEのためのアップリンク制御チャネルリソースを示すこととともに、基地局は、ACK送信のために使用すべき、UEに対するACKペイロードサイズを示し得る。加えて、または代わりに、UEは、競合するリソース割振り(たとえば、ACKリソース割振り、チャネル品質インジケータ(CQI)リソース割振り、スケジューリング要求(SR)リソース割振り、または任意の他のタイプのリソース割振り)に対処するための1つまたは複数の技法を実施し得る。
【０００６】
ワイヤレス通信の方法が説明される。方法は、1つまたは複数のCCEにおいてリソースインジケータビットのセットを受信するステップと、リソースインジケータビットのセットに対する可能なビットの組合せが利用可能なアップリンク制御チャネルリソースより少ないと決定するステップと、この決定に少なくとも一部基づいて1つまたは複数のCCEの第1のCCEを特定するステップとを含み得る。方法はさらに、リソースインジケータビットのセットおよび1つまたは複数のCCEの第1のCCEに少なくとも一部基づいて、アップリンク制御情報(UCI)送信のためのアップリンク制御チャネルリソースを選択するステップと、選択されたアップリンク制御チャネルリソースを使用してUCIを送信するステップとを含み得る。
【０００７】
ワイヤレス通信のための装置が説明される。装置は、1つまたは複数のCCEにおいてリソースインジケータビットのセットを受信するための手段と、リソースインジケータビットのセットに対する可能なビットの組合せが利用可能なアップリンク制御チャネルリソースより少ないと決定するための手段と、この決定に少なくとも一部基づいて1つまたは複数のCCEの第1のCCEを特定するための手段とを含み得る。装置はさらに、リソースインジケータビットのセットおよび1つまたは複数のCCEの第1のCCEに少なくとも一部基づいて、UCI送信のためのアップリンク制御チャネルリソースを選択するための手段と、選択されたアップリンク制御チャネルリソースを使用してUCIを送信するための手段とを含み得る。
【０００８】
ワイヤレス通信のための別の装置が説明される。装置は、プロセッサと、プロセッサと電子的に通信しているメモリと、メモリに記憶された命令とを含み得る。命令は、プロセッサに、1つまたは複数のCCEにおいてリソースインジケータビットのセットを受信させ、リソースインジケータビットのセットに対する可能なビットの組合せが利用可能なアップリンク制御チャネルリソースより少ないと決定させ、この決定に少なくとも一部基づいて1つまたは複数のCCEの第1のCCEを特定させるように動作可能であり得る。命令はさらに、リソースインジケータビットのセットおよび1つまたは複数のCCEの第1のCCEに少なくとも一部基づいて、UCI送信のためのアップリンク制御チャネルリソースを選択し、選択されたアップリンク制御チャネルリソースを使用してUCIを送信するように、プロセッサによって動作可能であり得る。
【０００９】
ワイヤレス通信のための非一時的コンピュータ可読媒体が説明される。非一時的コンピュータ可読媒体は、プロセッサに、1つまたは複数のCCEにおいてリソースインジケータビットのセットを受信させ、リソースインジケータビットのセットに対する可能なビットの組合せが利用可能なアップリンク制御チャネルリソースより少ないと決定させ、この決定に少なくとも一部基づいて1つまたは複数のCCEの第1のCCEを特定させるように動作可能な命令を含み得る。命令はさらに、リソースインジケータビットのセットおよび1つまたは複数のCCEの第1のCCEに少なくとも一部基づいて、UCI送信のためのアップリンク制御チャネルリソースを選択し、選択されたアップリンク制御チャネルリソースを使用してUCIを送信するように、プロセッサによって動作可能であり得る。
【００１０】
上で説明された方法、装置、および非一時的コンピュータ可読媒体のいくつかの例では、アップリンク制御チャネルリソースを選択することは、リソースインジケータビットのセットに少なくとも一部基づいてアップリンク制御チャネルリソースセットを決定することを伴う。上で説明された方法、装置、および非一時的コンピュータ可読媒体のいくつかの例はさらに、第1のCCEに少なくとも一部基づいて相対的なアップリンク制御チャネルリソースインデックスを決定するためのプロセス、特徴、手段、または命令を含むことがあり、選択されたアップリンク制御チャネルリソースは、アップリンク制御チャネルリソースセット内での相対的なアップリンク制御チャネルリソースインデックスに対応する。
【００１１】
上で説明された方法、装置、および非一時的コンピュータ可読媒体のいくつかの例では、アップリンク制御チャネルリソースを選択することは、第1のCCEに少なくとも一部基づいてアップリンク制御チャネルリソースセットを決定することを伴う。上で説明された方法、装置、および非一時的コンピュータ可読媒体のいくつかの例はさらに、リソースインジケータビットのセットに少なくとも一部基づいて相対的なアップリンク制御チャネルリソースインデックスを決定するためのプロセス、特徴、手段、または命令を含むことがあり、選択されたアップリンク制御チャネルリソースは、アップリンク制御チャネルリソースセット内での相対的なアップリンク制御チャネルリソースインデックスに対応する。
【００１２】
上で説明された方法、装置、および非一時的コンピュータ可読媒体のいくつかの例では、アップリンク制御チャネルリソースを選択することは、リソースインジケータビットのセットに少なくとも一部基づいてオフセット値を決定することを伴う。上で説明された方法、装置、および非一時的コンピュータ可読媒体のいくつかの例はさらに、第1のCCEおよび決定されたオフセット値の組合せに少なくとも一部基づいてアップリンク制御チャネルリソースを選択するためのプロセス、特徴、手段、または命令を含み得る。
【００１３】
上で説明された方法、装置、および非一時的コンピュータ可読媒体のいくつかの例では、アップリンク制御チャネルリソースを選択することはさらに、アグリゲーションレベルに少なくとも一部基づき得る。
【００１４】
上で説明された方法、装置、および非一時的コンピュータ可読媒体のいくつかの例はさらに、アップリンク制御チャネルリソースセット内でのアップリンク制御チャネルリソースインデックスをリソースの閾値と比較するためのプロセス、特徴、手段、または命令を含み得る。上で説明された方法、装置、および非一時的コンピュータ可読媒体のいくつかの例はさらに、アップリンク制御チャネルリソースセット内でのアップリンク制御チャネルリソースインデックスがリソースの閾値より少ない可能性がある場合、アグリゲーションレベルに少なくとも一部基づいてアップリンク制御チャネルリソースを選択することを決定するためのプロセス、特徴、手段、または命令を含み得る。
【００１５】
上で説明された方法、装置、および非一時的コンピュータ可読媒体のいくつかの例では、UCIはACKペイロードサイズに従ってACKビットを含む。
【００１６】
上で説明された方法、装置、および非一時的コンピュータ可読媒体のいくつかの例では、ACKペイロードサイズは、無線リソース制御(RRC)で構成されるACKペイロードサイズの例である。
【００１７】
上で説明された方法、装置、および非一時的コンピュータ可読媒体のいくつかの例はさらに、RRCで構成されたACKペイロードサイズに従って、ACKビットより少ない可能性がある、ある数のダウンリンク共有チャネルを受信するためのプロセス、特徴、手段、または命令を含み得る。上で説明された方法、装置、および非一時的コンピュータ可読媒体のいくつかの例はさらに、ダウンリンク共有チャネルの復号された結果に対応するビット値のACKビットをACKペイロードへと挿入するためのプロセス、特徴、手段、または命令を含み得る。上で説明された方法、装置、および非一時的コンピュータ可読媒体のいくつかの例はさらに、RRCで構成されたACKペイロードサイズを取得するために、受信されていないダウンリンク共有チャネルに対応するデフォルトビット値のACKビットをACKペイロードへと挿入するためのプロセス、特徴、手段、または命令を含み得る。
【００１８】
上で説明された方法、装置、および非一時的コンピュータ可読媒体のいくつかの例はさらに、DCIにおいて割当てインデックスビットを受信するためのプロセス、特徴、手段、または命令を含み得る。上で説明された方法、装置、および非一時的コンピュータ可読媒体のいくつかの例はさらに、割当てインデックスビットに少なくとも一部基づいてACKペイロードサイズを決定するためのプロセス、特徴、手段、または命令を含み得る。
【００１９】
上で説明された方法、装置、および非一時的コンピュータ可読媒体のいくつかの例はさらに、DCIにおいて割当てインデックスビットのセットを受信するためのプロセス、特徴、手段、または命令を含み得る。上で説明された方法、装置、および非一時的コンピュータ可読媒体のいくつかの例はさらに、割当てインデックスビットのセットに少なくとも一部基づいてACKペイロードサイズを決定するためのプロセス、特徴、手段、または命令を含み得る。上で説明された方法、装置、および非一時的コンピュータ可読媒体のいくつかの例では、DCIは、DCIのフォーマットに少なくとも一部基づいて、ある数の割当てインデックスビットを含む。たとえば、上で説明された方法、装置、および非一時的コンピュータ可読媒体のいくつかの例では、フルDCIフォーマットは第1の数の割当てインデックスビットに対応し、フォールバックDCIフォーマットは、第1の数の割当てインデックスビットより少ない第2の数の割当てインデックスビットに対応する。
【００２０】
上で説明された方法、装置、および非一時的コンピュータ可読媒体のいくつかの例はさらに、第1の送信時間間隔(TTI)における第1のダウンリンク制御チャネル送信、第2のTTIにおける第2のダウンリンク制御チャネル送信、または両方を受信するためのプロセス、特徴、手段、または命令を含み得る。上で説明された方法、装置、および非一時的コンピュータ可読媒体のいくつかの例はさらに、第1のダウンリンク制御チャネル送信、第2のダウンリンク制御チャネル送信、または両方を受信したことに少なくとも一部基づいて、ACKペイロードサイズ、ACKビットリソース、または両方を決定するためのプロセス、特徴、手段、または命令を含み得る。
【００２１】
上で説明された方法、装置、および非一時的コンピュータ可読媒体のいくつかの例では、UCIは、RRC構成に従って、短いアップリンク制御チャネル送信または長いアップリンク制御チャネル送信のいずれかにおいて送信され得る。
【００２２】
上で説明された方法、装置、および非一時的コンピュータ可読媒体のいくつかの例はさらに、リソースインジケータビットのセットに少なくとも一部基づいて、短いアップリンク制御チャネル送信または長いアップリンク制御チャネル送信のいずれかにおいてUCIを送信することを決定するためのプロセス、特徴、手段、または命令を含み得る。
【００２３】
上で説明された方法、装置、および非一時的コンピュータ可読媒体のいくつかの例はさらに、CCEの第2のセットにおいてリソースインジケータビットの第2のセットを受信するためのプロセス、特徴、手段、または命令を含み得る。上で説明された方法、装置、および非一時的コンピュータ可読媒体のいくつかの例はさらに、リソースインジケータビットの第2のセットに対する更新された可能なビットの組合せが更新された利用可能なアップリンク制御チャネルリソース以上であり得ると決定するためのプロセス、特徴、手段、または命令を含み得る。上で説明された方法、装置、および非一時的コンピュータ可読媒体のいくつかの例はさらに、リソースインジケータビットの第2のセットに少なくとも一部基づいて、第2のUCI送信のための第2のアップリンク制御チャネルリソースを選択するためのプロセス、特徴、手段、または命令を含むことがあり、第2のアップリンク制御チャネルリソースを選択することは、リソースインジケータビットの第2のセットのための更新された可能なビットの組合せが更新された利用可能なアップリンク制御チャネルリソース以上であり得ると決定したことに従って、CCEの第2のセットの第1のCCEに少なくとも一部基づかないことがある。
【００２４】
上で説明された方法、装置、および非一時的コンピュータ可読媒体のいくつかの例はさらに、CCEの第2のセットにおいて追加のダウンリンク制御情報を受信するためのプロセス、特徴、手段、または命令を含み得る。上で説明された方法、装置、および非一時的コンピュータ可読媒体のいくつかの例はさらに、ビットの閾値より少ないリソースインジケータビットを追加のダウンリンク制御情報が含むと決定するためのプロセス、特徴、手段、または命令を含み得る。上で説明された方法、装置、および非一時的コンピュータ可読媒体のいくつかの例はさらに、CCEの第2のセットのうちのあるCCEに少なくとも一部基づいて、第2のUCI送信のための第2のアップリンク制御チャネルリソースを選択するためのプロセス、特徴、手段、または命令を含むことがあり、第2のアップリンク制御チャネルリソースを選択することは、追加のダウンリンク制御情報がビットの閾値より少ないリソースインジケータビットを含むと決定したことに少なくとも一部基づくことがある。上で説明された方法、装置、および非一時的コンピュータ可読媒体のいくつかの例はさらに、選択された第2のアップリンク制御チャネルリソースを使用して第2のUCIを送信するためのプロセス、特徴、手段、または命令を含み得る。
【００２５】
上で説明された方法、装置、および非一時的コンピュータ可読媒体のいくつかの例では、追加のダウンリンク制御情報は0個のリソースインジケータビットを含む。上で説明された方法、装置、および非一時的コンピュータ可読媒体のいくつかの例では、第2のUCIは、RRC構成に従って、短いアップリンク制御チャネル送信または長いアップリンク制御チャネル送信のいずれかにおいて送信され得る。
【００２６】
上で説明された方法、装置、および非一時的コンピュータ可読媒体のいくつかの例では、追加のダウンリンク制御情報は少なくとも1つのリソースインジケータビットを含む。上で説明された方法、装置、および非一時的コンピュータ可読媒体のいくつかの例では、第2のUCIは、少なくとも1つのリソースインジケータビットに少なくとも一部基づいて、短いアップリンク制御チャネル送信または長いアップリンク制御チャネル送信のいずれかにおいて送信され得る。
【００２７】
上で説明された方法、装置、および非一時的コンピュータ可読媒体のいくつかの例では、リソースインジケータビットのセットは、ダウンリンクグラントまたはアップリンクグラントにおいて受信され得る。上で説明された方法、装置、および非一時的コンピュータ可読媒体のいくつかの例では、1つまたは複数のCCEの第1のCCEは、ダウンリンクグラントまたはアップリンクグラントのための初期のCCEの例である。
【００２８】
上で説明された方法、装置、および非一時的コンピュータ可読媒体のいくつかの例では、アップリンク制御チャネルリソースは、物理アップリンク制御チャネル(PUCCH)リソースの例である。上で説明された方法、装置、および非一時的コンピュータ可読媒体のいくつかの例では、リソースインジケータビットのセットは、肯定応答リソースインジケータ(ARI)ビットのセットを含む。
【００２９】
ワイヤレス通信の方法が説明される。方法は、割振りのためのアップリンク制御チャネルリソースを特定するステップと、特定されたアップリンク制御チャネルリソースに少なくとも一部基づいてリソースインジケータビットのセットを決定するステップと、送信のための1つまたは複数のCCEを選択するステップであって、1つまたは複数のCCEの第1のCCEおよびリソースインジケータビットのセットがアップリンク制御チャネルリソースを示す、ステップと、1つまたは複数のCCEにおいてリソースインジケータビットのセットを送信するステップとを含み得る。
【００３０】
ワイヤレス通信のための装置が説明される。装置は、割振りのためのアップリンク制御チャネルリソースを特定するための手段と、特定されたアップリンク制御チャネルリソースに少なくとも一部基づいてリソースインジケータビットのセットを決定するための手段と、送信のための1つまたは複数のCCEを選択するための手段であって、1つまたは複数のCCEの第1のCCEおよびリソースインジケータビットのセットがアップリンク制御チャネルリソースを示す、手段と、1つまたは複数のCCEにおいてリソースインジケータビットのセットを送信するための手段とを含み得る。
【００３１】
ワイヤレス通信のための別の装置が説明される。装置は、プロセッサと、プロセッサと電子的に通信しているメモリと、メモリに記憶された命令とを含み得る。命令は、プロセッサに、割振りのためのアップリンク制御チャネルリソースを特定させ、特定されたアップリンク制御チャネルリソースに少なくとも一部基づいてリソースインジケータビットのセットを決定させ、送信のための1つまたは複数のCCEを選択させ、1つまたは複数のCCEの第1のCCEおよびリソースインジケータビットのセットがアップリンク制御チャネルリソースを示し、1つまたは複数のCCEにおいてリソースインジケータビットのセットを送信させるように動作可能であり得る。
【００３２】
ワイヤレス通信のための非一時的コンピュータ可読媒体が説明される。非一時的コンピュータ可読媒体は、プロセッサに、割振りのためのアップリンク制御チャネルリソースを特定させ、特定されたアップリンク制御チャネルリソースに少なくとも一部基づいてリソースインジケータビットのセットを決定させ、送信のための1つまたは複数のCCEを選択させ、1つまたは複数のCCEの第1のCCEおよびリソースインジケータビットのセットがアップリンク制御チャネルリソースを示し、1つまたは複数のCCEにおいてリソースインジケータビットのセットを送信させるように動作可能な命令を含み得る。
【００３３】
上で説明された方法、装置、および非一時的コンピュータ可読媒体のいくつかの例では、リソースインジケータビットのセットは、アップリンク制御チャネルリソースセットを示し、第1のCCEは、アップリンク制御チャネルリソースセット内での相対的なアップリンク制御チャネルリソースインデックスを示す。
【００３４】
上で説明された方法、装置、および非一時的コンピュータ可読媒体のいくつかの例では、第1のCCEは、アップリンク制御チャネルリソースセットを示し、リソースインジケータビットのセットは、アップリンク制御チャネルリソースセット内での相対的なアップリンク制御チャネルリソースインデックスを示す。
【００３５】
上で説明された方法、装置、および非一時的コンピュータ可読媒体のいくつかの例では、リソースインジケータビットのセットがオフセット値を示し、第1のCCEとオフセット値の組合せがアップリンク制御チャネルリソースを示す。
【００３６】
上で説明された方法、装置、および非一時的コンピュータ可読媒体のいくつかの例はさらに、アグリゲーションレベルを選択するためのプロセス、特徴、手段、または命令を含むことがあり、アグリゲーションレベル、1つまたは複数のCCEの第1のCCE、およびリソースインジケータビットのセットは、アップリンク制御チャネルリソースを示す。上で説明された方法、装置、および非一時的コンピュータ可読媒体のいくつかの例はさらに、選択されたアグリゲーションレベルに少なくとも一部基づいて、1つまたは複数のCCEにおいてリソースインジケータビットのセットを送信するためのプロセス、特徴、手段、または命令を含み得る。
【００３７】
上で説明された方法、装置、および非一時的コンピュータ可読媒体のいくつかの例はさらに、アップリンク制御チャネルリソースを介してUCIを受信するためのプロセス、特徴、手段、または命令を含むことがあり、UCIはACKペイロードを含む。
【００３８】
上で説明された方法、装置、および非一時的コンピュータ可読媒体のいくつかの例はさらに、1つまたは複数のアップリンク制御チャネルリソース上でブラインド検出プロセスを実行するためのプロセス、特徴、手段、または命令を含むことがあり、UCIは、ブラインド検出プロセスに少なくとも一部基づいて受信されることがある。
【００３９】
上で説明された方法、装置、および非一時的コンピュータ可読媒体のいくつかの例はさらに、DCIにおいて割当てインデックスビットのセットを送信するためのプロセス、特徴、手段、または命令を含むことがあり、割当てインデックスビットのセットはACKペイロードサイズを示す。
【００４０】
上で説明された方法、装置、および非一時的コンピュータ可読媒体のいくつかの例では、DCIのフォーマットは、割当てインデックスビットのセットに含めるべき割当てインデックスビットの数を示す。たとえば、上で説明された方法、装置、および非一時的コンピュータ可読媒体のいくつかの例では、フルDCIフォーマットは、割当てインデックスビットのセットに含めるべき割当てインデックスビットの第1の数を示し、フォールバックDCIフォーマットは、割当てインデックスビットのセットに含めるべき割当てインデックスビットの第2の数を示し、割当てインデックスビットの第2の数は、割当てインデックスビットの第1の数より少ない。
【００４１】
上で説明された方法、装置、および非一時的コンピュータ可読媒体のいくつかの例はさらに、割振りのために短いアップリンク制御チャネル送信または長いアップリンク制御チャネル送信のいずれかを選択するためのプロセス、特徴、手段、または命令を含み得る。上で説明された方法、装置、および非一時的コンピュータ可読媒体のいくつかの例はさらに、選択された短いアップリンク制御チャネル送信または長いアップリンク制御チャネル送信にさらに少なくとも一部基づいて、リソースインジケータビットのセットを決定するためのプロセス、特徴、手段、または命令を含み得る。
【００４２】
上で説明された方法、装置、および非一時的コンピュータ可読媒体のいくつかの例はさらに、割振りのための第2のアップリンク制御チャネルリソースを特定するためのプロセス、特徴、手段、または命令を含み得る。
【００４３】
上で説明された方法、装置、および非一時的コンピュータ可読媒体のいくつかの例はさらに、特定された第2のアップリンク制御チャネルリソースに少なくとも一部基づいて、リソースインジケータビットの第2のセットを決定するためのプロセス、特徴、手段、または命令を含むことがあり、リソースインジケータビットの第2のセットは第2のアップリンク制御チャネルリソースを示す。
【００４４】
上で説明された方法、装置、および非一時的コンピュータ可読媒体のいくつかの例はさらに、送信のためのCCEの第2のセットを選択するためのプロセス、特徴、手段、または命令を含むことがあり、CCEの第2のセットのうちのあるCCEが第2のアップリンク制御チャネルリソースを示す。
【００４５】
上で説明された方法、装置、および非一時的コンピュータ可読媒体のいくつかの例はさらに、少なくとも1つのリソースインジケータビットを決定するためのプロセス、特徴、手段、または命令を含むことがあり、少なくとも1つのリソースインジケータビットは、第2のアップリンク制御チャネルリソースのための短いアップリンク制御チャネル送信または長いアップリンク制御チャネル送信のいずれかを示す。
【００４６】
上で説明された方法、装置、および非一時的コンピュータ可読媒体のいくつかの例では、リソースインジケータビットのセットは、ダウンリンクグラントまたはアップリンクグラントにおいて送信され得る。上で説明された方法、装置、および非一時的コンピュータ可読媒体のいくつかの例では、1つまたは複数のCCEの第1のCCEは、ダウンリンクグラントまたはアップリンクグラントのための初期のCCEの例である。
【００４７】
上で説明された方法、装置、および非一時的コンピュータ可読媒体のいくつかの例では、アップリンク制御チャネルリソースは、PUCCHリソースの例である。上で説明された方法、装置、および非一時的コンピュータ可読媒体のいくつかの例では、リソースインジケータビットのセットは、ARIビットのセットを含む。
【００４８】
ワイヤレス通信の方法が説明される。方法は、シンボルの第1のセットのための第1のリソース割当てを受信するステップと、シンボルの第2のセットのための第2のリソース割当てを受信するステップであって、シンボルの第1のセットおよびシンボルの第2のセットがシンボルの重複するセットを含む、ステップと、第1のリソース割当てのための第1のリソース、第2のリソース割当てのための第2のリソース、または両方を修正するステップと、第1のリソース割当てに少なくとも一部基づいて第1の情報を送信するステップとを含み得る。
【００４９】
ワイヤレス通信のための装置が説明される。装置は、シンボルの第1のセットのための第1のリソース割当てを受信するための手段と、シンボルの第2のセットのための第2のリソース割当てを受信するための手段であって、シンボルの第1のセットおよびシンボルの第2のセットがシンボルの重複するセットを含む、手段と、第1のリソース割当てのための第1のリソース、第2のリソース割当てのための第2のリソース、または両方を修正するための手段と、第1のリソース割当てに少なくとも一部基づいて第1の情報を送信するための手段とを含み得る。
【００５０】
ワイヤレス通信のための別の装置が説明される。装置は、プロセッサと、プロセッサと電子的に通信しているメモリと、メモリに記憶された命令とを含み得る。命令は、プロセッサに、シンボルの第1のセットのための第1のリソース割当てを受信させ、シンボルの第2のセットのための第2のリソース割当てを受信させ、シンボルの第1のセットおよびシンボルの第2のセットがシンボルの重複するセットを含み、第1のリソース割当てのための第1のリソース、第2のリソース割当てのための第2のリソース、または両方を修正させ、第1のリソース割当てに少なくとも一部基づいて第1の情報を送信させるように動作可能であり得る。
【００５１】
ワイヤレス通信のための非一時的コンピュータ可読媒体が説明される。非一時的コンピュータ可読媒体は、プロセッサに、シンボルの第1のセットのための第1のリソース割当てを受信させ、シンボルの第2のセットのための第2のリソース割当てを受信させ、シンボルの第1のセットおよびシンボルの第2のセットがシンボルの重複するセットを含み、第1のリソース割当てのための第1のリソース、第2のリソース割当てのための第2のリソース、または両方を修正させ、第1のリソース割当てに少なくとも一部基づいて第1の情報を送信させるように動作可能な命令を含み得る。
【００５２】
上で説明された方法、装置、および非一時的コンピュータ可読媒体のいくつかの例はさらに、第2のリソース割当てと関連付けられる第2の情報との第1の情報の結合符号化を実行するためのプロセス、特徴、手段、または命令を含み得る。上で説明された方法、装置、および非一時的コンピュータ可読媒体のいくつかの例はさらに、結合符号化された第1の情報および第2の情報を送信するためのプロセス、特徴、手段、または命令を含み得る。上で説明された方法、装置、および非一時的コンピュータ可読媒体のいくつかの例では、結合符号化された第1の情報および第2の情報は、第1のリソース割当てのための第1のリソースにおいて送信され得る。
【００５３】
上で説明された方法、装置、および非一時的コンピュータ可読媒体のいくつかの例はさらに、第1のリソース割当てのための第1のリソースまたは第2のリソース割当てのための第2のリソースのいずれかにシンボルの重複するセットの各シンボルを割り当てるためのプロセス、特徴、手段、または命令を含み得る。上で説明された方法、装置、および非一時的コンピュータ可読媒体のいくつかの例はさらに、割当てに少なくとも一部基づいて第2のリソース割当てと関連付けられる第2の情報を送信するためのプロセス、特徴、手段、または命令を含み得る。
【００５４】
上で説明された方法、装置、および非一時的コンピュータ可読媒体のいくつかの例はさらに、シンボルの重複するセットに少なくとも一部基づいて、第2のリソース割当てと関連付けられる第2の情報の送信を回避するためのプロセス、特徴、手段、または命令を含み得る。
【００５５】
上で説明された方法、装置、および非一時的コンピュータ可読媒体のいくつかの例はさらに、シンボルの第3のセットのための第3のリソース割当てを受信するためのプロセス、特徴、手段、または命令を含むことがあり、シンボルの第3のセットはシンボルの重複するセットの少なくとも一部分を含む。上で説明された方法、装置、および非一時的コンピュータ可読媒体のいくつかの例はさらに、第2のリソース割当てと関連付けられる第2の情報との第1の情報の結合符号化を実行するためのプロセス、特徴、手段、または命令を含み得る。上で説明された方法、装置、および非一時的コンピュータ可読媒体のいくつかの例はさらに、第1のリソース割当てのための第1のリソースにおいて結合符号化された第1の情報および第2の情報を送信するためのプロセス、特徴、手段、または命令を含み得る。上で説明された方法、装置、および非一時的コンピュータ可読媒体のいくつかの例はさらに、第3のリソース割当てに少なくとも一部基づいて第3のリソース割当てと関連付けられる第3の情報を送信するためのプロセス、特徴、手段、または命令を含み得る。
【００５６】
上で説明された方法、装置、および非一時的コンピュータ可読媒体のいくつかの例では、第1のリソース割当ておよび第2のリソース割当ては、異なる長さのリソース割当てに対応する。
【００５７】
上で説明された方法、装置、および非一時的コンピュータ可読媒体のいくつかの例では、第1のリソース割当て、第2のリソース割当て、または両方は、ACKリソース割当て、SRリソース割当て、CQIリソース割当て、チャネル状態情報(CSI)リソース割当て、またはこれらの組合せの例である。
【図面の簡単な説明】
【００５８】
【図１】本開示の態様による、ニューラジオ(NR)のためのアップリンク制御チャネルリソース割振りをサポートするワイヤレス通信のためのシステムの例を示す図である。
【図２】本開示の態様によるワイヤレス通信システムの例を示す図である。
【図３】本開示の態様による、リソースインジケータビットおよび制御チャネル要素(CCE)に基づくアップリンク制御チャネルリソースマッピングの例を示す図である。
【図４Ａ】本開示の態様による、リソースのコリジョンに対処するための技法の例を示す図である。
【図４Ｂ】本開示の態様による、リソースのコリジョンに対処するための技法の例を示す図である。
【図４Ｃ】本開示の態様による、リソースのコリジョンに対処するための技法の例を示す図である。
【図５】本開示の態様による、アップリンク制御チャネル割振りをサポートするプロセスフローの例を示す図である。
【図６】本開示の態様による、リソースのコリジョンへの対処をサポートするプロセスフローの例を示す図である。
【図７】本開示の態様による、アップリンク制御チャネルリソース割振りをサポートするデバイスのブロック図である。
【図８】本開示の態様による、アップリンク制御チャネルリソース割振りをサポートするデバイスのブロック図である。
【図９】本開示の態様による、アップリンク制御チャネルリソース割振りをサポートするデバイスのブロック図である。
【図１０】本開示の態様によるデバイスを含むシステムのブロック図である。
【図１１】本開示の態様による、アップリンク制御チャネルリソース割振りをサポートするデバイスのブロック図である。
【図１２】本開示の態様による、アップリンク制御チャネルリソース割振りをサポートするデバイスのブロック図である。
【図１３】本開示の態様による、アップリンク制御チャネルリソース割振りをサポートするデバイスのブロック図である。
【図１４】本開示の態様によるデバイスを含むシステムのブロック図である。
【図１５】本開示の態様による、アップリンク制御チャネルリソース割振りのための方法を示すフローチャートである。
【図１６】本開示の態様による、アップリンク制御チャネルリソース割振りのための方法を示すフローチャートである。
【図１７】本開示の態様による、アップリンク制御チャネルリソース割振りのための方法を示すフローチャートである。
【発明を実施するための形態】
【００５９】
いくつかのワイヤレス通信システム(たとえば、ニューラジオ(NR)システム)では、基地局は多数のユーザ機器(UE)にサービスし得る。基地局は、リソースインジケータビットのセットを使用して、アップリンク制御チャネルリソース(たとえば、物理アップリンク制御チャネル(PUCCH)リソース)をこれらのUEに割り振ることがあり、各UEはアップリンク制御チャネル送信のための利用可能なリソースのセットを含むことがある。この多数のUEのための割り当てられたリソース間のコリジョンの確率を下げるために、システムは、リソースの総量とUE当たりのリソースの両方を多くすることができる。いくつかの場合、リソースの量は、リソースインジケータビットのセットを用いて示すには多すぎることがある(たとえば、示すべき異なるリソースの数がインジケータビットに対する可能なビットの組合せより多い場合)。
【００６０】
これらの場合、基地局は、明示的なリソースマッピングおよび暗黙的なリソースマッピングを実施することによって、限られた数のビットを使用してアップリンク制御チャネルリソースをUEに割り振り得る。明示的なリソースマッピングにおいて、基地局は、1つまたは複数のアップリンク制御チャネルリソースを示すために、送信内でビット値を設定し得る。暗黙的なリソースマッピングにおいて、基地局は、1つまたは複数のリソースを示すために、送信のパラメータを設定し得る。たとえば、基地局は、制御チャネル要素(CCE)のセット内のダウンリンク制御情報(DCI)送信を送信することができ、セットの開始CCEのインデックスは、アップリンク制御チャネルリソースを(たとえば、暗黙的マッピング関数に基づいて)示し得る。DCI送信を受信するUEは、ビットの明示的なセットと暗黙的なCCEインデックスの組合せに基づいて、割り振られたアップリンク制御チャネルリソースを決定し得る。UEは、決定されたリソース上でアップリンク制御情報(UCI)を送信し得る。
【００６１】
いくつかの場合、リソースのこの大きなセットを実装するにもかかわらず、UEは、競合するリソース割振り(たとえば、(肯定応答(ACK)リソース割振り、チャネル品質インジケータ(CQI)リソース割振り、スケジューリング要求(SR)リソース割振り、または任意の他のタイプのリソース割振り)を割り当てられることがある。UEは、これらの競合するリソース割振りに効率的に対処するための1つまたは複数の技法を実施し得る。たとえば、UEは、結合符号化、重複するリソースの分割、または競合する割り振られた送信のうちの1つまたは複数の省略を実施し得る。UEはまた、UEの構成に基づいて、または基地局からの受信されたDCIに基づいて、ACKペイロードサイズまたはアップリンク制御チャネル送信時間長を、準静的にまたは動的に決定し得る。
【００６２】
最初にワイヤレス通信システムの文脈で本開示の態様が説明される。アップリンク制御チャネルリソースのマッピング、リソースコリジョンのシナリオ、およびプロセスフローに関して、追加の態様が説明される。本開示の態様は、アップリンク制御チャネルリソース割振りに関する装置図、システム図、およびフローチャートによってさらに示され、それらを参照して説明される。
【００６３】
図1は、本開示の様々な態様による、NRのためのアップリンク制御チャネルリソース割振りをサポートするワイヤレス通信システム100の例を示す。ワイヤレス通信システム100は、基地局105と、UE115と、コアネットワーク130とを含む。いくつかの例では、ワイヤレス通信システム100は、Long-Term Evolution(LTE)ネットワーク、LTE-Advanced(LTE-A)ネットワーク、またはNRネットワークであり得る。いくつかの場合、ワイヤレス通信システム100は、拡張ブロードバンド通信、超高信頼性(たとえば、ミッションクリティカル)通信、低レイテンシ通信、または低コストおよび低複雑度のデバイスとの通信をサポートし得る。いくつかの場合(たとえば、NRワイヤレス通信システムのための)では、基地局105は、UE115のためのアップリンク制御チャネルリソースを割り振るための1つまたは複数の技法を使用し得る。
【００６４】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代NodeBもしくはギガnodeB、ホームNodeB、ホームeNodeB、または何らかの他の好適な用語を含み得るか、または、そのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００６５】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100に示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００６６】
基地局105のための地理的カバレッジエリア110は、地理的カバレッジエリア110の一部分のみを構成するセクタに分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は重複することがあり、異なる技術と関連付けられる重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する異種LTE/LTE-AまたはNRネットワークを含み得る。
【００６７】
「セル」という用語は、(たとえば、キャリア上での)基地局105との通信のために使用される論理通信エンティティを指し、同じまたは異なるキャリアを介して動作する近隣セルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、または他のもの)に従って構成され得る。場合によっては、「セル」という用語は、その上で論理エンティティが動作する地理的カバレッジエリア110(たとえば、セクタ)の一部分を指すことがある。
【００６８】
UE115は、ワイヤレス通信システム100全体にわたって分散されることがあり、各UE115は固定型または移動型であることがある。UE115はまた、モバイルデバイス、ワイヤレスデバイス、リモートデバイス、ハンドヘルドデバイス、または加入者デバイス、または何らかの他の好適な用語で呼ばれることがあり、「デバイス」はユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115はまた、ワイヤレスローカルループ(WLL)局、Internet of Things(IoT)デバイス、Internet of Everything(IoE)デバイス、またはMTCデバイスなどを指すことがあり、これらは、家電機器、車両、メーターなどの様々な物品において実装されることがある。
【００６９】
MTCデバイスまたはIoTデバイスなどの、いくつかのUE115は、低コストまたは低複雑度のデバイスであることがあり、マシン間の自動化された通信を(たとえば、マシンツーマシン(M2M)通信を介して)可能にすることがある。M2M通信またはMTCは、人が介在することなく、デバイスが互いにまたは基地局105と通信することを可能にするデータ通信技術を指すことがある。いくつかの例では、M2M通信またはMTCは、センサーまたはメーターを統合して情報を測定または捕捉し、その情報を利用できる中央サーバもしくはアプリケーションプログラムにその情報を中継するか、またはプログラムもしくはアプリケーションと対話する人間にその情報を提示する、デバイスからの通信を含むことがある。いくつかのUE115は、情報を集めるか、または機械の自動化された挙動を可能にするように設計され得る。MTCデバイスの用途の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００７０】
一部のUE115は、半二重通信(たとえば、送信または受信を介した一方向通信をサポートするが、同時の送信および受信をサポートしないモード)などの、電力消費を減らす動作モードを利用するように構成され得る。いくつかの例では、半二重通信は、低減されたピークレートで実行され得る。UE115向けの他の電力節約技法は、アクティブな通信に関与していないとき、省電力「ディープスリープ」モードに入ること、または(たとえば、狭帯域通信に従って)限られた帯域幅にわたって動作することを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００７１】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数は、基地局105の地理的カバレッジエリア110内にあり得る。そのようなグループ内の他のUE115は、基地局105の地理的カバレッジエリア110の外にあるか、またはさもなければ基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105が、D2D通信のためのリソースのスケジューリングを促進する。他の場合には、D2D通信は、基地局105が関与することなくUE115間で行われる。
【００７２】
基地局105は、コアネットワーク130および互いと通信し得る。たとえば、基地局105は、バックホールリンク132を通じて(たとえば、S1または別のインターフェースを介して)コアネットワーク130とインターフェースし得る。基地局105は、バックホールリンク134上で(たとえば、X2または他のインターフェースを介して)、直接的(たとえば、基地局105間で直接)または間接的に(たとえば、コアネットワーク130を介して)のいずれかで互いと通信し得る。
【００７３】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００７４】
基地局105などのネットワークデバイスのうちの少なくともいくつかは、アクセスネットワークエンティティなどの下位構成要素を含むことがあり、アクセスネットワークエンティティは、アクセスノードコントローラ(ANC)の例であることがある。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されることがあり、または単一のネットワークデバイス(たとえば、基地局105)に統合されることがある。
【００７５】
ワイヤレス通信システム100は、一般に300MHzから300GHzの範囲にある、1つまたは複数の周波数帯域を使用して動作し得る。一般に、300MHzから3GHzの領域は、超超短波(UHF)領域またはデシメートル帯域として知られているが、これは、波長の長さが、およそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造を貫通し得る。UHF波の送信は、300MHz以下のスペクトルの短波(HF)部分または超短波(VHF)部分のより低い周波数およびより長い波を使用する送信と比較して、より小型のアンテナおよびより短い距離(たとえば、100km未満)と関連付けられ得る。
【００７６】
ワイヤレス通信システム100はまた、センチメートル帯域としても知られている、3GHzから30GHzまでの周波数帯域を使用するマイクロ波(SHF)領域内で動作し得る。SHF領域は、他のユーザからの干渉を許容し得るデバイスによって機会主義的に使用され得る5GHz産業科学医療(ISM)帯域などの帯域を含む。
【００７７】
ワイヤレス通信システム100は、ミリメートル帯域としても知られている、(たとえば、30GHzから300GHzの)スペクトルのミリ波(EHF)領域内でも動作し得る。いくつかの例では、ワイヤレス通信システム100は、UE115と基地局105との間のミリメートル波(mmW)通信をサポートすることができ、それぞれのデバイスのEHFアンテナは、UHFアンテナよりさらに小さいことがあり、より密に間隔が空けられることがある。いくつかの場合、これは、UE115内でのアンテナアレイの使用を容易にし得る。しかしながら、EHF送信の伝搬は、SHF送信またはUHF送信よりもさらに大きい大気減衰を受け、距離がより短いことがある。本明細書で開示される技法は、1つまたは複数の異なる周波数領域を使用する送信にわたって利用されることがあり、これらの周波数領域にわたる帯域の指定される使用は、国ごとにまたは規制団体ごとに異なり得る。
【００７８】
いくつかの場合、ワイヤレス通信システム100は、免許無線周波数スペクトル帯域と免許不要無線周波数スペクトル帯域の両方を利用し得る。たとえば、ワイヤレス通信システム100は、5GHz ISM帯域などの免許不要帯域において、License Assisted Access(LAA)、LTE Unlicensed(LTE-U)無線アクセス技術、またはNR技術を利用し得る。免許不要無線周波数スペクトル帯域において動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するコンポーネントキャリア(CC)と連携したキャリアアグリゲーション(CA)構成に基づき得る(たとえば、LAA)。免許不要スペクトルにおける動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００７９】
いくつかの例では、基地局105またはUE115は複数のアンテナを装備することがあり、これらは、送信ダイバーシティ、受信ダイバーシティ、多入力多出力(MIMO)通信、またはビームフォーミングなどの技法を利用するために使用され得る。たとえば、ワイヤレス通信システム100は、送信デバイス(たとえば、基地局105)と受信デバイス(たとえば、UE115)との間の送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコード語)または異なるデータストリームと関連付けられるビットを搬送することがある。異なる空間レイヤは、チャネル測定および報告のために使用される異なるアンテナポートと関連付けられることがある。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００８０】
空間フィルタリング、指向性送信、または指向性受信とも呼ばれることがあるビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を組み合わせることによって達成され得る。アンテナ要素を介して通信される信号の調整は、デバイスと関連付けられるアンテナ要素の各々を介して搬送される信号に何らかの振幅オフセットおよび位相オフセットを送信デバイスまたは受信デバイスが適用することを含み得る。アンテナ要素の各々と関連付けられる調整は、(たとえば、送信デバイスもしくは受信デバイスのアンテナアレイに対する、または何らかの他の方向に対する)特定の方向と関連付けられるビームフォーミング重みセットによって定義され得る。
【００８１】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は、基地局105によって異なる方向に複数回送信されることがあり、これは、信号が異なる送信方向と関連付けられる異なるビームフォーミング重みセットに従って送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられるデータ信号などの一部の信号は、単一のビーム方向(たとえば、UE115などの受信デバイスと関連付けられる方向)に基地局105によって送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で受信した信号の指示、または別様に許容可能な信号品質を基地局105に報告することができる。これらの技法は、基地局105によって1つまたは複数の方向に送信される信号を参照して説明されるが、UE115は、(たとえば、UE115による後続送信もしくは受信のためのビーム方向を識別するために)信号を異なる方向に複数回送信するか、または(たとえば、データを受信デバイスへ送信するために)信号を単一の方向に送信するための同様の技法を利用し得る。
【００８２】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って受信された信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従った聴取に少なくとも一部基づいて決定されたビーム方向(たとえば、複数のビーム方向に従った聴取に少なくとも一部基づいて、最高の信号強度、最高の信号対雑音比、または、別様に許容可能な信号品質を有すると決定されたビーム方向)に揃えられ得る。
【００８３】
いくつかの場合、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにおいて併置され得る。いくつかの場合、基地局105と関連付けられるアンテナまたはアンテナアレイは、多様な地理的位置に位置し得る。基地局105は、基地局105がUE115との通信のビームフォーミングをサポートするために使用することができるアンテナポートのいくつかの行および列を有するアンテナアレイを有し得る。同様に、UE115は、様々なMIMO動作またはビームフォーミング動作をサポートすることができる1つまたは複数のアンテナアレイを有し得る。
【００８４】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するためにパケットセグメント化および再アセンブリを実行し得る。媒体アクセス制御(MAC)レイヤは、優先度の処理およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００８５】
いくつかの場合、UE115および基地局105は、データが受信に成功する可能性を高めるためにデータの再送信をサポートすることができる。HARQフィードバックは、データが通信リンク125を介して正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)においてMACレイヤにおけるスループットを改善し得る。いくつかの場合、ワイヤレスデバイスは、同一スロットHARQフィードバックをサポートすることがあり、同一スロットHARQフィードバックでは、デバイスは特定のスロットの中の以前のシンボルにおいて受信されたデータに対するHARQフィードバックをそのスロットにおいて提供し得る。他の場合には、デバイスは、後続のスロット内で、または何らかの他の時間間隔に従ってHARQフィードバックを提供し得る。
【００８６】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の時間長を各々有する無線フレームに従って編成されることがあり、ここでフレーム期間はTf=307,200Tsと表されることがある。無線フレームは、0から1023にわたるシステムフレーム番号(SFN)によって識別され得る。各フレームは、0から9までの番号を振られた10個のサブフレームを含むことがあり、各サブフレームは1msの時間長を有することがある。サブフレームはさらに、2つのスロットへと分割されることがあり、これらの各々が、0.5msの持続長を有し、各スロットは、(たとえば、各シンボル期間の先頭に追加される巡回プレフィックスの長さに応じて)6個または7個の変調シンボル期間を含むことがある。巡回プレフィックスを除いて、各シンボル期間は、2048個のサンプル期間を含み得る。いくつかの場合、サブフレームは、ワイヤレス通信システム100の最も小さいスケジューリング単位であることがあり、送信時間間隔(TTI)と呼ばれることがある。他の場合には、ワイヤレス通信システム100の最も小さいスケジューリング単位は、サブフレームよりも短いことがあり、または(たとえば、短縮TTI(sTTI)を使用してsTTIのバースト中で、もしくは選択されたCC中で)動的に選択されることがある。
【００８７】
いくつかのワイヤレス通信システムでは、スロットは、1個または複数のシンボルを含む複数のミニスロットにさらに分割され得る。いくつかの事例では、ミニスロットのシンボルまたはミニスロットがスケジューリングの最小単位であり得る。各シンボルは、たとえば、サブキャリア間隔または動作周波数帯域に依存して、時間長が変動し得る。さらに、一部のワイヤレス通信システムは、UE115と基地局105との間の通信のために複数のスロットまたはミニスロットが一緒に集約されて使用される、スロットアグリゲーションを実装し得る。
【００８８】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前定義された周波数チャネル(たとえば、Evolved Universal Terrestrial Radio Access(UTRA)絶対無線周波数チャネル番号(EARFCN))と関連付けられることがあり、UE115による発見のためにチャネルラスタに従って配置されることがある。キャリアは、ダウンリンクまたはアップリンク(たとえば、FDDモードにおいて)であることがあり、またはダウンリンク通信およびアップリンク通信を(たとえば、TDDモードで)搬送するように構成されることがある。いくつかの例では、キャリアを介して送信される信号波形は、(たとえば、直交周波数分割多重化(OFDM)または離散フーリエ変換拡散OFDM(DFT-s-OFDM)などの、マルチキャリア変調(MCM)技法を使用して)複数のサブキャリアから構成され得る。
【００８９】
キャリアの組織構造は、異なる無線アクセス技術(たとえば、LTE、LTE-A、NRなど)に対して異なることがある。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の収集シグナリング(たとえば、同期信号またはシステム情報など)とキャリアに対する動作を協調させる制御シグナリングとを含み得る。いくつかの例(たとえば、キャリアアグリゲーション構成における)では、キャリアはまた、他のキャリアのための動作を協調させる取得シグナリングまたは制御シグナリングを有し得る。
【００９０】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルにおいて送信される制御情報は、カスケード方式で異なる制御領域の間で(たとえば、共通制御領域または共通探索空間と1つまたは複数のUE固有制御領域またはUE固有探索空間との間で)分散され得る。
【００９１】
キャリアは、無線周波数スペクトルの特定の帯域幅と関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、各々のサービスされるUE115は、キャリア帯域幅の部分またはすべてにわたって動作するように構成され得る。他の例では、一部のUE115は、キャリア内の事前定義された部分または範囲(たとえば、サブキャリアまたはリソースブロック(RB)のセット)と関連付けられる狭帯域プロトコルタイプを使用した動作のために構成され得る(たとえば、狭帯域プロトコルタイプの「帯域内」展開)。
【００９２】
MCM技法を利用するシステムでは、リソース要素は1つのシンボル期間(たとえば、1つの変調シンボルの時間長)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115のデータレートは高くなる。MIMOシステムでは、ワイヤレス通信リソースは、無線周波数スペクトルリソース、時間リソース、および空間リソース(たとえば、空間レイヤ)の組合せを指すことがあり、複数の空間レイヤの使用はさらに、UE115との通信のデータレートを上げることができる。
【００９３】
ワイヤレス通信システム100のデバイス(たとえば、基地局105またはUE115)は、特定のキャリア帯域幅を介した通信をサポートするハードウェア構成を有することがあり、またはキャリア帯域幅のセットのうちの1つを介した通信をサポートするように構成可能であることがある。いくつかの例では、ワイヤレス通信システム100は、2つ以上の異なるキャリア帯域幅と関連付けられるキャリアを介して同時通信をサポートし得る基地局105および/またはUEを含み得る。
【００９４】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００９５】
いくつかの場合、ワイヤレス通信システム100は、拡張コンポーネントキャリア(eCC)を利用し得る。eCCは、より広いキャリアもしくは周波数チャネル帯域幅、より短いシンボル時間長、より短いTTI時間長、または修正された制御チャネル構成を含む、1つまたは複数の特徴によって特徴付けられ得る。いくつかの場合、eCCは、(たとえば、複数のサービングセルが準最適または非理想的なバックホールリンクを有するとき)キャリアアグリゲーション構成またはデュアル接続性構成と関連付けられ得る。eCCはまた、(2つ以上の事業者が、スペクトルを使用することを許可された場合)免許不要スペクトルまたは共有スペクトルにおいて使用するために構成され得る。広いキャリア帯域幅によって特徴付けられるeCCは、全キャリア帯域幅を監視することが可能でないか、または別様に(たとえば、電力を節約するために)限られたキャリア帯域幅を使用するように構成されるUE115によって利用され得る、1つまたは複数のセグメントを含み得る。
【００９６】
いくつかの場合、eCCは、他のCCとは異なるシンボル時間長を利用することがあり、このことは、他のCCのシンボル時間長と比較して短縮されたシンボル時間長の使用を含むことがある。より短いシンボル時間長は、隣接するサブキャリア間の間隔の増大と関連付けられ得る。eCCを利用する、UE115または基地局105などのデバイスは、短縮されたシンボル期間長(たとえば、16.67マイクロ秒)において広帯域信号を(たとえば、周波数チャネルまたは20、40、60、80MHzなどのキャリア帯域幅に従って)送信し得る。eCCの中のTTIは、1個または複数のシンボル期間からなり得る。いくつかの場合、TTI時間長(すなわち、TTI中のシンボル期間の数)は可変であり得る。
【００９７】
NRシステムなどのワイヤレス通信システムは、とりわけ、免許スペクトル、共有スペクトル、および免許不要スペクトル帯域の任意の組合せを利用し得る。eCCシンボル時間長およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有を通じて、NR共有スペクトルは、スペクトル利用率およびスペクトル効率を高め得る。
【００９８】
図2は、本開示の態様によるワイヤレス通信システム200の例を示す。ワイヤレス通信システム200は、サービング地理的カバレッジエリア110-aにサービスする基地局105-aと、UE115-aとを含み得る。これらは、たとえば、図1を参照して、上で論じられた対応する構成要素の例であり得る。基地局105-aは、ダウンリンクチャネル205を介して情報をUE115-aに送信することがあり、UE115-aは、アップリンクチャネル210を介して情報を基地局105-aに送信することがある。たとえば、ダウンリンクチャネル205は、物理ダウンリンク制御チャネル(PDCCH)などの、ダウンリンク制御チャネルの例であり得る。同様に、アップリンクチャネル210は、PUCCHなどの、アップリンク制御チャネルの例であり得る。いくつかのシステムでは、基地局105-aは、DCI215を利用して、UCI220を送信するためにUE115-aにリソースを割り振り得る。
【００９９】
基地局105-aは、DCI215内のアップリンク制御チャネルリソースマッピング情報をUE115-aに送信し得る。このリソースマッピング情報は、リソースの明示的な指示(たとえば、アップリンク制御チャネルリソースを示すために特に構成される1つまたは複数のビットを使用する)、リソースの暗黙的な指示(たとえば、DCI215の1つまたは複数の特性はアップリンク制御チャネルリソースを示す)、またはこれら2つの組合せ(たとえば、この場合、準静的に構成されるACKペイロードのリソースを示すために、DCI215の特性が使用される)を含み得る。たとえば、図3を参照して、明示的なアップリンク制御チャネルリソースと暗黙的なアップリンク制御チャネルリソースのマッピング技法の例が、以下で説明される。いくつかの場合、これらのリソースマッピング技法にもかかわらず、UE115-aは競合するリソース割振りを割り当てられることがある。UE115-aは、たとえば、図4A、図4B、および図4Cを参照して以下で説明されるように、リソースのコリジョンに対処するための1つまたは複数の技法を実施し得る。
【０１００】
割り振られたアップリンク制御チャネルリソースを決定してリソースのコリジョンを避けると決定することに加えて、またはその代わりに、UE115-aは、送信のためのACKペイロードサイズを決定し得る。たとえば、UE115-aは、(たとえば、1つまたは複数のダウンリンク制御チャネル送信の受信の成功または不成功を認めるために)基地局105-aに送信されるUCI220にACKペイロードを含め得る。
【０１０１】
第1の実装形態では、UE115-aは、設定されたACKペイロードサイズ(たとえば、HARQ-ACK情報ビットの数)を用いて、(たとえば、RRCによって)準静的に構成され得る。たとえば、UE115-aは、UE115-aが準静的な物理ダウンリンク共有チャネル(PDSCH)HARQ-ACKコードブックを用いて構成される場合、この第1の実装形態に従って動作し得る。UE115-aが基地局105-aからダウンリンク送信を受信するとき、UE115-aは、各々の受信に成功した送信に対して、ACKペイロード内のビット(たとえば、情報ビット)を設定し得る。たとえば、UE115-aは、基地局105-aから受信される情報とは無関係に、ACKペイロードのために5ビットを使用するように構成され得る。この場合、UE115-aは、(たとえば、受信されたダウンリンク送信のインデックスに基づいて)基地局105-aから受信される最大で5個のダウンリンク送信(たとえば、異なるCC上での送信)に肯定応答し得る。UE115-aが構成されたペイロードサイズより少ない送信を受信する場合、UE115-aは、デフォルトのビット値(たとえば、0)でペイロードの残りのビットを埋め得る。UE115-aは、復号の失敗、干渉、または基地局105-aがより少数の送信を送信することにより、より少数の送信を受信し得る。たとえば、基地局105-aは、2つのダウンリンクチャネル(たとえば、PDSCHまたはPDCCH)を使用してUE115-aに送信し得る。UE115-aが5というACKペイロードサイズで構成される場合、UE115-aは、2つの受信されるダウンリンクチャネルに対応するインデックスを特定することができ、示されるインデックスにおいてACKペイロードへと肯定応答ビットを入力することができる。UE115-aは、ACKペイロードの残りのインデックスへとデフォルトのビット値(たとえば、0または負の肯定応答ビット)を入力することができ、得られたペイロードを基地局105-aに送信することができる。基地局105-aは、ACKペイロードの示されるインデックスにおいてACKビットを受信したかどうかを決定することができ、残りのビットを無視することができる。
【０１０２】
第2の実装形態では、UE115-aは、ACKペイロードサイズ(たとえば、HARQ-ACK情報ビットの数)を動的に構成し得る。たとえば、UE115-aは、UE115-aが動的なPDSCH HARQ-ACKコードブックを用いて構成される場合、この第2の実装形態に従って動作し得る。基地局105-aは、UE115-aのためのACKペイロードサイズを構成するために、DCI215内で割当てインデックスビット(たとえば、ダウンリンク割当てインデックス(DAI)ビット)を送信し得る。いくつかの場合、DCI215の異なるフォーマットは、異なる数の割当てインデックスビット(たとえば、カウンタDAIビットまたは総DAIビットなどのDAIビット)を含み得る。たとえば、「ノーマル」DCIと呼ばれることがあるフルDCI215は、フォールバックDCI215(たとえば、2ビット、4ビットなど)より多くの割当てインデックスビット(たとえば、4ビット、6ビットなど)を含み得る。フォールバックDCI215が2つの割当てインデックスビットを用いて実装される場合、一方の割当てインデックスビットは、ACKペイロードのためのACKビット(たとえば、情報ビット)の総数を示すことができ、他の割当てインデックスビットは、ACKペイロードのための増分ACKビットを示すことができる。UE115-aは、DCI215を受信し、受信された割当てインデックスビットに基づいて実装すべきACKペイロードサイズを決定し得る。基地局105-aは、PDSCHのためのダウンリンクグラントにおいて、PUCCHのためのアップリンクグラントにおいて、または任意の他のタイプのアップリンクグラントもしくはダウンリンクグラントにおいて、割当てインデックスビットを送信し得る。暗黙的なリソースマッピングと明示的なリソースマッピングが組み合わされる例では、基地局105-aは、RRCで構成される準静的なACKペイロードサイズがUE115-aのために存在するかどうかを示すために、DCI215内で1つの割当てインデックスビット(たとえば、ダウンリンク割当てインデックス(DAI)ビット)を送信し得る。
【０１０３】
いくつかの場合、DCI215はどのような割当てインデックスビットも含まないことがある。たとえば、DCI215は、ACKペイロードサイズを示すためのDAIビットを伴わない、フォールバックDCI215の例であり得る。DAIビットなしでも、DCI215は、ACKペイロードサイズ(たとえば、最高で2ビットのACKペイロードサイズ)を示し得る。基地局105-aがスロットにまたがるスケジューリングまたはCAを実装する場合、基地局105-aは、異なるPDCCHキャリアにおいて異なるACKリソースを構成し得る。基地局105-aは、2つのダウンリンクチャネル送信(たとえば、異なるキャリア上でのPDCCH送信)を送信し得る。UE115-aは、これらの送信のいずれも受信して復号しないことがあり、これらの一方、または両方を受信して復号することがある。どのPDCCHをUE115-aが復号するかに基づいて、UE115-aは、1つまたは複数のリソース上で1つまたは複数のACKビットを送信するように構成され得る。たとえば、UE115-aが第1のPDCCHを復号する場合、UE115-aは第1のリソース上で1つのACKビットを送信し得る。代わりに、UE115-aが第2のPDCCHを復号する場合、UE115-aは第2のリソース上で1つのACKビットを送信し得る。さらに、UE115-aが第1のPDCCHと第2のPDCCHの両方を復号する場合、UE115-aは、第2のリソース上で2つのACKビット(たとえば、復号されるPDCCHの各々に対して1つ)を送信し得る。
【０１０４】
基地局105-aは、示されるリソースにおいてACKビットを受信し得る。いくつかの場合、基地局105-aは、第1のリソースおよび第2のリソース上でブラインド検出プロセスを実行することができ、ここで、基地局105-aは、第1のリソース上の単一のビットを復号し、第2のリソース上の2つのビットを復号することを試みる。否定応答(NACK)ビットが0ビットである場合、基地局105-aは、第1のPDCCHのためのNACKビットと、第1のPDCCHのために送信されるビットがないこととを区別することが可能ではないことがある。この技法を使用すると、基地局105-aは、どのような割当てインデックスビットも使用することなく、最高で2つのACKビット(たとえば、サイズ2のACKペイロード)を受信し得る。
【０１０５】
図3は、本開示の態様による、リソースインジケータビットおよびCCEに基づくアップリンク制御チャネルリソースマッピング300の例を示す。アップリンク制御チャネルリソースマッピング300は、複数の可能なリソースマッピングの実装形態を示し得る。いくつかの場合、ワイヤレス通信システム内の基地局105およびUE115は、リソース割振りのために1つまたは複数の同じ技法を使用するように構成され得る。他の場合には、異なるUE115は、(たとえば、各UE115のための利用可能なアップリンク制御チャネルリソース305の数に応じて)異なるリソースマッピング技法を利用し得る。
【０１０６】
いくつかのワイヤレス通信システム(たとえば、NRシステム)では、基地局105は多数のUE115(たとえば、数百個のUE)に同時にサービスし得る。そのようなシステムは、スケジューリングされるUE115のリソース間でのコリジョンの確率を下げるために、大量のスケジューリングアップリンク制御チャネルリソース305を利用し得る。加えて、システムの中の各UE115は、多数の利用可能なアップリンク制御チャネルリソース305(たとえば、UE115-bのためのリソース305-a、およびUE115-cのためのリソース305-b)を含み得る。これらのリソース305はPUCCHリソースの例であることがあり、各PUCCHリソースは、リソースブロックのセット、直交シーケンスインデックス、巡回シフト、またはUCI送信のためのこれらのパラメータの組合せに対応し得る。示されるように、UE115-bは、(たとえば、各UE115のためのRRC構成に従って)UE115-cより多くの利用可能なアップリンク制御チャネルリソース305-aを含み得る。しかしながら、いくつかの場合、UE115-bとUE115-cの両方が、同じリソースマッピング方式(たとえば、異なる数のリソース305に適合された)を実装し得る。
【０１０７】
基地局105は、ダウンリンク制御チャネル送信を使用して、アップリンク制御チャネルリソース305をUE115に割り当て得る。ダウンリンク制御チャネル送信は、リソースインジケータビット325(たとえば、ARIビット)のセットを含む、DCIを含み得る。いくつかの場合、これらのリソースインジケータビット325は、PUCCHリソースインジケータビットまたはPUCCHリソースインジケータフィールドと呼ばれ得る。リソースインジケータビット325のセットは、構成された数のビット330を含み得る。示されるように、基地局105は、リソース指示のための3つのビット330を含むDCIを送信するように構成され得る。このダウンリンク制御チャネル送信は、PDCCHなどのダウンリンクチャネル320において送信され得る。DCI、およびリソースインジケータビット325の対応するセットは、基地局105によって送信されるダウンリンクグラントまたはアップリンクグラントの一部であり得る。
【０１０８】
基地局105は、UE115のためのリソースマッピングを明示的に示すために、リソースインジケータビット325のセットを利用し得る。たとえば、リソースインジケータビット325のセットは、特定のアップリンク制御チャネルリソース、アップリンク制御チャネルリソースセット310、セット内でのアップリンク制御チャネルリソースインデックス315、またはこれらの組合せを示し得る。いくつかの場合、この明示的なリソースマッピングは、アップリンク制御チャネルリソースをUE115に示すのに十分であり得る。たとえば、リソースインジケータビット325のセットがxビット330を含む場合、基地局105は、最高で2x個のアップリンク制御チャネルリソースを一意に示すことができる。リソースインジケータビット325のセットの異なるビットの組合せは、異なるアップリンク制御チャネルリソースに対応し得る。示されるように、リソースインジケータビット325のセットは、3つのビット330を含み得る。そのような場合、基地局105は、最高で8個の異なるアップリンク制御チャネルリソースを明示的に示すことができる(たとえば、ビットの組合せ000は第1のリソースを示し、ビットの組合せ111は8個のリソースを示す)。したがって、UE115が2x未満の利用可能なアップリンク制御チャネルリソースの数yを有する場合、UE115は、リソースインジケータビット325のセットに基づいて、送信のためのアップリンク制御チャネルリソースを決定することができる。
【０１０９】
しかしながら、いくつかの場合、UE115は、リソースインジケータビット325のセットにおいて明示的にシグナリングされ得るものよりも多くの利用可能なリソース305を有し得る(たとえば、コリジョンを減らし、もしくは避けるためにNRシステムにおいて利用される大量のリソースにより、または特定のDCIフォーマットにより)。そのような場合、基地局105およびUE115は、送信のためのアップリンク制御チャネルリソースに対応する、明示的なマッピングおよび暗黙的なマッピングを実施し得る。
【０１１０】
たとえば、暗黙的なマッピングは、DCIを送信するために基地局105によって使用されるリソースに基づき得る。基地局105は、ダウンリンクチャネル320において1つまたは複数のCCEの中でDCIを送信し得る。いくつかの場合、基地局105は、暗黙的なマッピング関係に従って、DCI送信のために特定のCCEインデックス335を選択し得る。すなわち、CCEインデックス335(たとえば、開始CCEインデックス、終了CCEインデックス、中間CCEインデックスなど)は、リソースインジケータビット325のセットと組み合わせて、アップリンク制御チャネルリソースを示し得る。CCEインデックス335とリソースインジケータビット325のセットとの両方を利用することによって、基地局105は、y>2xを満たす利用可能なリソース305の数yを用いてアップリンク制御リソースをUE115に割り振り得る。
【０１１１】
第1の実装形態(たとえば、UE115-bに関して示されるような)では、基地局105は、リソースインジケータビット325のセット(たとえば、PUCCHインジケータフィールドの中の)を使用して、アップリンク制御チャネルリソースセット310(たとえば、PUCCHリソースのサブセット)を示すことができ、CCEインデックス335(たとえば、開始CCEインデックス335)を使用してそのリソースセット310内での相対的なリソースインデックス315を示すことができる。基地局105および対応するUE115は、リソースインジケータビット325のセットの中のビット330の数、利用可能なアップリンク制御チャネルリソース305の数、アグリゲーションレベル(たとえば、DCIを送信するために使用されるCCEの数)、またはこれらの組合せに基づいて、CCEインデックス335から相対的なリソースインデックス315への暗黙的なマッピングを(たとえば、CCE依存のマッピング関数などの暗黙的なマッピング関数を使用して)決定し得る。すなわち、これら(たとえば、開始CCEインデックス335)または他の同様のパラメータのいずれかが、相対的なリソースインデックス315(たとえば、特定のPUCCHリソース)を決定するために、暗黙的なマッピング関数への入力として使用され得る。たとえば、基地局105およびUE115は、利用可能な全体のリソース305を、リソースインジケータビット325のセットに対する可能なビットの組合せの数に等しい数のリソースセット310へと分割するために、ある式を使用して各リソースセット310に対する標準的なサイズを決定し得る。たとえば、基地局105およびUE115は、
【０１１２】
【数１】
2021503761.tif 000003
【０１１３】
を使用してリソースセット310のサイズを決定することができ、mは各リソースセット310内のリソースの数(または、それに対応してリソースインデックス315)であり、xはリソースインジケータビット325のセットの中のビット330の数であり、yは利用可能な全体のリソース305の数である。
【０１１４】
一例では、UE115-bは、31個の利用可能なまたは潜在的なアップリンク制御チャネルリソース305-aを含むことがあり、基地局105は、DCIにおいてリソースインジケータビット325のセットの中の3つのビット330を送信することがある。したがって、UE115-bは、31個のリソース305-aを8個のリソースセット310(たとえば、3ビットのシーケンスの8個の可能なビットの組合せに対応する)へと編成することができ、(たとえば、上記の式に従うと)リソースセット310当たり4個のリソースがある。いくつかの場合、リソースセット310のうちの1つまたは複数は、リソースセット310当たり、この計算された数のリソースとは異なる数のリソースを有し得る(たとえば、全体のリソース305-aの数がリソースセット310の数で割り切れないことが原因で)。
【０１１５】
基地局105は、アップリンク制御チャネル送信のためのリソースを割り振るために、DCIをUE115-bに送信し得る。たとえば、基地局105は、示されるように、第2のCCEインデックス335の中のビットの組合せ011を伴うリソースインジケータビット325のセットを送信し得る。UE115-bは、DCI送信を受信することができ、ビットの組合せに基づいて示されるリソースセット310を決定することができる。たとえば、011は第4のリソースセット310に対応し得る。UE115-bは、CCEインデックス335(たとえば、DCI送信のための開始CCEインデックス)に基づいて、この第4のリソースセット310内での相対的なリソースインデックス315を決定し得る。いくつかの構成では、UE115-bは、DCI送信のアグリゲーションレベルにさらに基づいて、相対的なリソースインデックス315を決定するように構成され得る。他の構成では、UE115-bは、相対的なリソースインデックス315を決定するとき、アグリゲーションレベルを廃棄することができる。さらに他の構成では、UE115-bは、何らかの閾値に基づいてアグリゲーションレベルを使用するかどうかを動的に決定することができる。たとえば、UE115-bは、リソースセット当たりのリソースの数mを閾値のリソースの数と比較することができる。mが閾値未満である場合、UE115-bは、相対的なリソースインデックス315を決定するために、アグリゲーションレベルを使用することができる。mが閾値以上である場合、UE115-bは、相対的なリソースインデックス315を決定するとき、アグリゲーションレベルを使用することができない。1つの例示的なアグリゲーションレベルに依存する暗黙的なマッピングは、
【０１１６】
【数２】
2021503761.tif 000004
【０１１７】
であり、ここでiは相対的なリソースインデックス315であり、nはDCI送信のための開始CCEインデックス335であり、Lはアグリゲーションレベルである。アグリゲーションレベルに依存しないマッピングの例は、
【０１１８】
【数３】
2021503761.tif 000005
【０１１９】
であり、ここでアグリゲーションレベルLは、計算にもはや含まれない。示されるように、UE115-bは、第2のCCEインデックス335から開始して、DCIと、リソースインジケータビット325の対応するセットとを受信し得る。アグリゲーションレベルに依存しない計算を仮定すると、UE115-bは、2という相対的なリソースインデックス315(たとえば、n=2、m=4に基づく)を決定し得る。したがって、リソースインジケータビット325のセットとCCEインデックス335の組合せに基づいて、UE115-bは、2という相対的なリソースインデックス315を伴う、第4のリソースセット310の中の割り振られるリソースを決定し得る。UE115-bは、UCIの送信のための利用可能なアップリンク制御チャネルリソース305-aの14番目のリソースを選択するために、この明示的なリソースマッピングおよび暗黙的なリソースマッピングを使用し得る。
【０１２０】
いくつかの場合、この第1の実装形態を使用して動作する基地局105は、明示的な指示だけを使用して(たとえば、リソースインジケータビット325のセットなどの、DCI内のビットを使用して)リソースを割り当てることを試み得る。基地局105は、基地局105が明示的なシグナリングだけを使用してリソース間のコリジョンを解決できない場合(たとえば、y>2xである場合)、暗黙的なマッピングを使用することにフォールバックし得る。
【０１２１】
第2の実装形態(たとえば、UE115-cに関して示されるような)では、基地局105およびUE115-cは、上記と非常に類似した技法を利用し得る。しかしながら、リソースインジケータビット325のセットにおいてリソースセット310を明示的にマッピングし、CCEインデックス335を用いて相対的なリソースインデックス315を暗黙的にマッピングする代わりに、基地局105は、リソースインジケータビット325のセットにおいて相対的なリソースインデックス315を明示的にマッピングし、CCEインデックス335を用いてリソースセット310を暗黙的にマッピングし得る。たとえば、mがリソースセット当たりの数またはリソースではなく、リソースセット310の数を表し得ることを除き、基地局105およびUE115-cは、上記と同様の式を実装し得る。示されるように、UE115-cは、15個の利用可能なアップリンク制御チャネルリソース305-bを有することがあり、リソース305-bを8という標準的なリソースセットサイズを伴う2つのリソースセット310へと編成することがある。
【０１２２】
示されるように、基地局105は、第1のCCEインデックス335において開始するビットの組合せ101を伴うリソースインジケータビット325のセットを含むDCIを送信し得る。第1のCCEインデックス335において開始するDCIを受信したことに基づいて、UE115-cは、割り振られるリソースが第1のリソースセット310の中にあると決定し得る。さらに、ビットの組合せ101に基づいて、UE115-cは、リソースが6番目の相対的なリソースインデックス315にあることを決定し得る。リソースインジケータビット325のセットとCCEインデックス335を組み合わせて使用すると、UE115-cは、UCI送信のために15個の利用可能なリソース305-bのうちの6番目のリソース(たとえば、第1のリソースセット310内の6番目の相対的なリソースインデックス315に対応するリソース)を選択し得る。
【０１２３】
第3の実装形態では、基地局105およびUE115は、リソースを明示的かつ暗黙的にマッピングするために、構成されたオフセット値を実装し得る。たとえば、基地局105は、リソースインジケータビット325のセットを使用してデルタ値を示し得る。xビット330を伴うリソースインジケータビット325のセットは、2x個の可能なデルタ値を含み得る。たとえば、基地局105およびUE115は各々、メモリにテーブルを記憶することができ、ここでテーブルは異なるビットの組合せに対応するデルタ値を指定する。いくつかの場合、デルタ値は均等に間隔が空けられることがあるが、他の場合には、デルタ値はあらゆる構成可能な数に対応することがある。
【０１２４】
やはり、上記のように、基地局105およびUE115は、DCIのアグリゲーションレベルに基づいて(たとえば、準静的または動的に)リソースを決定することがあり、または決定しないことがある。開始CCEインデックス335におけるリソースインジケータビット325のセットを伴うDCI送信を受信するUE115は、以下の式のうちの1つを使用してUCI送信のためのリソースを暗黙的に決定することがあり、
【０１２５】
【数４】
2021503761.tif 000006
【０１２６】
ここでrは割り振られるアップリンク制御チャネルリソースであり、基地局105およびUE115は、マッピングがアグリゲーションレベルに依存するか、またはアグリゲーションレベルに依存しないかに基づいて、式のうちの1つを利用する。
【０１２７】
基地局105は、加えて、または代わりに、DCIを使用してアップリンク制御チャネル送信のための時間長を示し得る。たとえば、UE115は、短時間長送信または長時間長送信のいずれかを使用してUCIを送信するように構成されるRRCであり得る。たとえば、短時間長送信は、長時間長送信よりも少数のシンボルにわたり得る(たとえば、短時間長送信に対しては1または2シンボル、長時間長送信に対しては7または14シンボル)。UE115があるアップリンク制御チャネル送信の時間長を使用して送信するように準静的に構成されるとき、基地局105は時間長の指示を含まないことがある。
【０１２８】
いくつかの場合、UE115は、異なる長さの送信時間長を動的に切り替えるように構成され得る。これらの場合、基地局105は、DCI送信を使用して、短い送信時間長または長い送信時間長のいずれかをUE115に割り当て得る。一実装形態では、基地局105は、短い時間長または長い時間長のいずれかを示すために、インジケータビット(たとえば、ARI)を使用し得る(たとえば、0ビット値は短い時間長を示すことがあり、一方で1ビット値は長い時間長を示すことがある)。第2の実装形態では、基地局105およびUE115は、短い時間長または長い時間長のいずれかを示すように、リソース305を構成し得る。たとえば、UE115がアップリンク制御チャネル送信のために利用すべきリソースインデックスを決定するとき、UE115はリソースインデックスに対応する時間長を決定し得る。示されるように、リソース305は、短時間長領域340および長時間長領域345を含み得る。UE115が短時間長領域340においてリソースを割り当てられる場合、UE115は、短時間長アップリンク制御チャネル送信を使用して(たとえば、短いPUCCHリソースを使用して)UCIを送信すると決定することがあり、UE115が長時間長領域345においてリソースを割り当てられる場合、UE115は、長時間長アップリンク制御チャネル送信を使用して(たとえば、長いPUCCHリソースを使用して)UCIを送信すると決定することがある。別の例では、ダウンリンクチャネル320(たとえば、PDCCH)の異なる領域が、短時間長領域340および長時間長領域345に対応し得る。
【０１２９】
いくつかのワイヤレス通信システムでは、基地局105およびUE115は、上記の技法のうちの1つまたは複数を利用して統一されたフレームワークを実装し得る。利用される技法は、リソースインジケータビット330のセット内のビット330の数x、およびUE115当たりの利用可能なリソース305の数yに依存し得る。基地局105およびUE115は、y≦2xである場合、アップリンク制御チャネルリソースの割振りの明示的なシグナリングを実施し得る。代わりに、x>0かつy>2xである場合、基地局105およびUE115は、上で説明されたような暗黙的なシグナリングおよび明示的なシグナリングの組合せを利用し得る。さらに、x=0である場合、基地局105およびUE115は、リソースインジケータビットにおける明示的なマッピングを何ら伴わずに、暗黙的なマッピングを利用し得る。これらの場合、UE115は、開始CCEインデックス335などの、DCIの何らかの暗黙的な特性に基づいて、割り振られるリソースを決定し得る。UCI送信のための短い時間長または長い時間長を示すために(たとえば、UE115が動的に時間長を決定し得る場合)、基地局105は、DCIの中の1つまたは複数のリソースインジケータビット(たとえば、ARIビット)を使用して時間長を示すことができ、または、ダウンリンクチャネル320もしくはリソース305を短時間長領域340および長時間長領域345に分割することができる。
【０１３０】
上記の実装形態は、任意のアップリンク制御チャネル送信フォーマットに適用され得る。たとえば、1ビットまたは2ビットを伴う短いPUCCHフォーマット、1ビットまたは2ビットを伴う長いPUCCHフォーマット、2ビットより多くを伴う短いPUCCHフォーマット、2ビットより多くを伴う長いPUCCHフォーマット、または、任意の他のフォーマットを利用する基地局105およびUE115は、リソース割振りのために上記の技法を実施し得る。加えて、この実装形態は任意のUCIタイプ(たとえば、ACK UCI、CQIなど)に適用され得る。
【０１３１】
図4A、図4B、および図4Cは、本開示の態様による、リソースのコリジョン400に対処するための技法の例を示す図である。たとえば、図4Aは、本開示の様々な態様による、リソースのコリジョン400-aに対処するための技法を示す。いくつかの場合、UE115は、時間領域において競合するリソースを割り当てられ得る。たとえば、UE115は、第1の期間に対してACKリソース405を割り当てられ、第2の期間に対してリソース410を割り当てられることがあり、ここで第1の期間および第2の期間は重複するシンボル415において重複する。これらの場合、UE115は、割り当てられたリソースのコリジョンに対処するために1つまたは複数の技法を利用し得る。
【０１３２】
説明されるように、UE115は、任意の他のタイプの割当て(たとえば、SR割当て、CQI割当てなど)と競合するACK割当てを受信する。以下の説明は、ACK割当てを含まない競合する割当てにも適用されることを理解されたい。加えて、以下の技法のうちの1つまたは複数は、一緒に使用され得る(たとえば、2つより多くのリソース割当てが時間的に競合する場合)。
【０１３３】
いくつかの場合には、UE115または基地局105は、リソース割振りにおけるビットの数に基づいて動作し得る。たとえば、長い時間長におけるACKリソースおよびSRリソースの1ビットまたは2ビットに対して、基地局105は、割り当てられたACKリソース405または割り当てられたSRリソース410のいずれかに対してブラインド復号を実行し得る。短い時間長におけるACKリソースおよびSRリソースの1ビットまたは2ビットに対して、基地局105およびUE115は、短いアップリンクチャネル(たとえば、PUCCH)シーケンス設計(たとえば、特定のシーケンス巡回シフト値へのマッピング)を利用し得る。
【０１３４】
いくつかの場合(たとえば、ACKおよびSRの2つより多くのビットに対する)、UE115および基地局105は第1の技法を実施し得る。この第1の技法は、UE115が、SR情報とのACK情報の結合符号化を実行し、割り当てられたACKリソース405上でこの結合符号化された情報420を送信することを伴い得る。すなわち、UE115は、単一のPUCCH送信において、ACK情報およびSR情報を多重化し得る。
【０１３５】
上で説明されたSRの場合と同様に、UE115および基地局105は、ACKとCQIのコリジョンのために、リソース割振りにおけるビットの数に基づいて動作し得る。たとえば、長い時間長におけるACKリソースおよびCQIリソースの1ビットまたは2ビットに対して、UE115は、割り当てられたCQIリソース410に変調された復調基準信号(DMRS)を含め得る。短い時間長におけるACKリソースおよびCQIリソースの1ビットまたは2ビットに対して、UE115は、割り当てられたCQIリソース410に変調されたDMRSを含めることができ、または、ACK情報およびCQI情報の結合符号化(たとえば、上で説明されたような)を実行することができる。
【０１３６】
いくつかの場合、UE115および基地局105は、以下の技法のうちの1つまたは複数を使用して動作し得る。第1の技法では、UE115は、ACK情報およびCQI情報の結合符号化を実行することができ、割り当てられるACKリソース405または割り当てられるCQIリソース410のいずれかにおいて、結合符号化された情報420を送信することができる。すなわち、UE115は、単一のPUCCH送信において、ACK情報およびCQI情報を多重化し得る。この場合、UE115と基地局105の両方は、合成されたペイロードサイズ(たとえば、ACK情報とCQI情報の組合せのための)を使用し得る。この事例は、任意の数のACKおよびCQIのビットに対して、または、特定の数のACKビットおよびCQIビットに対して(たとえば、2ビットより多くのACKおよびCQIに対して)実施され得る。
【０１３７】
第2または第3の技法では、UE115は、割り当てられたリソース405および410の時分割多重化(TDM)を実装し得る。これらの場合、UE115は、割り当てられるACKリソース405上でACK情報を送信することができ、割り当てられるCQIリソース410上でCQI情報を送信することができる。UE115は、リソース割当てを修正するために、均等な分割技法または偏った分割技法を利用し得る。たとえば、均等な分割により、UE115は、425において重複するシンボル415を半分に分割することができ、シンボルの半分を割り当てられるACKリソース405に割り当て、他の半分を割り当てられるCQIリソース410に割り当てることができる。UE115は次いで、修正された割り当てられたACKリソース405においてACK情報430-aを送信し、他の割り当てられたリソース410において他の情報435-a(たとえば、CQI情報、TDMをSRのコリジョンに適用する場合にはSR情報など)を送信することができる。
【０１３８】
いくつかの場合、重複するシンボル415を均等に分割する代わりに、UE115は、偏った技法を使用して、これらの重複するシンボルを割り当てられるリソースの単一のセットに割り当てることができる。たとえば、いくつかの場合、UE115はACK情報430-bを送信することを優先することができる。この場合、UE115は、重複するシンボル415を割り当てられるACKリソース405に割り当てることができ、最初に割り当てられたACKリソース405においてACK情報430-bを送信することができる。UE115は加えて、修正された割り当てられるリソース410において他の情報435-bを(たとえば、修正された割り当てられたCQIリソース410においてCQI情報を)送信し得る。いくつかの場合、UE115は、割り当てられるACKリソース405が他の割り当てられるリソース410とは異なる数のシンボルを受信するような方法で、重複するシンボル415を分割し得る。
【０１３９】
第4の技法では、UE115は、(たとえば、UE115のために構成される1つまたは複数の省略規則に従って)1つの送信を省略し、割り当てられるリソースのセットのうちの1つを使用して一部の情報だけを送信し得る。たとえば、示されるように、UE115は、割り当てられるリソース410の情報(たとえば、CQI情報)を省略することができ、割り当てられるリソース405においてACK情報430-cだけを送信することができる。
【０１４０】
いくつかの場合、UE115はこれらの技法の組合せを利用し得る。たとえば、UE115が、ACK送信、SR送信、およびCQI送信のための競合するリソース割振りを受信する場合、UE115は、情報の一部(たとえば、ACK情報およびSR情報)を一緒に符号化して送信するために結合符号化を実行することができ、リソースの異なるセットにおいて情報の第3のセットを送信する(たとえば、CQIリソースの修正されたセットにおいてCQI情報を送信する)ために上記のリソース分割技法のうちの1つを実行することができる。
【０１４１】
リソースコリジョンの別の例では、UE115は、重複する長いチャネル割振りおよび短いチャネル割振りを用いて基地局105によって構成され得る。これらの長いPUCCHリソースおよび短いPUCCHリソースの時間長はRRCで構成され得る。いくつかの場合、これらの長いチャネルおよび短いチャネルの周波数分割多重化(FDM)を避けるために、UE115は、長いチャネル送信の最後の部分を省略することによって、(たとえば、任意の重複するシンボル415を削除するために)長いチャネルのより短いバージョンをスケジューリングし得る。いくつかの場合、短時間長チャネル送信(たとえば、短いACK送信、短いSR送信、またはこれら2つの組合せ)は、自己完結型の送信となるように動的に構成され得る。これらのコリジョン回避技法は、長い時間長のコリジョンと短い時間長のコリジョンの任意の組合せ(たとえば、長い物理アップリンク共有チャネル(PUSCH)、長いCQI、長いACK、長いSR、短いPUSCH、短いCQI、短いACK、短いSRなど)に適用され得る。
【０１４２】
図4Bは、本開示の様々な態様による、リソースのコリジョン400-bに対処するための技法を示す。リソースのコリジョンのこの例では、UE115は、UE115のスロット構造と揃わないアップリンク制御チャネルリソース(たとえば、PUCCHリソース440)を割り当てられ得る。たとえば、基地局105は、スロットにおいて14シンボルの時間長を伴う、シンボル0で開始する長いPUCCH送信440のためにUE115を構成し得る。しかしながら、割り当てられるスロットは、アップリンクロングバースト455の割振りに加えて、1つまたは複数のダウンリンクシンボル(たとえば、PDCCHシンボル445)および1つまたは複数のギャップシンボル450を含み得る。これらの場合、UE115は、スロット構造と一致するようにリソース割振りを調整し得る。たとえば、UE115は、UE115がアップリンクロングバースト455の領域においてPUCCH情報を送信できるように、長いPUCCH送信440の最初の3つのシンボル460を除去し得る。
【０１４３】
図4Cは、本開示の様々な態様による、リソースのコリジョン400-cに対処するための技法を示す。リソースコリジョンのこの例では、UE115は、重複するチャネル状態情報(CSI)シンボル465およびACKシンボル470を用いて基地局105によって構成され得る。たとえば、UE115は、重複する1つのシンボルACK470とともに、2つのシンボルCSI465-aおよび465-bを割り振られ得る。これは、自己完結型のACK470の例であり得る。
【０１４４】
(たとえば、UE115が連続しないRBを用いて送信する)マルチクラスタ送信を実行するのを避けるために、UE115はシンボルまたは送信を修正し得る。たとえば、UE115は、CSIシンボル465(および対応するCQI)の両方を省略することがあり、ACKシンボル470においてACK情報を送信することだけであることがある。別の場合には、UE115は、任意の重複するCSIシンボル465(たとえば、CSIシンボル465-b)を省略することができ、残りのCSIシンボル465を使用してCSI(たとえば、CQI)を送信することができる。たとえば、UE115は、CSIシンボル465-aおよびACKシンボル470を使用して送信し得る。さらに別の場合には、UE115は1つまたは複数のシンボルにおいて結合符号化を実行し得る。たとえば、UE115は、CSIシンボル465-aを使用して送信することができ、CSIシンボル465-bのためのCSI情報またはCQI情報をACKシンボル470のためのACK情報と結合符号化することができ、第2のシンボルにおいて結合符号化された情報を送信することができる。
【０１４５】
図5は、本開示の態様による、アップリンク制御チャネル割振りをサポートするプロセスフロー500の例を示す。プロセスフロー500は、基地局105-bおよびUE115-dを含むことがあり、基地局105-bおよびUE115-dは、たとえば、図1〜図4を参照して上で説明されたデバイスの例であり得る。
【０１４６】
505において、基地局105-bは、割振りのためにアップリンク制御チャネルリソースを特定し得る。510において、基地局105-bは、特定されたリソースに基づいて、送信のためのリソースインジケータビット(たとえば、ARIビット)および第1のCCEを決定し得る。たとえば、基地局105-bは、特定されたアップリンク制御チャネルリソースに基づいてリソースインジケータビットのセットを決定することができ、送信のために1つまたは複数のCCEを選択することができ、1つまたは複数のCCEの第1のCCEおよびリソースインジケータビットのセットは、(たとえば、何らかの明示的なリソースマッピングまたは暗黙的なリソースマッピングに従って)アップリンク制御チャネルリソースを示す。515において、基地局105-bは、1つまたは複数のCCEにおいてリソースインジケータビットのセットをUE115-dに送信し得る。
【０１４７】
UE115-dは、1つまたは複数のCCEにおいてリソースインジケータビットのセットを受信することができ、520において、リソースインジケータビットのセットのための可能なビットの組合せの数が利用可能なアップリンク制御チャネルリソースの数より少ないと決定することができる。この決定に基づいて、UE115-dは、1つまたは複数のCCEの第1のCCEを特定することができる。525において、UE115-dは、リソースインジケータビットのセットおよび1つまたは複数のCCEの第1のCCEに基づいて、UCI送信のためのアップリンク制御チャネルリソースを選択することができる。530において、UE115-dは、選択されたアップリンク制御チャネルリソースを使用してUCIを基地局105-bに送信することができる。
【０１４８】
図6は、本開示の態様による、リソースのコリジョンへの対処をサポートするプロセスフロー600の例を示す。プロセスフロー600は、基地局105-cおよびUE115-eを含むことがあり、基地局105-cおよびUE115-eは、たとえば、図1〜図5を参照して上で説明されたデバイスの例であり得る。
【０１４９】
605において、基地局105-cは、シンボルの第1のセットのための第1のリソース割当てをUE115-e(たとえば、ACKリソース割当て)に送信することができる。610において、基地局105-cは、シンボルの第2のセットのための第2のリソース割当てをUE115-e(たとえば、SRリソース割当てまたはCQIリソース割当て)に送信することができる。615において、UE115-eは、第1のリソース割当てのための第1のリソースおよび第2のリソース割当てのための第2のリソースが競合する(たとえば、シンボルの第1のセットおよびシンボルの第2のセットの1つまたは複数のシンボルが重複する)ことを決定することができる。620において、UE115-eは、第1のリソース割当てのための第1のリソース、第2のリソース割当てのための第2のリソース、または両方を修正することができる。625において、UE115-cは、第1のリソース割当て(たとえば、いくつかの場合、修正された第1のリソース)に基づいて第1の情報を基地局105-cに送信することができる。いくつかの場合、630において、UE115-cは、(たとえば、修正された第2のリソースにおいて)第2の情報を基地局105-cに送信することができる。いくつかの場合、UE115-eは、第1の情報と第2の情報を結合符号化することができ、第1のリソースまたは第2のリソースにおいて両方を一緒に送信することができる。
【０１５０】
図7は、本開示の態様によるワイヤレスデバイス705のブロック図700を示す。ワイヤレスデバイス705は、本明細書で説明されるようなUE115の態様の例であり得る。ワイヤレスデバイス705は、受信機710と、UEアップリンク制御チャネルリソース割振りモジュール715と、送信機720とを含み得る。ワイヤレスデバイス705はプロセッサも含み得る。これらの構成要素の各々は、(たとえば、1つまたは複数のバスを介して)互いに通信していることがある。
【０１５１】
受信機710は、パケット、ユーザデータ、または様々な情報チャネルと関連付けられる制御情報(たとえば、制御チャネル、データチャネル、およびアップリンク制御チャネルリソース割振りに関する情報など)などの、情報を受信し得る。情報はデバイスの他の構成要素に受け渡され得る。受信機710は、図10を参照して説明されるトランシーバ1035の態様の例であり得る。受信機710は、単一のアンテナまたはアンテナのセットを利用し得る。
【０１５２】
UEアップリンク制御チャネルリソース割振りモジュール715は、図10を参照して説明されるUEアップリンク制御チャネルリソース割振りモジュール1015の態様の例であり得る。UEアップリンク制御チャネルリソース割振りモジュール715および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UEアップリンク制御チャネルリソース割振りモジュール715および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明される機能を実行するように設計されたそれらの任意の組合せによって実行され得る。UEアップリンク制御チャネルリソース割振りモジュール715および/またはその様々な下位構成要素のうちの少なくともいくつかは、機能の一部が1つまたは複数の物理デバイスによって異なる物理的位置において実装されるように分散されることを含めて、様々な場所に物理的に位置し得る。いくつかの例では、UEアップリンク制御チャネルリソース割振りモジュール715および/またはその様々な下位構成要素のうちの少なくともいくつかは、本開示の様々な態様による別個のおよび異なる構成要素であり得る。他の例では、UEアップリンク制御チャネルリソース割振りモジュール715および/またはその様々な下位構成要素のうちの少なくともいくつかは、限定はされないが、入力/出力(I/O)構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０１５３】
UEアップリンク制御チャネルリソース割振りモジュール715は、1つまたは複数のCCEにおいてリソースインジケータビットのセットを受信し、リソースインジケータビットのセットに対する可能なビットの組合せが利用可能なアップリンク制御チャネルリソースより少ないと決定し、この決定に基づいて1つまたは複数のCCEの第1のCCEを特定し、リソースインジケータビットのセットおよび1つまたは複数のCCEの第1のCCEに基づいてUCI送信のためのアップリンク制御チャネルリソースを選択し、選択されたアップリンク制御チャネルリソースを使用してUCIを送信することができる。
【０１５４】
加えて、または代わりに、UEアップリンク制御チャネルリソース割振りモジュール715は、シンボルの第1のセットのための第1のリソース割当てを受信し、シンボルの第2のセットのための第2のリソース割当てを受信し、シンボルの第1のセットおよびシンボルの第2のセットがシンボルの重複するセットを含み、第1のリソース割当てのための第1のリソース、第2のリソース割当てのための第2のリソース、または両方を修正し、第1のリソース割当てに基づいて第1の情報を送信し得る。
【０１５５】
送信機720は、デバイスの他の構成要素によって生成された信号を送信し得る。いくつかの例では、送信機720は、トランシーバモジュールにおいて受信機710と併置され得る。たとえば、送信機720は、図10を参照して説明されるトランシーバ1035の態様の例であり得る。送信機720は、単一のアンテナまたはアンテナのセットを利用し得る。
【０１５６】
図8は、本開示の態様によるワイヤレスデバイス805のブロック図800を示す。ワイヤレスデバイス805は、図7を参照して説明されたようなワイヤレスデバイス705またはUE115の態様の例であり得る。ワイヤレスデバイス805は、受信機810と、UEアップリンク制御チャネルリソース割振りモジュール815と、送信機820とを含み得る。ワイヤレスデバイス805はプロセッサも含み得る。これらの構成要素の各々は、(たとえば、1つまたは複数のバスを介して)互いに通信していることがある。
【０１５７】
受信機810は、パケット、ユーザデータ、または様々な情報チャネルと関連付けられる制御情報(たとえば、制御チャネル、データチャネル、およびアップリンク制御チャネルリソース割振りに関する情報など)などの、情報を受信し得る。情報はデバイスの他の構成要素に受け渡され得る。受信機810は、図10を参照して説明されるトランシーバ1035の態様の例であり得る。受信機810は、単一のアンテナまたはアンテナのセットを利用し得る。
【０１５８】
UEアップリンク制御チャネルリソース割振りモジュール815は、図10を参照して説明されるUEアップリンク制御チャネルリソース割振りモジュール1015の態様の例であり得る。UEアップリンク制御チャネルリソース割振りモジュール815はまた、受信構成要素825、暗黙的関係識別器830、リソースマッピング構成要素835、UCI送信構成要素840、リソース割当て構成要素845、リソース修正構成要素850、および送信構成要素855を含み得る。
【０１５９】
受信構成要素825は、1つまたは複数のCCEにおいてリソースインジケータビットのセットを受信し得る。いくつかの場合、リソースインジケータビットのセットは、ダウンリンクグラントまたはアップリンクグラントにおいて受信される。いくつかの場合、リソースインジケータビットのセットはARIビットのセットを含む。
【０１６０】
暗黙的関係識別器830は、リソースインジケータビットのセットに対する可能なビットの組合せが、利用可能なアップリンク制御チャネルリソースより少ないと決定し得る。暗黙的関係識別器830はまた、この決定に基づいて1つまたは複数のCCEの第1のCCEを特定し得る。いくつかの場合、1つまたは複数のCCEの第1のCCEは、ダウンリンクグラントまたはアップリンクグラントのための初期のCCEを含む。
【０１６１】
リソースマッピング構成要素835は、リソースインジケータビットのセットおよび1つまたは複数のCCEの第1のCCEに基づいて、UCI送信のためのアップリンク制御チャネルリソースを選択することができる。
【０１６２】
UCI送信構成要素840は、選択されたアップリンク制御チャネルリソースを使用してUCIを送信することができる。
【０１６３】
加えて、または代わりに、リソース割当て構成要素845は、シンボルの第1のセットのための第1のリソース割当てを受信することができ、シンボルの第2のセットのための第2のリソース割当てを受信することができ、シンボルの第1のセットおよびシンボルの第2のセットはシンボルの重複するセットを含む。
【０１６４】
リソース修正構成要素850は、第1のリソース割当てのための第1のリソース、第2のリソース割当てのための第2のリソース、または両方を修正することができる。
【０１６５】
送信構成要素855は、第1のリソース割当てに基づいて第1の情報を送信することができる。
【０１６６】
送信機820は、デバイスの他の構成要素によって生成された信号を送信し得る。いくつかの例では、送信機820は、トランシーバモジュールにおいて受信機810と併置され得る。たとえば、送信機820は、図10を参照して説明されるトランシーバ1035の態様の例であり得る。送信機820は、単一のアンテナまたはアンテナのセットを利用し得る。
【０１６７】
図9は、本開示の態様による、UEアップリンク制御チャネルリソース割振りモジュール915のブロック図900を示す。UEアップリンク制御チャネルリソース割振りモジュール915は、図7、図8、および図10を参照して説明される、UEアップリンク制御チャネルリソース割振りモジュール715、UEアップリンク制御チャネルリソース割振りモジュール815、またはUEアップリンク制御チャネルリソース割振りモジュール1015の態様の例であり得る。UEアップリンク制御チャネルリソース割振りモジュール915は、受信構成要素920、暗黙的関係識別器925、リソースマッピング構成要素930、UCI送信構成要素935、リソース割当て構成要素940、リソース修正構成要素945、送信構成要素950、アグリゲーションレベル決定構成要素955、ACKペイロード構成要素960、アップリンク制御チャネル時間長構成要素965、明示的マッピング構成要素970、暗黙的マッピング構成要素975、結合符号化構成要素980、シンボル分割構成要素985、割当て省略構成要素990、および複数重複対処構成要素995を含み得る。これらのモジュールの各々は、直接または間接的に(たとえば、1つまたは複数のバスを介して)互いに通信し得る。
【０１６８】
受信構成要素920は、1つまたは複数のCCEにおいてリソースインジケータビットのセットを受信し得る。いくつかの場合、リソースインジケータビットのセットは、ダウンリンクグラントまたはアップリンクグラントにおいて受信される。いくつかの場合、リソースインジケータビットのセットはARIビットのセットを含む。
【０１６９】
暗黙的関係識別器925は、リソースインジケータビットのセットに対する可能なビットの組合せが利用可能なアップリンク制御チャネルリソースより少ないと決定し、この決定に基づいて1つまたは複数のCCEの第1のCCEを特定し得る。いくつかの場合、1つまたは複数のCCEの第1のCCEは、ダウンリンクグラントまたはアップリンクグラントのための初期のCCEを含む。
【０１７０】
リソースマッピング構成要素930は、リソースインジケータビットのセットおよび1つまたは複数のCCEの第1のCCEに基づいて、UCI送信のためのアップリンク制御チャネルリソースを選択することができる。いくつかの場合、アップリンク制御チャネルリソースを選択することは、リソースインジケータビットのセットに基づいてアップリンク制御チャネルリソースセットを決定することと、第1のCCEに基づいて相対的なアップリンク制御チャネルリソースインデックスを決定することとを含み、選択されたアップリンク制御チャネルリソースは、アップリンク制御チャネルリソースセット内での相対的なアップリンク制御チャネルリソースインデックスに対応する。いくつかの場合、アップリンク制御チャネルリソースを選択することは、第1のCCEに基づいてアップリンク制御チャネルリソースセットを決定することと、リソースインジケータビットのセットに基づいて相対的なアップリンク制御チャネルリソースインデックスを決定することとを含み、選択されたアップリンク制御チャネルリソースは、アップリンク制御チャネルリソースセット内での相対的なアップリンク制御チャネルリソースインデックスに対応する。いくつかの場合、アップリンク制御チャネルリソースを選択することは、リソースインジケータビットのセットに基づいてオフセット値を決定することと、第1のCCEおよび決定されたオフセット値の組合せに基づいてアップリンク制御チャネルリソースを選択することとを含む。いくつかの場合、アップリンク制御チャネルリソースを選択することはさらに、アグリゲーションレベルに基づく。いくつかの場合、アップリンク制御チャネルリソースはPUCCHリソースを含む。UCI送信構成要素935は、選択されたアップリンク制御チャネルリソースを使用してUCIを送信することができる。
【０１７１】
アグリゲーションレベル決定構成要素955は、アップリンク制御チャネルリソースセット内でのアップリンク制御チャネルリソースインデックスをリソースの閾値と比較し、アップリンク制御チャネルリソースセット内でのアップリンク制御チャネルリソースインデックスがリソースの閾値未満である場合、アグリゲーションレベルに基づいてアップリンク制御チャネルリソースを選択すると決定し得る。
【０１７２】
いくつかの場合、UCIは、ACKペイロードサイズに従ったACKビットを含む。いくつかの場合、ACKペイロードサイズは、RRCで構成されるACKペイロードサイズを含む。ACKペイロード構成要素960は、RRCで構成されるACKペイロードサイズに従ったACKビットより少ない数のダウンリンク共有チャネルを受信し、ダウンリンク共有チャネルの復号された結果に対応するビット値のACKビットをACKペイロードへと挿入し、RRCで構成されるACKペイロードサイズを取得するために、受信されていないダウンリンク共有チャネルに対応するデフォルトビット値のACKビットをACKペイロードへと挿入し得る。いくつかの場合、ACKペイロード構成要素960は、DCIにおいて割当てインデックスビットのセットを受信し、割当てインデックスビットのセットに基づいてACKペイロードサイズを決定し得る。いくつかの場合、DCIは、DCIのフォーマットに基づいてある数の割当てインデックスビットを含む。いくつかの場合、ACKペイロード構成要素960は、第1のTTIにおける第1のダウンリンク制御チャネル送信、第2のTTIにおける第2のダウンリンク制御チャネル送信、または両方を受信し、第1のダウンリンク制御チャネル送信、第2のダウンリンク制御チャネル送信、または両方を受信したことに基づいて、ACKペイロードサイズ、ACKビットリソース、または両方を決定し得る。
【０１７３】
いくつかの場合、アップリンク制御チャネル時間長構成要素965は、リソースインジケータビットのセットに基づいて、短いアップリンク制御チャネル送信または長いアップリンク制御チャネル送信のいずれかにおいてUCIを送信することを決定し得る。他の場合には、UCIは、RRC構成に従って、短いアップリンク制御チャネル送信または長いアップリンク制御チャネル送信のいずれかにおいて送信される。
【０１７４】
明示的マッピング構成要素970は、CCEの第2のセットにおいてリソースインジケータビットの第2のセットを受信し、リソースインジケータビットの第2のセットに対する更新された可能なビットの組合せが、更新された利用可能なアップリンク制御チャネルリソース以上であると決定し、リソースインジケータビットの第2のセットに基づいて第2のUCI送信のための第2のアップリンク制御チャネルリソースを選択することができ、第2のアップリンク制御チャネルリソースを選択することは、リソースインジケータビットの第2のセットに対する更新された可能なビットの組合せが、更新された利用可能なアップリンク制御チャネルリソース以上であると決定したことに従って、CCEの第2のセットの第1のCCEに基づかない。
【０１７５】
暗黙的マッピング構成要素975は、CCEの第2のセットにおいて追加のダウンリンク制御情報を受信し、追加のダウンリンク制御情報がビットの閾値より少ないリソースインジケータビットを含むと決定し、CCEの第2のセットのうちのあるCCEに基づいて、第2のUCI送信のための第2のアップリンク制御チャネルリソースを選択し、第2のアップリンク制御チャネルリソースを選択することが、追加のダウンリンク制御情報がビットの閾値より少ないリソースインジケータビットを含むと決定することに基づき、選択された第2のアップリンク制御チャネルリソースを使用して第2のUCIを送信し得る。いくつかの場合、追加のダウンリンク制御情報は0個のリソースインジケータビットを含む。これらの場合、第2のUCIは、RRC構成に従って、短いアップリンク制御チャネル送信または長いアップリンク制御チャネル送信のいずれかにおいて送信される。いくつかの場合、追加のダウンリンク制御情報は少なくとも1つのリソースインジケータビットを含む。これらの場合、少なくとも1つのリソースインジケータビットに基づいて、短いアップリンク制御チャネル送信または長いアップリンク制御チャネル送信のいずれかにおいて第2のUCIが送信される。
【０１７６】
リソース割当て構成要素940は、シンボルの第1のセットのための第1のリソース割当てを受信して、シンボルの第2のセットのための第2のリソース割当てを受信することができ、シンボルの第1のセットおよびシンボルの第2のセットはシンボルの重複するセットを含む。いくつかの場合、第1のリソース割当ておよび第2のリソース割当ては、異なる長さのリソース割当てに対応する。いくつかの場合、第1のリソース割当て、第2のリソース割当て、または両方が、ACKリソース割当て、SRリソース割当て、CQIリソース割当て、CSIリソース割当て、またはこれらの組合せを含む。
【０１７７】
リソース修正構成要素945は、第1のリソース割当てのための第1のリソース、第2のリソース割当てのための第2のリソース、または両方を修正することができる。
【０１７８】
送信構成要素950は、第1のリソース割当てに基づいて第1の情報を送信することができる。
【０１７９】
結合符号化構成要素980は、第2のリソース割当てと関連付けられる第2の情報との第1の情報の結合符号化を実行し、結合符号化された第1の情報および第2の情報を送信し得る。いくつかの場合、結合符号化された第1の情報および第2の情報は、第1のリソース割当てのための第1のリソースにおいて送信される。
【０１８０】
シンボル分割構成要素985は、第1のリソース割当てのための第1のリソースまたは第2のリソース割当てのための第2のリソースのいずれかにシンボルの重複するセットの各シンボルを割り当て、この割当てに基づいて第2のリソース割当てと関連付けられる第2の情報を送信し得る。
【０１８１】
割当て省略構成要素990は、シンボルの重複するセットに基づいて、第2のリソース割当てと関連付けられる第2の情報の送信を避けることができる。
【０１８２】
複数重複対処構成要素995は、シンボルの第3のセットのための第3のリソース割当てを受信し、シンボルの第3のセットがシンボルの重複するセットの少なくとも一部分を含み、第2のリソース割当てと関連付けられる第2の情報との第1の情報の結合符号化を実行し、第1のリソース割当てのための第1のリソースにおいて結合符号化された第1の情報および第2の情報を送信し、第3のリソース割当てに基づいて、第3のリソース割当てと関連付けられる第3の情報を送信し得る。
【０１８３】
図10は、本開示の態様による、デバイス1005を含むシステム1000の図を示す。デバイス1005は、たとえば、図7および図8を参照して上で説明されたような、ワイヤレスデバイス705、ワイヤレスデバイス805、またはUE115の構成要素の例であるか、またはそれらを含み得る。デバイス1005は、UEアップリンク制御チャネルリソース割振りモジュール1015、プロセッサ1020、メモリ1025、ソフトウェア1030、トランシーバ1035、アンテナ1040、およびI/Oコントローラ1045を含む、通信を送信および受信するための構成要素を含む、双方向音声およびデータ通信のための構成要素を含み得る。これらの構成要素は、1つまたは複数のバス(たとえば、バス1010)を介して電子的に通信していることがある。デバイス1005は、1つまたは複数の基地局105とワイヤレスに通信することができる。
【０１８４】
プロセッサ1020は、インテリジェントハードウェアデバイス(たとえば、汎用プロセッサ、DSP、中央処理装置(CPU)、マイクロコントローラ、ASIC、FPGA、プログラマブル論理デバイス、個別のゲートもしくはトランジスタ論理構成要素、個別のハードウェア構成要素、またはこれらの任意の組合せ)を含み得る。いくつかの場合、プロセッサ1020は、メモリコントローラを使用してメモリアレイを動作させるように構成され得る。他の場合には、メモリコントローラはプロセッサ1020に組み込まれ得る。プロセッサ1020は、様々な機能(たとえば、アップリンク制御チャネルリソース割振りをサポートする機能またはタスク)を実行するためにメモリに記憶されているコンピュータ可読命令を実行するように構成され得る。
【０１８５】
メモリ1025は、ランダムアクセスメモリ(RAM)と、読取り専用メモリ(ROM)とを含み得る。メモリ1025は、実行されると、プロセッサに、本明細書で説明される様々な機能を実行させる命令を含む、コンピュータ可読のコンピュータ実行可能ソフトウェア1030を記憶し得る。いくつかの場合、メモリ1025は、特に、周辺構成要素またはデバイスとの相互作用などの、基本的なハードウェアまたはソフトウェア動作を制御し得る基本入力/出力システム(BIOS)を含み得る。
【０１８６】
ソフトウェア1030は、本開示の態様を実装するためのコードを含み得る。ソフトウェア1030は、システムメモリまたは他のメモリなどの非一時的コンピュータ可読媒体に記憶され得る。いくつかの場合、ソフトウェア1030は、プロセッサによって直接実行可能ではないことがあるが、(たとえば、コンパイルおよび実行されると)本明細書で説明される機能をコンピュータに実行させ得る。
【０１８７】
トランシーバ1035は、上で説明されたように、1つまたは複数のアンテナ、有線リンク、またはワイヤレスリンクを介して、双方向に通信することができる。たとえば、トランシーバ1035は、ワイヤレストランシーバを表すことができ、別のワイヤレストランシーバと双方向に通信することができる。トランシーバ1035はまた、パケットを変調し、変調されたパケットを送信のためにアンテナに与えるために、およびアンテナから受信されたパケットを復調するために、モデムを含み得る。
【０１８８】
いくつかの場合、ワイヤレスデバイスは、単一のアンテナ1040を含み得る。ただし、いくつかの場合、デバイスは1つより多くのアンテナ1040を有することができ、複数のアンテナ1040は、複数のワイヤレス送信を並行して送信または受信することが可能であり得る。
【０１８９】
I/Oコントローラ1045は、デバイス1005のための入出力信号を管理することができる。I/Oコントローラ1045はまた、デバイス1005に組み込まれていない周辺装置を管理することができる。いくつかの場合、I/Oコントローラ1045は、外部周辺装置への物理的な接続またはポートを表し得る。いくつかの場合、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または別の既知のオペレーティングシステムなどのオペレーティングシステムを利用することができる。いくつかの場合、I/Oコントローラ1045は、モデム、キーボード、マウス、タッチスクリーン、または同様のデバイスを表すか、またはそれと対話することができる。いくつかの場合、I/Oコントローラ1045は、プロセッサの一部として実装され得る。いくつかの場合、ユーザは、I/Oコントローラ1045を介して、またはI/Oコントローラ1045によって制御されるハードウェア構成要素を介して、デバイス1005と対話することができる。
【０１９０】
図11は、本開示の態様によるワイヤレスデバイス1105のブロック図1100を示す。ワイヤレスデバイス1105は、本明細書で説明されるような、基地局105の態様の例であり得る。ワイヤレスデバイス1105は、受信機1110と、基地局アップリンク制御チャネルリソース割振りモジュール1115と、送信機1120とを含み得る。ワイヤレスデバイス1105はプロセッサも含み得る。これらの構成要素の各々は、(たとえば、1つまたは複数のバスを介して)互いに通信していることがある。
【０１９１】
受信機1110は、パケット、ユーザデータ、または、様々な情報チャネル(たとえば、制御チャネル、データチャネルなど)と関連付けられる制御情報などの情報を受信し得る。情報はデバイスの他の構成要素に受け渡され得る。受信機1110は、図14を参照して説明されるトランシーバ1435の態様の例であり得る。受信機1110は、単一のアンテナまたはアンテナのセットを利用し得る。
【０１９２】
基地局アップリンク制御チャネルリソース割振りモジュール1115は、図14を参照して説明される基地局アップリンク制御チャネルリソース割振りモジュール1415の態様の例であり得る。
【０１９３】
基地局アップリンク制御チャネルリソース割振りモジュール1115および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局アップリンク制御チャネルリソース割振りモジュール1115および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示において説明される機能を実行するように設計されたそれらの任意の組合せによって実行され得る。基地局アップリンク制御チャネルリソース割振りモジュール1115および/またはその様々な下位構成要素のうちの少なくともいくつかは、機能の一部が1つまたは複数の物理デバイスによって異なる物理的位置において実装されるように分散されることを含めて、様々な場所に物理的に位置し得る。いくつかの例では、基地局アップリンク制御チャネルリソース割振りモジュール1115および/またはその様々な下位構成要素のうちの少なくともいくつかは、本開示の様々な態様による別個のおよび異なる構成要素であり得る。他の例では、基地局アップリンク制御チャネルリソース割振りモジュール1115、および/またはその様々な下位構成要素のうちの少なくともいくつかは、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０１９４】
基地局アップリンク制御チャネルリソース割振りモジュール1115は、割振りのためのアップリンク制御チャネルリソースを特定し、特定されたアップリンク制御チャネルリソースに基づいてリソースインジケータのセットを決定し、送信のための1つまたは複数のCCEを選択し、1つまたは複数のCCEの第1のCCEおよびリソースインジケータビットのセットがアップリンク制御チャネルリソースを示し、1つまたは複数のCCEにおいてリソースインジケータビットのセットを送信し得る。
【０１９５】
送信機1120は、デバイスの他の構成要素によって生成された信号を送信し得る。いくつかの例では、送信機1120は、トランシーバモジュールにおいて受信機1110と併置され得る。たとえば、送信機1120は、図14を参照して説明されるトランシーバ1435の態様の例であり得る。送信機1120は、単一のアンテナまたはアンテナのセットを利用し得る。
【０１９６】
図12は、本開示の態様によるワイヤレスデバイス1205のブロック図1200を示す。ワイヤレスデバイス1205は、図11を参照して説明されたようなワイヤレスデバイス1105または基地局105の態様の例であり得る。ワイヤレスデバイス1205は、受信機1210と、基地局アップリンク制御チャネルリソース割振りモジュール1215と、送信機1220とを含み得る。ワイヤレスデバイス1205はプロセッサも含み得る。これらの構成要素の各々は、(たとえば、1つまたは複数のバスを介して)互いに通信していることがある。
【０１９７】
受信機1210は、パケット、ユーザデータ、または、様々な情報チャネル(たとえば、制御チャネル、データチャネルなど)と関連付けられる制御情報などの情報を受信し得る。情報はデバイスの他の構成要素に受け渡され得る。受信機1210は、図14を参照して説明されるトランシーバ1435の態様の例であり得る。受信機1210は、単一のアンテナまたはアンテナのセットを利用し得る。
【０１９８】
基地局アップリンク制御チャネルリソース割振りモジュール1215は、図14を参照して説明される基地局アップリンク制御チャネルリソース割振りモジュール1415の態様の例であり得る。基地局アップリンク制御チャネルリソース割振りモジュール1215はまた、リソース識別子1225、インジケータビット決定構成要素1230、CCE決定構成要素1235、および送信構成要素1240を含み得る。
【０１９９】
リソース識別子1225は、割振りのためのアップリンク制御チャネルリソースを特定し、割振りのための第2のアップリンク制御チャネルリソースを特定し得る。いくつかの場合、アップリンク制御チャネルリソースはPUCCHリソースを含む。
【０２００】
インジケータビット決定構成要素1230は、特定されたアップリンク制御チャネルリソースに基づいて、リソースインジケータビットのセットを決定し得る。いくつかの場合、リソースインジケータビットのセットはARIビットのセットを含む。
【０２０１】
CCE決定構成要素1235は、送信のための1つまたは複数のCCEを選択することができ、1つまたは複数のCCEの第1のCCEおよびリソースインジケータのセットは、アップリンク制御チャネルリソースを示す。いくつかの場合、1つまたは複数のCCEの第1のCCEは、ダウンリンクグラントまたはアップリンクグラントのための初期のCCEを含む。
【０２０２】
送信構成要素1240は、1つまたは複数のCCEにおいてリソースインジケータビットのセットを送信し得る。いくつかの場合、リソースインジケータビットのセットは、ダウンリンクグラントまたはアップリンクグラントにおいて送信される。
【０２０３】
送信機1220は、デバイスの他の構成要素によって生成された信号を送信し得る。いくつかの例では、送信機1220は、トランシーバモジュールにおいて受信機1210と併置され得る。たとえば、送信機1220は、図14を参照して説明されるトランシーバ1435の態様の例であり得る。送信機1220は、単一のアンテナまたはアンテナのセットを利用し得る。
【０２０４】
図13は、本開示の態様による、基地局アップリンク制御チャネルリソース割振りモジュール1315のブロック図1300を示す。基地局アップリンク制御チャネルリソース割振りモジュール1315は、図11、図12、および図14を参照して説明される基地局アップリンク制御チャネルリソース割振りモジュール1415の態様の例であり得る。基地局アップリンク制御チャネルリソース割振りモジュール1315は、リソース識別子1320、インジケータビット決定構成要素1325、CCE決定構成要素1330、送信構成要素1335、リソースマッピング構成要素1340、アグリゲーションレベル決定構成要素1345、受信構成要素1350、ブラインド検出構成要素1355、ACKペイロード割当て構成要素1360、時間長決定構成要素1365、明示的マッピング構成要素1370、暗黙的マッピング構成要素1375、および時間長マッピング構成要素1380を含み得る。これらのモジュールの各々は、直接または間接的に(たとえば、1つまたは複数のバスを介して)互いに通信し得る。
【０２０５】
リソース識別子1320は、割振りのためのアップリンク制御チャネルリソースを特定し、割振りのための第2のアップリンク制御チャネルリソースを特定し得る。いくつかの場合、アップリンク制御チャネルリソースはPUCCHリソースを含む。
【０２０６】
インジケータビット決定構成要素1325は、特定されたアップリンク制御チャネルリソースに基づいて、リソースインジケータビットのセットを決定し得る。いくつかの場合、リソースインジケータビットのセットはARIビットのセットを含む。
【０２０７】
CCE決定構成要素1330は、送信のための1つまたは複数のCCEを選択することができ、1つまたは複数のCCEの第1のCCEおよびリソースインジケータビットのセットは、アップリンク制御チャネルリソースを示す。いくつかの場合、1つまたは複数のCCEの第1のCCEは、ダウンリンクグラントまたはアップリンクグラントのための初期のCCEを含む。
【０２０８】
送信構成要素1335は、1つまたは複数のCCEにおいてリソースインジケータビットのセットを送信し得る。いくつかの場合、リソースインジケータビットのセットは、ダウンリンクグラントまたはアップリンクグラントにおいて送信される。
【０２０９】
リソースマッピング構成要素1340は、リソースインジケータビットのセットおよび第1のCCEをアップリンク制御チャネルリソースにマッピングするための技法または規則を含み得る。いくつかの場合、リソースインジケータビットのセットは、アップリンク制御チャネルリソースセットを示し、第1のCCEは、アップリンク制御チャネルリソースセット内での相対的なアップリンク制御チャネルリソースインデックスを示す。いくつかの場合、第1のCCEは、アップリンク制御チャネルリソースセットを示し、リソースインジケータビットのセットが、アップリンク制御チャネルリソースセット内での相対的なアップリンク制御チャネルリソースインデックスを示す。いくつかの場合、リソースインジケータビットのセットはオフセット値を示し、第1のCCEとオフセット値の組合せはアップリンク制御チャネルリソースを示す。
【０２１０】
アグリゲーションレベル決定構成要素1345は、アグリゲーションレベルを選択し、アグリゲーションレベル、1つまたは複数のCCEの第1のCCE、およびリソースインジケータビットのセットがアップリンク制御チャネルリソースを示し、選択されたアグリゲーションレベルに基づいて1つまたは複数のCCEにおいてリソースインジケータビットのセットを送信し得る。
【０２１１】
受信構成要素1350は、アップリンク制御チャネルリソースを介してUCIを受信することができ、UCIはACKペイロードを含む。ブラインド検出構成要素1355は、1つまたは複数のアップリンク制御チャネルリソース上でブラインド検出プロセスを実行することができ、UCIはブラインド検出プロセスに基づいて受信される。
【０２１２】
ACKペイロード割当て構成要素1360は、DCIにおいて割当てインデックスビットのセットを送信することができ、割当てインデックスビットのセットはACKペイロードサイズを示す。いくつかの場合、DCIのフォーマットは、割当てインデックスビットのセットに含めるべき割当てインデックスビットの数を示す。
【０２１３】
時間長決定構成要素1365は、割振りのために短いアップリンク制御チャネル送信または長いアップリンク制御チャネル送信のいずれかを選択し、選択された短いアップリンク制御チャネル送信または長いアップリンク制御チャネル送信にさらに基づいて、リソースインジケータビットのセットを決定し得る。
【０２１４】
明示的マッピング構成要素1370は、特定された第2のアップリンク制御チャネルリソースに基づいてリソースインジケータビットの第2のセットを決定することができ、リソースインジケータビットの第2のセットは第2のアップリンク制御チャネルリソースを示す。
【０２１５】
暗黙的マッピング構成要素1375は、送信のためにCCEの第2のセットを選択することができ、CCEの第2のセットのうちのあるCCEが第2のアップリンク制御チャネルリソースを示す。
【０２１６】
時間長マッピング構成要素1380は、少なくとも1つのリソースインジケータビットを決定することができ、少なくとも1つのリソースインジケータビットは、第2のアップリンク制御チャネルリソースのための短いアップリンク制御チャネル送信または長いアップリンク制御チャネル送信のいずれかを示す。
【０２１７】
図14は、本開示の態様による、デバイス1405を含むシステム1400のブロック図を示す。デバイス1405は、たとえば、図1を参照して上で説明されたような、基地局105の構成要素の例であることがあり、またはそれを含むことがある。デバイス1405は、基地局アップリンク制御チャネルリソース割振りモジュール1415、プロセッサ1420、メモリ1425、ソフトウェア1430、トランシーバ1435、アンテナ1440、ネットワーク通信マネージャ1445、および局間通信マネージャ1450を含む、通信を送信および受信するための構成要素を含む双方向音声およびデータ通信のための構成要素を含み得る。これらの構成要素は、1つまたは複数のバス(たとえば、バス1410)を介して電子的に通信していることがある。デバイス1405は、1つまたは複数のUE115とワイヤレスに通信し得る。
【０２１８】
プロセッサ1420は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1420は、メモリコントローラを使用してメモリアレイを動作させるように構成され得る。他の場合には、メモリコントローラはプロセッサ1420に組み込まれ得る。プロセッサ1420は、様々な機能またはタスクを実行するために、メモリに記憶されたコンピュータ可読命令を実行するように構成され得る。
【０２１９】
メモリ1425は、RAMおよびROMを含み得る。メモリ1425は、実行されると、プロセッサに本明細書で説明される様々な機能を実行させる命令を含むコンピュータ可読のコンピュータ実行可能ソフトウェア1430を記憶し得る。いくつかの場合、メモリ1425は、とりわけ、周辺構成要素またはデバイスとの相互作用などの、基本的なハードウェアまたはソフトウェア動作を制御し得る、BIOSを含み得る。
【０２２０】
ソフトウェア1430は、アップリンク制御チャネルリソース割振りをサポートするためのコードを含む、本開示の態様を実装するためのコードを含み得る。ソフトウェア1430は、システムメモリまたは他のメモリなどの非一時的コンピュータ可読媒体に記憶され得る。いくつかの場合、ソフトウェア1430は、プロセッサによって直接実行可能ではないことがあるが、(たとえば、コンパイルおよび実行されると)本明細書で説明される機能をコンピュータに実行させ得る。
【０２２１】
トランシーバ1435は、上で説明されたように、1つまたは複数のアンテナ、有線リンク、またはワイヤレスリンクを介して、双方向に通信することができる。たとえば、トランシーバ1435は、ワイヤレストランシーバを表することができ、別のワイヤレストランシーバと双方向に通信することができる。トランシーバ1435はまた、パケットを変調し、変調されたパケットを送信のためにアンテナに与えるために、およびアンテナから受信されたパケットを復調するために、モデムを含み得る。
【０２２２】
いくつかの場合、ワイヤレスデバイスは、単一のアンテナ1440を含み得る。しかしながら、いくつかの場合、デバイスは、複数のワイヤレス送信を同時に送信または受信することが可能であり得る2つ以上のアンテナ1440を有し得る。
【０２２３】
ネットワーク通信マネージャ1445は、(たとえば、1つまたは複数の有線バックホールリンクを介して)コアネットワーク130との通信を管理し得る。たとえば、ネットワーク通信マネージャ1445は、1つまたは複数のUE115などの、クライアントデバイスのためのデータ通信の転送を管理し得る。
【０２２４】
局間通信マネージャ1450は、他の基地局105との通信を管理し、他の基地局105と協働してUE115との通信を制御するためのコントローラまたはスケジューラを含み得る。たとえば、局間通信マネージャ1450は、ビームフォーミングまたはジョイント送信などの様々な干渉緩和技法のために、UE115への送信のためのスケジューリングを協調させ得る。いくつかの例では、局間通信マネージャ1450は、基地局105間で通信を行うために、LTE/LTE-Aワイヤレス通信ネットワーク技術内のX2インターフェースを提供し得る。
【０２２５】
図15は、本開示の態様による、アップリンク制御チャネルリソース割振りのための方法1500を示すフローチャートを示す。方法1500の動作は、本明細書で説明されたような、UE115またはその構成要素によって実施され得る。たとえば、方法1500の動作は、図7〜図10を参照して説明されたような、UEアップリンク制御チャネルリソース割振りモジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２２６】
1505において、UE115は、1つまたは複数のCCEにおいてリソースインジケータビットのセットを受信し得る。1505の動作は、本明細書で説明される方法に従って実行され得る。いくつかの例では、1505の動作の態様は、図7〜図10を参照して説明されたような受信構成要素によって実行され得る。
【０２２７】
1510において、UE115は、リソースインジケータビットのセットに対する可能なビットの組合せが、利用可能なアップリンク制御チャネルリソースより少ないと決定し得る。1510の動作は、本明細書で説明される方法に従って実行され得る。いくつかの例では、1510の動作の態様は、図7から図10を参照して説明されたような暗黙的関係識別器によって実行され得る。
【０２２８】
1515において、UE115は、この決定に少なくとも一部基づいて、1つまたは複数のCCEの第1のCCEを特定し得る。1515の動作は、本明細書で説明される方法に従って実行され得る。いくつかの例では、1515の動作の態様は、図7〜図10を参照して説明されたような暗黙的関係識別器によって実行され得る。
【０２２９】
1520において、UE115は、リソースインジケータビットのセットおよび1つまたは複数のCCEの第1のCCEに少なくとも一部基づいて、UCI送信のためのアップリンク制御チャネルリソースを選択することができる。1520の動作は、本明細書で説明される方法に従って実行され得る。いくつかの例では、1520の動作の態様は、図7から図10を参照して説明されたようなリソースマッピング構成要素によって実行され得る。
【０２３０】
1525において、UE115は、選択されたアップリンク制御チャネルリソースを使用してUCIを送信することができる。1525の動作は、本明細書で説明される方法に従って実行され得る。いくつかの例では、1525の動作の態様は、図7〜図10を参照して説明されたようなUCI送信構成要素によって実行され得る。
【０２３１】
図16は、本開示の態様による、アップリンク制御チャネルリソース割振りのための方法1600を示すフローチャートを示す。方法1600の動作は、本明細書で説明されたような基地局105またはその構成要素によって実施され得る。たとえば、方法1600の動作は、図11から図14を参照して説明されたような、基地局アップリンク制御チャネルリソース割振りモジュールによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して以下で説明される機能の態様を実行し得る。
【０２３２】
1605において、基地局105は、割振りのためにアップリンク制御チャネルリソースを特定し得る。1605の動作は、本明細書で説明される方法に従って実行され得る。いくつかの例では、1605の動作の態様は、図11〜図14を参照して説明されたようなリソース識別子によって実行され得る。
【０２３３】
1610において、基地局105は、特定されたアップリンク制御チャネルリソースに少なくとも一部基づいて、リソースインジケータビットのセットを決定し得る。1610の動作は、本明細書で説明される方法に従って実行され得る。いくつかの例では、1610の動作の態様は、図11〜図14を参照して説明されたようなインジケータビット決定構成要素によって実行され得る。
【０２３４】
1615において、基地局105は、送信のための1つまたは複数のCCEを選択することができ、1つまたは複数のCCEの第1のCCEおよびリソースインジケータビットのセットは、アップリンク制御チャネルリソースを示す。1615の動作は、本明細書で説明される方法に従って実行され得る。いくつかの例では、1615の動作の態様は、図11〜図14を参照して説明されたようなCCE決定構成要素によって実行され得る。
【０２３５】
1620において、基地局105は、1つまたは複数のCCEにおいてリソースインジケータビットのセットを送信し得る。1620の動作は、本明細書で説明される方法に従って実行され得る。いくつかの例では、1620の動作の態様は、図11〜図14を参照して説明されたような送信構成要素によって実行され得る。
【０２３６】
図17は、本開示の態様による、割り当てられるリソースのコリジョンに対処するための方法1700を示すフローチャートを示す。方法1700の動作は、本明細書で説明されたような、UE115またはその構成要素によって実施され得る。たとえば、方法1700の動作は、図7〜図10を参照して説明されたような、UEアップリンク制御チャネルリソース割振りモジュールによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０２３７】
1705において、UE115はシンボルの第1のセットのための第1のリソース割当てを受信し得る。1705の動作は、本明細書で説明される方法に従って実行され得る。いくつかの例では、1705の動作の態様は、図7〜図10を参照して説明されたようなリソース割当て構成要素によって実行され得る。
【０２３８】
1710において、UE115は、シンボルの第2のセットのための第2のリソース割当てを受信することができ、シンボルの第1のセットおよびシンボルの第2のセットはシンボルの重複するセットを含む。1710の動作は、本明細書で説明される方法に従って実行され得る。いくつかの例では、1710の動作の態様は、図7〜図10を参照して説明されたようなリソース割当て構成要素によって実行され得る。
【０２３９】
1715において、UE115は、第1のリソース割当てのための第1のリソース、第2のリソース割当てのための第2のリソース、または両方を修正することができる。1715の動作は、本明細書で説明される方法に従って実行され得る。いくつかの例では、1715の動作の態様は、図7〜図10を参照して説明されたようなリソース修正構成要素によって実行され得る。
【０２４０】
1720において、UE115は、第1のリソース割当てに少なくとも一部基づいて第1の情報を送信し得る。1720の動作は、本明細書で説明される方法に従って実行され得る。いくつかの例では、1720の動作の態様は、図7〜図10を参照して説明されたような送信構成要素によって実行され得る。
【０２４１】
上で説明された方法は可能な実装形態を説明すること、動作およびステップは再構成され、または別様に修正され得ること、ならびに他の実装形態が可能であることに留意されたい。さらに、方法のうちの2つ以上からの態様が組み合わされ得る。
【０２４２】
本明細書で説明される技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの、様々なワイヤレス通信システムのために使用され得る。CDMAシステムは、CDMA2000、UTRAなどの無線技術を実装し得る。CDMA2000は、IS-2000規格、IS-95規格、およびIS-856規格を対象とする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMAの他の変形とを含む。TDMAシステムは、Global System for Mobile Communications(GSM)などの無線技術を実装し得る。
【０２４３】
OFDMAシステムは、Ultra Mobile Broadband(UMB)、Evolved UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTEおよびLTE-Aは、E-UTRAを使用するUMTSのリリースである。UTRA、E-UTRA、UMTS、LTE、LTE-A、NR、およびGSMは、「第3世代パートナーシッププロジェクト」(3GPP)という名称の団体からの文書の中に記載されている。CDMA2000およびUMBは、「第3世代パートナーシッププロジェクト2」(3GPP2)と称する団体からの文書に記載されている。本明細書で説明された技法は、上述のシステムおよび無線技術、ならびに他のシステムおよび無線技術に使用され得る。LTEまたはNRシステムの態様が例として説明されることがあり、説明の大部分においてLTEまたはNR用語が使用されることがあるが、本明細書で説明された技法はLTEまたはNR適用例以外に適用可能である。
【０２４４】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることがあり、フェムトセルとの関連付けを有するUE115(たとえば、限定加入者グループ(CSG)の中のUE115、自宅内のユーザのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のCCを使用する通信もサポートすることができる。
【０２４５】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０２４６】
本明細書で説明される情報および信号は、多種多様な技術および技法のいずれかを使用して表され得る。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０２４７】
本明細書の開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)としても実装され得る。
【０２４８】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置に実装されるように分散されることを含めて、様々な場所に物理的に配置されてもよい。
【０２４９】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を備え得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０２５０】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明された例示的なステップは、本開示の範囲から逸脱することなく、条件Aと条件Bの両方に基づき得る。言い換えれば、本明細書で使用される「に基づいて」という句は、「に少なくとも一部基づいて」という句と同じように解釈されるべきである。
【０２５１】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２５２】
添付の図面に関して本明細書に記載される説明は、例示的な構成を説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０２５３】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２５４】
105  基地局
110  地理的カバレッジエリア
115  UE
125  通信リンク
130  コアネットワーク
132  バックホールリンク
134  バックホールリンク
205  ダウンリンクチャネル
210  アップリンクチャネル
215  DCI
220  UCI
305  アップリンク制御チャネルリソース
310  アップリンク制御チャネルリソースセット
315  アップリンク制御チャネルリソースインデックス
320  ダウンリンクチャネル
325  リソースインジケータビット
330  ビット
335  CCEインデックス
340  短時間長領域
345  長時間長領域
405  割り当てられたACKリソース
410  割り当てられたリソース
420  結合符号化された情報
430  ACK情報
435  情報
440  構成されたPUCCH
450  ギャップ
455  アップリンクロングバースト
465  CSI
470  ACK
705  ワイヤレスデバイス
710  受信機
715  UEアップリンク制御チャネルリソース割振りモジュール
720  送信機
805  ワイヤレスデバイス
810  受信機
815  UEアップリンク制御チャネルリソース割振りモジュール
820  送信機
825  受信構成要素
830  暗黙的関係識別器
835  リソースマッピング構成要素
840  UCI送信構成要素
845  リソース割当て構成要素
850  リソース修正構成要素
855  送信構成要素
915  UEアップリンク制御チャネルリソース割振りモジュール
920  受信構成要素
925  暗黙的関係識別器
930  リソースマッピング構成要素
935  UCI送信構成要素
940  リソース割当て構成要素
945  リソース修正構成要素
950  送信構成要素
955  アグリゲーションレベル決定構成要素
960  ACKペイロード構成要素
965  アップリンク制御チャネル時間長構成要素
970  明示的マッピング構成要素
975  暗黙的マッピング構成要素
980  結合符号化構成要素
985  シンボル分割構成要素
990  割当て省略構成要素
995  複数重複対処構成要素
1005  デバイス
1010  バス
1015  UEアップリンク制御チャネルリソース割振りモジュール
1020  プロセッサ
1025  メモリ
1030  ソフトウェア
1035  トランシーバ
1040  アンテナ
1045  I/Oコントローラ
1105  ワイヤレスデバイス
1110  受信機
1115  基地局アップリンク制御チャネルリソース割振りモジュール
1120  送信機
1205  ワイヤレスデバイス
1210  受信機
1215  基地局アップリンク制御チャネルリソース割振りモジュール
1220  送信機
1225  リソース識別子
1230  インジケータビット決定構成要素
1235  CCE決定構成要素
1240  送信構成要素
1315  基地局アップリンク制御チャネルリソース割振りモジュール
1320  リソース識別子
1325  インジケータビット決定構成要素
1330  CCE決定構成要素
1335  送信構成要素
1340  リソースマッピング構成要素
1345  アグリゲーションレベル決定構成要素
1350  受信構成要素
1355  ブラインド検出構成要素
1360  ACKペイロード割当て構成要素
1365  時間長決定構成要素
1370  明示的マッピング構成要素
1375  暗黙的マッピング構成要素
1380  時間長マッピング構成要素
1410  バス
1415  基地局アップリンク制御チャネルリソース割振りモジュール
1420  プロセッサ
1425  メモリ
1430  ソフトウェア
1435  トランシーバ
1440  アンテナ
1445  ネットワーク通信マネージャ
1450  局間通信マネージャ
【図１】
2021503761.tif 000007
【図２】
2021503761.tif 000008
【図３】
2021503761.tif 000009
【図４Ａ】
2021503761.tif 000010
【図４Ｂ】
2021503761.tif 000011
【図４Ｃ】
2021503761.tif 000012
【図５】
2021503761.tif 000013
【図６】
2021503761.tif 000014
【図７】
2021503761.tif 000015
【図８】
2021503761.tif 000016
【図９】
2021503761.tif 000017
【図１０】
2021503761.tif 000018
【図１１】
2021503761.tif 000019
【図１２】
2021503761.tif 000020
【図１３】
2021503761.tif 000021
【図１４】
2021503761.tif 000022
【図１５】
2021503761.tif 000023
【図１６】
2021503761.tif 000024
【図１７】
2021503761.tif 000025
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
1つまたは複数の制御チャネル要素(CCE)においてリソースインジケータビットのセットを受信するステップと、
リソースインジケータビットの前記セットに対する可能なビットの組合せが、利用可能なアップリンク制御チャネルリソースより少ないと決定するステップと、
前記決定に少なくとも一部基づいて、前記1つまたは複数のCCEの第1のCCEを特定するステップと、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択するステップと、
前記選択されたアップリンク制御チャネルリソースを使用して前記UCIを送信するステップとを備える、方法。
【請求項２】
前記アップリンク制御チャネルリソースを選択するステップが、
リソースインジケータビットの前記セットに少なくとも一部基づいて、アップリンク制御チャネルリソースセットを決定するステップと、
前記第1のCCEに少なくとも一部基づいて相対的なアップリンク制御チャネルリソースインデックスを決定するステップとを備え、前記選択されたアップリンク制御チャネルリソースが、前記アップリンク制御チャネルリソースセット内での前記相対的なアップリンク制御チャネルリソースインデックスに対応する、請求項1に記載の方法。
【請求項３】
前記アップリンク制御チャネルリソースを選択するステップが、
前記第1のCCEに少なくとも一部基づいて、アップリンク制御チャネルリソースセットを決定するステップと、
リソースインジケータビットの前記セットに少なくとも一部基づいて相対的なアップリンク制御チャネルリソースインデックスを決定するステップとを備え、前記選択されたアップリンク制御チャネルリソースが、前記アップリンク制御チャネルリソースセット内での前記相対的なアップリンク制御チャネルリソースインデックスに対応する、請求項1に記載の方法。
【請求項４】
前記アップリンク制御チャネルリソースを選択するステップが、
リソースインジケータビットの前記セットに少なくとも一部基づいて、オフセット値を決定するステップと、
前記第1のCCEと前記決定されたオフセット値の組合せに少なくとも一部基づいて、前記アップリンク制御チャネルリソースを選択するステップとを備える、請求項1に記載の方法。
【請求項５】
前記アップリンク制御チャネルリソースを選択するステップがさらに、アグリゲーションレベルに少なくとも一部基づく、請求項1に記載の方法。
【請求項６】
アップリンク制御チャネルリソースセット内のアップリンク制御チャネルリソースインデックスをリソースの閾値と比較するステップと、
前記アップリンク制御チャネルリソースセット内での前記アップリンク制御チャネルリソースインデックスがリソースの前記閾値より小さい場合、アグリゲーションレベルに少なくとも一部基づいて前記アップリンク制御チャネルリソースを選択すると決定するステップとをさらに備える、請求項1に記載の方法。
【請求項７】
前記UCIが、肯定応答(ACK)ペイロードサイズに従ってACKビットを備える、請求項1に記載の方法。
【請求項８】
前記ACKペイロードサイズが、無線リソース制御(RRC)で構成されるACKペイロードサイズを備える、請求項7に記載の方法。
【請求項９】
前記RRCで構成されるACKペイロードサイズに従って、前記ACKビットより少ないある数のダウンリンク共有チャネルを受信するステップと、
前記ダウンリンク共有チャネルの復号された結果に対応するビット値のACKビットをACKペイロードへと挿入するステップと、
前記RRCで構成されるACKペイロードサイズを取得するために、受信されていないダウンリンク共有チャネルに対応するデフォルトビット値のACKビットを前記ACKペイロードへと挿入するステップとをさらに備える、請求項8に記載の方法。
【請求項１０】
ダウンリンク制御情報(DCI)において割当てインデックスビットを受信するステップと、
前記割当てインデックスビットに少なくとも一部基づいて、前記RRCで構成されるACKペイロードサイズを使用するかどうかを決定するステップとをさらに備える、請求項8に記載の方法。
【請求項１１】
ダウンリンク制御情報(DCI)において割当てインデックスビットのセットを受信するステップと、
割当てインデックスビットの前記セットに少なくとも一部基づいて前記ACKペイロードサイズを決定するステップとをさらに備える、請求項7に記載の方法。
【請求項１２】
前記DCIが、前記DCIのフォーマットに少なくとも一部基づくある数の割当てインデックスビットを備える、請求項11に記載の方法。
【請求項１３】
フルDCIフォーマットが、第1の数の割当てインデックスビットに対応し、フォールバックDCIフォーマットが、前記第1の数の割当てインデックスビットより少ない第2の数の割当てインデックスビットに対応する、請求項11に記載の方法。
【請求項１４】
第1の送信時間間隔(TTI)における第1のダウンリンク制御チャネル送信、第2のTTIにおける第2のダウンリンク制御チャネル送信、または両方を受信するステップと、
前記第1のダウンリンク制御チャネル送信、前記第2のダウンリンク制御チャネル送信、または両方を受信したことに少なくとも一部基づいて、前記ACKペイロードサイズ、ACKビットリソース、または両方を決定するステップとをさらに備える、請求項7に記載の方法。
【請求項１５】
前記UCIが、無線リソース制御(RRC)構成に従って、短いアップリンク制御チャネル送信または長いアップリンク制御チャネル送信のいずれかにおいて送信される、請求項1に記載の方法。
【請求項１６】
リソースインジケータビットの前記セットに少なくとも一部基づいて、短いアップリンク制御チャネル送信または長いアップリンク制御チャネル送信のいずれかにおいて前記UCIを送信することを決定するステップをさらに備える、請求項1に記載の方法。
【請求項１７】
CCEの第2のセットにおいてリソースインジケータビットの第2のセットを受信するステップと、
リソースインジケータビットの前記第2のセットに対する更新された可能なビットの組合せが、更新された利用可能なアップリンク制御チャネルリソース以上であると決定するステップと、
リソースインジケータビットの前記第2のセットに少なくとも一部基づいて、第2のUCI送信のための第2のアップリンク制御チャネルリソースを選択するステップとをさらに備え、前記第2のアップリンク制御チャネルリソースを選択するステップが、リソースインジケータビットの前記第2のセットに対する前記更新された可能なビットの組合せが前記更新された利用可能なアップリンク制御チャネルリソース以上であると決定したことに従って、CCEの前記第2のセットの第1のCCEに少なくとも一部基づかない、請求項1に記載の方法。
【請求項１８】
CCEの第2のセットにおいて追加のダウンリンク制御情報を受信するステップと、
前記追加のダウンリンク制御情報がビットの閾値より少ないリソースインジケータビットを備えると決定するステップと、
CCEの前記第2のセットのうちのあるCCEに少なくとも一部基づいて、第2のUCI送信のための第2のアップリンク制御チャネルリソースを選択するステップであって、前記第2のアップリンク制御チャネルリソースを選択するステップが、前記追加のダウンリンク制御情報がビットの前記閾値より少ないリソースインジケータビットを備えると決定したことに少なくとも一部基づく、ステップと、
前記選択された第2のアップリンク制御チャネルリソースを使用して前記第2のUCIを送信するステップとをさらに備える、請求項1に記載の方法。
【請求項１９】
前記追加のダウンリンク制御情報が0個のリソースインジケータビットを備え、
前記第2のUCIが、無線リソース制御(RRC)構成に従って、短いアップリンク制御チャネル送信または長いアップリンク制御チャネル送信のいずれかにおいて送信される、請求項18に記載の方法。
【請求項２０】
前記追加のダウンリンク制御情報が少なくとも1つのリソースインジケータビットを備え、
前記少なくとも1つのリソースインジケータビットに少なくとも一部基づいて、短いアップリンク制御チャネル送信または長いアップリンク制御チャネル送信のいずれかにおいて前記第2のUCIが送信される、請求項18に記載の方法。
【請求項２１】
リソースインジケータビットの前記セットが、ダウンリンクグラントまたはアップリンクグラントにおいて受信され、
前記1つまたは複数のCCEの前記第1のCCEが、前記ダウンリンクグラントまたは前記アップリンクグラントのための初期のCCEを備える、請求項1に記載の方法。
【請求項２２】
前記アップリンク制御チャネルリソースが、物理アップリンク制御チャネル(PUCCH)リソースを備える、請求項1に記載の方法。
【請求項２３】
リソースインジケータビットの前記セットが、肯定応答リソースインジケータ(ARI)ビットのセットを備える、請求項1に記載の方法。
【請求項２４】
ワイヤレス通信のための方法であって、
割振りのためのアップリンク制御チャネルリソースを特定するステップと、
前記特定されたアップリンク制御チャネルリソースに少なくとも一部基づいてリソースインジケータビットのセットを決定するステップと、
送信のための1つまたは複数の制御チャネル要素(CCE)を選択するステップであって、前記1つまたは複数のCCEの第1のCCEおよびリソースインジケータビットの前記セットが前記アップリンク制御チャネルリソースを示す、ステップと、
前記1つまたは複数のCCEにおいてリソースインジケータビットの前記セットを送信するステップとを備える、方法。
【請求項２５】
リソースインジケータビットの前記セットが、アップリンク制御チャネルリソースセットを示し、前記第1のCCEが、前記アップリンク制御チャネルリソースセット内での相対的なアップリンク制御チャネルリソースインデックスを示す、請求項24に記載の方法。
【請求項２６】
前記第1のCCEが、アップリンク制御チャネルリソースセットを示し、リソースインジケータビットの前記セットが、前記アップリンク制御チャネルリソースセット内での相対的なアップリンク制御チャネルリソースインデックスを示す、請求項24に記載の方法。
【請求項２７】
リソースインジケータビットの前記セットがオフセット値を示し、前記第1のCCEと前記オフセット値の組合せが前記アップリンク制御チャネルリソースを示す、請求項24に記載の方法。
【請求項２８】
アグリゲーションレベルを選択するステップであって、前記アグリゲーションレベル、前記1つまたは複数のCCEの前記第1のCCE、およびリソースインジケータビットの前記セットが前記アップリンク制御チャネルリソースを示す、ステップと、
前記選択されたアグリゲーションレベルに少なくとも一部基づいて、前記1つまたは複数のCCEにおいてリソースインジケータビットの前記セットを送信するステップとをさらに備える、請求項24に記載の方法。
【請求項２９】
前記アップリンク制御チャネルリソースを介してアップリンク制御情報(UCI)を受信するステップをさらに備え、前記UCIが肯定応答(ACK)ペイロードを備える、請求項24に記載の方法。
【請求項３０】
1つまたは複数のアップリンク制御チャネルリソース上でブラインド検出プロセスを実行するステップをさらに備え、前記UCIが前記ブラインド検出プロセスに少なくとも一部基づいて受信される、請求項29に記載の方法。
【請求項３１】
ダウンリンク制御情報(DCI)において割当てインデックスビットのセットを送信するステップをさらに備え、割当てインデックスビットの前記セットが肯定応答(ACK)ペイロードサイズを示す、請求項24に記載の方法。
【請求項３２】
前記DCIのフォーマットが、割当てインデックスビットの前記セットに含めるべき割当てインデックスビットの数を示す、請求項31に記載の方法。
【請求項３３】
フルDCIフォーマットが、割当てインデックスビットの前記セットに含めるべき割当てインデックスビットの第1の数を示し、フォールバックDCIフォーマットが、割当てインデックスビットの前記セットに含めるべき割当てインデックスビットの第2の数を示し、割当てインデックスビットの前記第2の数が、割当てインデックスビットの前記第1の数より少ない、請求項31に記載の方法。
【請求項３４】
前記割振りのための短いアップリンク制御チャネル送信または長いアップリンク制御チャネル送信のいずれかを選択するステップと、
前記選択された短いアップリンク制御チャネル送信または長いアップリンク制御チャネル送信に少なくとも一部さらに基づいて、リソースインジケータビットの前記セットを決定するステップとをさらに備える、請求項24に記載の方法。
【請求項３５】
割振りのための第2のアップリンク制御チャネルリソースを特定するステップをさらに備える、請求項24に記載の方法。
【請求項３６】
前記特定された第2のアップリンク制御チャネルリソースに少なくとも一部基づいてリソースインジケータビットの第2のセットを決定するステップをさらに備え、リソースインジケータビットの前記第2のセットが前記第2のアップリンク制御チャネルリソースを示す、請求項35に記載の方法。
【請求項３７】
送信のためにCCEの第2のセットを選択するステップをさらに備え、CCEの前記第2のセットのうちのあるCCEが前記第2のアップリンク制御チャネルリソースを示す、請求項35に記載の方法。
【請求項３８】
少なくとも1つのリソースインジケータビットを決定するステップをさらに備え、前記少なくとも1つのリソースインジケータビットが、前記第2のアップリンク制御チャネルリソースのための短いアップリンク制御チャネル送信または長いアップリンク制御チャネル送信のいずれかを示す、請求項35に記載の方法。
【請求項３９】
リソースインジケータビットの前記セットが、ダウンリンクグラントまたはアップリンクグラントにおいて送信され、
前記1つまたは複数のCCEの前記第1のCCEが、前記ダウンリンクグラントまたは前記アップリンクグラントのための初期のCCEを備える、請求項24に記載の方法。
【請求項４０】
前記アップリンク制御チャネルリソースが、物理アップリンク制御チャネル(PUCCH)リソースを備える、請求項24に記載の方法。
【請求項４１】
リソースインジケータビットの前記セットが、肯定応答リソースインジケータ(ARI)ビットのセットを備える、請求項24に記載の方法。
【請求項４２】
ワイヤレス通信のための装置であって、
1つまたは複数の制御チャネル要素(CCE)においてリソースインジケータビットのセットを受信するための手段と、
リソースインジケータビットの前記セットのための可能なビットの組合せが、利用可能なアップリンク制御チャネルリソースより少ないと決定するための手段と、
前記決定に少なくとも一部基づいて、前記1つまたは複数のCCEの第1のCCEを特定するための手段と、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択するための手段と、
前記選択されたアップリンク制御チャネルリソースを使用して前記UCIを送信するための手段とを備える、装置。
【請求項４３】
ワイヤレス通信のための装置であって、
割振りのためのアップリンク制御チャネルリソースを特定するための手段と、
前記特定されたアップリンク制御チャネルリソースに少なくとも一部基づいてリソースインジケータビットのセットを決定するための手段と、
送信のための1つまたは複数の制御チャネル要素(CCE)を選択するための手段であって、前記1つまたは複数のCCEの第1のCCEおよびリソースインジケータビットの前記セットが前記アップリンク制御チャネルリソースを示す、手段と、
前記1つまたは複数のCCEにおいてリソースインジケータビットの前記セットを送信するための手段とを備える、装置。
【請求項４４】
ワイヤレス通信のための装置であって、
プロセッサと、
前記プロセッサと電子的に通信しているメモリと、
前記メモリに記憶された命令とを備え、前記命令が、前記装置に、
1つまたは複数の制御チャネル要素(CCE)においてリソースインジケータビットのセットを受信させ、
リソースインジケータビットの前記セットに対する可能なビットの組合せが、利用可能なアップリンク制御チャネルリソースより少ないと決定させ、
前記決定に少なくとも一部基づいて、前記1つまたは複数のCCEの第1のCCEを特定させ、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択させ、
前記選択されたアップリンク制御チャネルリソースを使用して前記UCIを送信させる
ように前記プロセッサによって実行可能である、装置。
【請求項４５】
前記アップリンク制御チャネルリソースを選択させる命令が、前記装置に、
リソースインジケータビットの前記セットに少なくとも一部基づいて、アップリンク制御チャネルリソースセットを決定させ、
前記第1のCCEに少なくとも一部基づいて相対的なアップリンク制御チャネルリソースインデックスを決定させるように前記プロセッサによって実行可能であり、前記選択されたアップリンク制御チャネルリソースが、前記アップリンク制御チャネルリソースセット内での前記相対的なアップリンク制御チャネルリソースインデックスに対応する、請求項44に記載の装置。
【請求項４６】
前記アップリンク制御チャネルリソースを選択させる命令が、前記装置に、
前記第1のCCEに少なくとも一部基づいて、アップリンク制御チャネルリソースセットを決定させ、
リソースインジケータビットの前記セットに少なくとも一部基づいて相対的なアップリンク制御チャネルリソースインデックスを決定させるように前記プロセッサによって実行可能であり、前記選択されたアップリンク制御チャネルリソースが、前記アップリンク制御チャネルリソースセット内での前記相対的なアップリンク制御チャネルリソースインデックスに対応する、請求項44に記載の装置。
【請求項４７】
前記アップリンク制御チャネルリソースを選択させる命令が、前記装置に、
リソースインジケータビットの前記セットに少なくとも一部基づいて、オフセット値を決定させ、
前記第1のCCEと前記決定されたオフセット値の組合せに少なくとも一部基づいて、前記アップリンク制御チャネルリソースを選択させるように前記プロセッサによって実行可能である、請求項44に記載の装置。
【請求項４８】
前記アップリンク制御チャネルリソースを選択することがさらに、アグリゲーションレベルに少なくとも一部基づく、請求項44に記載の装置。
【請求項４９】
前記命令がさらに、前記装置に、
アップリンク制御チャネルリソースセット内でのアップリンク制御チャネルリソースインデックスをリソースの閾値と比較させ、
前記アップリンク制御チャネルリソースセット内での前記アップリンク制御チャネルリソースインデックスがリソースの前記閾値より小さい場合、アグリゲーションレベルに少なくとも一部基づいて前記アップリンク制御チャネルリソースを選択することを決定させるように前記プロセッサによって実行可能である、請求項44に記載の装置。
【請求項５０】
前記UCIが、肯定応答(ACK)ペイロードサイズに従ってACKビットを備える、請求項44に記載の装置。
【請求項５１】
前記ACKペイロードサイズが、無線リソース制御(RRC)で構成されるACKペイロードサイズを備える、請求項50に記載の装置。
【請求項５２】
前記命令がさらに、前記装置に、
前記RRCで構成されるACKペイロードサイズに従って、前記ACKビットより少ないある数のダウンリンク共有チャネルを受信させ、
前記ダウンリンク共有チャネルの復号された結果に対応するビット値のACKビットをACKペイロードへと挿入させ、
前記RRCで構成されるACKペイロードサイズを取得するために、受信されていないダウンリンク共有チャネルに対応するデフォルトビット値のACKビットを前記ACKペイロードへと挿入させるように前記プロセッサによって実行可能である、請求項51に記載の装置。
【請求項５３】
前記命令がさらに、前記装置に、
ダウンリンク制御情報(DCI)において割当てインデックスビットを受信させ、
前記割当てインデックスビットに少なくとも一部基づいて、前記RRCで構成されるACKペイロードサイズを使用するかどうかを決定させるように前記プロセッサによって実行可能である、請求項51に記載の装置。
【請求項５４】
フルDCIフォーマットが、第1の数の割当てインデックスビットに対応し、フォールバックDCIフォーマットが、前記第1の数の割当てインデックスビットより少ない第2の数の割当てインデックスビットに対応する、請求項53に記載の装置。
【請求項５５】
前記命令がさらに、前記装置に、
ダウンリンク制御情報(DCI)において割当てインデックスビットのセットを受信させ、
割当てインデックスビットの前記セットに少なくとも一部基づいて前記ACKペイロードサイズを決定させるように前記プロセッサによって実行可能である、請求項50に記載の装置。
【請求項５６】
前記DCIが、前記DCIのフォーマットに少なくとも一部基づいてある数の割当てインデックスビットを備える、請求項55に記載の装置。
【請求項５７】
前記命令がさらに、前記装置に、
第1の送信時間間隔(TTI)における第1のダウンリンク制御チャネル送信、第2のTTIにおける第2のダウンリンク制御チャネル送信、または両方を受信させ、
前記第1のダウンリンク制御チャネル送信、前記第2のダウンリンク制御チャネル送信、または両方を受信したことに少なくとも一部基づいて、前記ACKペイロードサイズ、ACKビットリソース、または両方を決定させるように前記プロセッサによって実行可能である、請求項50に記載の装置。
【請求項５８】
前記UCIが、無線リソース制御(RRC)構成に従って、短いアップリンク制御チャネル送信または長いアップリンク制御チャネル送信のいずれかにおいて送信される、請求項44に記載の装置。
【請求項５９】
前記命令がさらに、前記装置に、
リソースインジケータビットの前記セットに少なくとも一部基づいて、短いアップリンク制御チャネル送信または長いアップリンク制御チャネル送信のいずれかにおいて前記UCIを送信することを決定させるように前記プロセッサによって実行可能である、請求項44に記載の装置。
【請求項６０】
前記命令がさらに、前記装置に、
CCEの第2のセットにおいてリソースインジケータビットの第2のセットを受信させ、
リソースインジケータビットの前記第2のセットのための更新された可能なビットの組合せが、更新された利用可能なアップリンク制御チャネルリソース以上であると決定させ、
リソースインジケータビットの前記第2のセットに少なくとも一部基づいて、第2のUCI送信のための第2のアップリンク制御チャネルリソースを選択させるように前記プロセッサによって実行可能であり、前記第2のアップリンク制御チャネルリソースを選択することが、リソースインジケータビットの前記第2のセットに対する前記更新された可能なビットの組合せが前記更新された利用可能なアップリンク制御チャネルリソース以上であると決定したことに従って、CCEの前記第2のセットの第1のCCEに少なくとも一部基づかない、請求項44に記載の装置。
【請求項６１】
前記命令がさらに、前記装置に、
CCEの第2のセットにおいて追加のダウンリンク制御情報を受信させ、
前記追加のダウンリンク制御情報がビットの閾値より少ないリソースインジケータビットを備えると決定させ、
CCEの前記第2のセットのうちのあるCCEに少なくとも一部基づいて、第2のUCI送信のための第2のアップリンク制御チャネルリソースを選択させ、前記第2のアップリンク制御チャネルリソースを選択することが、前記追加のダウンリンク制御情報がビットの前記閾値より少ないリソースインジケータビットを備えると決定したことに少なくとも一部基づき、
前記選択された第2のアップリンク制御チャネルリソースを使用して前記第2のUCIを送信させるように前記プロセッサによって実行可能である、請求項44に記載の装置。
【請求項６２】
前記追加のダウンリンク制御情報が0個のリソースインジケータビットを備え、
前記第2のUCIが、無線リソース制御(RRC)構成に従って、短いアップリンク制御チャネル送信または長いアップリンク制御チャネル送信のいずれかにおいて送信される、請求項61に記載の装置。
【請求項６３】
前記追加のダウンリンク制御情報が少なくとも1つのリソースインジケータビットを備え、
前記少なくとも1つのリソースインジケータビットに少なくとも一部基づいて、短いアップリンク制御チャネル送信または長いアップリンク制御チャネル送信のいずれかにおいて前記第2のUCIが送信される、請求項61に記載の装置。
【請求項６４】
リソースインジケータビットの前記セットが、ダウンリンクグラントまたはアップリンクグラントにおいて受信され、
前記1つまたは複数のCCEの前記第1のCCEが、前記ダウンリンクグラントまたは前記アップリンクグラントのための初期のCCEを備える、請求項44に記載の装置。
【請求項６５】
前記アップリンク制御チャネルリソースが、物理アップリンク制御チャネル(PUCCH)リソースを備える、請求項44に記載の装置。
【請求項６６】
リソースインジケータビットの前記セットが、肯定応答リソースインジケータ(ARI)ビットのセットを備える、請求項44に記載の装置。
【請求項６７】
ワイヤレス通信のための装置であって、
プロセッサと、
前記プロセッサと電子的に通信しているメモリと、
前記メモリに記憶された命令とを備え、前記命令が、前記装置に、
割振りのためのアップリンク制御チャネルリソースを特定させ、
前記特定されたアップリンク制御チャネルリソースに少なくとも一部基づいてリソースインジケータビットのセットを決定させ、
送信のための1つまたは複数の制御チャネル要素(CCE)を選択させ、前記1つまたは複数のCCEの第1のCCEおよびリソースインジケータビットの前記セットが前記アップリンク制御チャネルリソースを示し、
前記1つまたは複数のCCEにおいてリソースインジケータビットの前記セットを送信させる
ように前記プロセッサによって実行可能である、装置。
【請求項６８】
リソースインジケータビットの前記セットが、アップリンク制御チャネルリソースセットを示し、前記第1のCCEが、前記アップリンク制御チャネルリソースセット内での相対的なアップリンク制御チャネルリソースインデックスを示す、請求項67に記載の装置。
【請求項６９】
前記第1のCCEが、アップリンク制御チャネルリソースセットを示し、リソースインジケータビットの前記セットが、前記アップリンク制御チャネルリソースセット内での相対的なアップリンク制御チャネルリソースインデックスを示す、請求項67に記載の装置。
【請求項７０】
リソースインジケータビットの前記セットがオフセット値を示し、前記第1のCCEと前記オフセット値の組合せが前記アップリンク制御チャネルリソースを示す、請求項67に記載の装置。
【請求項７１】
前記命令がさらに、前記装置に、
アグリゲーションレベルを選択させ、前記アグリゲーションレベル、前記1つまたは複数のCCEの前記第1のCCE、およびリソースインジケータビットの前記セットが前記アップリンク制御チャネルリソースを示し、
前記選択されたアグリゲーションレベルに少なくとも一部基づいて、前記1つまたは複数のCCEにおいてリソースインジケータビットの前記セットを送信させるように前記プロセッサによって実行可能である、請求項67に記載の装置。
【請求項７２】
前記命令がさらに、前記装置に、
前記アップリンク制御チャネルリソースを介してアップリンク制御情報(UCI)を受信させるように前記プロセッサによって実行可能であり、前記UCIが肯定応答(ACK)ペイロードを備える、請求項67に記載の装置。
【請求項７３】
前記命令がさらに、前記装置に、
1つまたは複数のアップリンク制御チャネルリソース上でブラインド検出プロセスを実行させるように前記プロセッサによって実行可能であり、前記UCIが前記ブラインド検出プロセスに少なくとも一部基づいて受信される、請求項72に記載の装置。
【請求項７４】
フルDCIフォーマットが、割当てインデックスビットの前記セットに含めるべき割当てインデックスビットの第1の数を示し、フォールバックDCIフォーマットが、割当てインデックスビットの前記セットに含めるべき割当てインデックスビットの第2の数を示し、割当てインデックスビットの前記第2の数が、割当てインデックスビットの前記第1の数より少ない、請求項73に記載の装置。
【請求項７５】
前記命令がさらに、前記装置に、
ダウンリンク制御情報(DCI)において割当てインデックスビットのセットを送信させるように前記プロセッサによって実行可能であり、割当てインデックスビットの前記セットが肯定応答(ACK)ペイロードサイズを示す、請求項67に記載の装置。
【請求項７６】
前記DCIのフォーマットが、割当てインデックスビットの前記セットに含めるべき割当てインデックスビットの数を示す、請求項75に記載の装置。
【請求項７７】
前記命令がさらに、前記装置に、
前記割振りのための短いアップリンク制御チャネル送信または長いアップリンク制御チャネル送信のいずれかを選択させ、
前記選択された短いアップリンク制御チャネル送信または長いアップリンク制御チャネル送信に少なくとも一部さらに基づいて、リソースインジケータビットの前記セットを決定させるように前記プロセッサによって実行可能である、請求項67に記載の装置。
【請求項７８】
前記命令がさらに、前記装置に、
割振りのための第2のアップリンク制御チャネルリソースを特定させるように前記プロセッサによって実行可能である、請求項67に記載の装置。
【請求項７９】
前記命令がさらに、前記装置に、
前記特定された第2のアップリンク制御チャネルリソースに少なくとも一部基づいてリソースインジケータビットの第2のセットを決定させるように前記プロセッサによって実行可能であり、リソースインジケータビットの前記第2のセットが前記第2のアップリンク制御チャネルリソースを示す、請求項78に記載の装置。
【請求項８０】
前記命令がさらに、前記装置に、
送信のためにCCEの第2のセットを選択させるように前記プロセッサによって実行可能であり、CCEの前記第2のセットのうちのあるCCEが前記第2のアップリンク制御チャネルリソースを示す、請求項78に記載の装置。
【請求項８１】
前記命令がさらに、前記装置に、
少なくとも1つのリソースインジケータビットを決定させるように前記プロセッサによって実行可能であり、前記少なくとも1つのリソースインジケータビットが、前記第2のアップリンク制御チャネルリソースのための短いアップリンク制御チャネル送信または長いアップリンク制御チャネル送信のいずれかを示す、請求項78に記載の装置。
【請求項８２】
リソースインジケータビットの前記セットが、ダウンリンクグラントまたはアップリンクグラントにおいて送信され、
前記1つまたは複数のCCEの前記第1のCCEが、前記ダウンリンクグラントまたは前記アップリンクグラントのための初期のCCEを備える、請求項67に記載の装置。
【請求項８３】
前記アップリンク制御チャネルリソースが、物理アップリンク制御チャネル(PUCCH)リソースを備える、請求項67に記載の装置。
【請求項８４】
リソースインジケータビットの前記セットが、肯定応答リソースインジケータ(ARI)ビットのセットを備える、請求項67に記載の装置。
【請求項８５】
ワイヤレス通信のためのコードを記憶している非一時的コンピュータ可読記憶媒体であって、前記コードが、
1つまたは複数の制御チャネル要素(CCE)においてリソースインジケータビットのセットを受信し、
リソースインジケータビットの前記セットに対する可能なビットの組合せが、利用可能なアップリンク制御チャネルリソースより少ないと決定し、
前記決定に少なくとも一部基づいて、前記1つまたは複数のCCEの第1のCCEを特定し、
リソースインジケータビットの前記セットおよび前記1つまたは複数のCCEの前記第1のCCEに少なくとも一部基づいて、アップリンク制御情報(UCI)送信のためのアップリンク制御チャネルリソースを選択し、
前記選択されたアップリンク制御チャネルリソースを使用して前記UCIを送信する
ようにプロセッサによって実行可能な命令を備える、非一時的コンピュータ可読記憶媒体。
【請求項８６】
ワイヤレス通信のためのコードを記憶している非一時的コンピュータ可読記憶媒体であって、前記コードが、
割振りのためのアップリンク制御チャネルリソースを特定し、
前記特定されたアップリンク制御チャネルリソースに少なくとも一部基づいてリソースインジケータビットのセットを決定し、
送信のための1つまたは複数の制御チャネル要素(CCE)を選択し、前記1つまたは複数のCCEの第1のCCEおよびリソースインジケータビットの前記セットが前記アップリンク制御チャネルリソースを示し、
前記1つまたは複数のCCEにおいてリソースインジケータビットの前記セットを送信する
ようにプロセッサによって実行可能な命令を備える、非一時的コンピュータ可読記憶媒体。
【国際調査報告】
2021503761.tif 000026
2021503761.tif 000027
2021503761.tif 000028